(57)【要約】  スケジューリング割当情報送信方法及びシステム、並びに装置が提供される。当該方法は、ネットワーク装置により、ユーザ機器のために多重化方式を構成し、前記多重化方式に基づき、ユーザ機器へ、スケジューリング割当リソース指示情報を含むダウンリンク制御情報を送信するステップと、前記ユーザ機器により、前記多重化方式を取得し、前記ネットワーク装置により送信され且つ前記スケジューリング割当リソース指示情報を含む前記ダウンリンク制御情報を受信し、前記スケジューリング割当リソース指示情報及び前記多重化方式に基づき、スケジューリング割当情報を送信するために占有されるリソース位置情報を取得し、前記スケジューリング割当情報により占有される前記リソース位置情報に基づき、前記スケジューリング割当情報を送信するステップと、を含む。本発明の実施形態によるとスケジューリング割当情報を送信するために占有されるリソースが正確に示され又は取得でき、送信性能が更に向上され得る。
2019525648.tif 000002
【特許請求の範囲】
【請求項１】
スケジューリング割当情報送信方法であって、
ユーザ機器により、多重化方式を取得するステップであって、前記多重化方式は、スケジューリング割当情報を送信するための時間周波数リソースとデータ情報を送信するための時間周波数リソースとの間の関係を示すために使用される、ステップと、
前記ユーザ機器により、ネットワーク装置により送信されたダウンリンク制御情報を受信するステップであって、前記ダウンリンク制御情報は、スケジューリング割当リソース指示情報を含む、ステップと、
前記ユーザ機器により、前記スケジューリング割当リソース指示情報及び前記多重化方式に基づき、前記スケジューリング割当情報を送信するために占有されるリソース位置情報を取得するステップと、
前記ユーザ機器により、前記スケジューリング割当情報により占有される前記リソース位置情報に基づき、前記スケジューリング割当情報を送信するステップと、
を含む方法。
【請求項２】
前記多重化方式は、第１多重化方式、第２多重化方式、及び第３多重化方式のうちの少なくとも１つを含み、前記第１多重化方式は、前記スケジューリング割当情報を送信するための時間ドメインリソースが前記データ情報を送信するための時間ドメインリソースと異なることを示し、前記第２多重化方式は、前記スケジューリング割当情報を送信するための時間ドメインリソースが前記データ情報を送信するための時間ドメインリソースと同じであり且つ前記スケジューリング割当情報を送信するための周波数ドメインリソースが前記データ情報を送信するための周波数ドメインリソースに隣接しないことを示し、前記第３多重化方式は、前記スケジューリング割当情報を送信するための時間ドメインリソースが前記データ情報を送信するための時間ドメインリソースと同じであり且つ前記スケジューリング割当情報を送信するための周波数ドメインリソースが前記データ情報を送信するための周波数ドメインリソースに隣接することを示す、請求項１に記載の方法。
【請求項３】
前記多重化方式が前記第１多重化方式である場合、前記スケジューリング割当リソース指示情報は、前記スケジューリング割当情報を送信するために占有される時間ドメインリソース位置及び周波数ドメインリソース位置を示すために使用される、又は、前記多重化方式が前記第２多重化方式である場合、前記スケジューリング割当リソース指示情報は、前記スケジューリング割当情報を送信するために占有される周波数ドメインリソース位置を示すために使用される、又は、前記多重化方式が前記第３多重化方式である場合、前記スケジューリング割当リソース指示情報は、前記スケジューリング割当情報を送信するために占有される周波数ドメインリソース位置と前記データ情報を送信するために占有される周波数ドメインリソース位置との間の関係を示すために使用される、請求項２に記載の方法。
【請求項４】
前記ユーザ機器により、前記スケジューリング割当リソース指示情報及び前記多重化方式に基づき、前記スケジューリング割当情報を送信するために占有されるリソース位置情報を取得する前記ステップは、
前記多重化方式が前記第１多重化方式である場合、前記ユーザ機器により、前記スケジューリング割当リソース指示情報及び前記第１多重化方式に基づき、前記スケジューリング割当情報を送信するために占有される前記時間ドメインリソース位置及び前記周波数ドメインリソース位置を取得するステップを含む、請求項３に記載の方法。
【請求項５】
前記ユーザ機器により、前記スケジューリング割当リソース指示情報及び前記多重化方式に基づき、前記スケジューリング割当情報を送信するために占有されるリソース位置情報を取得する前記ステップは、
前記多重化方式が前記第２多重化方式である場合、前記ユーザ機器により、前記スケジューリング割当リソース指示情報及び前記第２多重化方式に基づき、前記スケジューリング割当情報を送信するために占有される前記周波数ドメインリソース位置を取得するステップと、
前記ユーザ機器により、前記データ情報を送信するために占有される時間ドメインリソース位置を取得し、前記データ情報を送信するために占有される前記時間ドメインリソース位置は前記スケジューリング割当情報を送信するために占有される時間ドメイン位置であることを決定するステップと、
を含む、請求項３に記載の方法。
【請求項６】
前記ユーザ機器により、前記スケジューリング割当リソース指示情報及び前記多重化方式に基づき、前記スケジューリング割当情報を送信するために占有されるリソース位置情報を取得する前記ステップは、
前記多重化方式が前記第３多重化方式である場合、前記ユーザ機器により、前記データ情報を送信するために占有される時間ドメインリソース位置及び前記周波数ドメインリソース位置を取得し、前記データ情報を送信するための前記時間ドメインリソース位置は前記スケジューリング割当情報を送信するために占有される時間ドメインリソース位置であることを決定するステップと、
前記ユーザ機器により、前記スケジューリング割当リソース指示情報、前記第３多重化方式、及び前記データ情報の前記周波数ドメインリソース位置に基づき、前記スケジューリング割当情報を送信するために占有される前記周波数ドメインリソース位置を取得するステップと、
を含む、請求項３に記載の方法。
【請求項７】
前記ダウンリンク制御情報は送信品質指示情報を更に含み、前記送信品質指示情報は、前記スケジューリング割当情報の送信回数が少なくとも１回であることを示すために使用され、前記スケジューリング割当リソース指示情報は、前記少なくとも１回の各々で前記スケジューリング割当情報を送信するために占有されるリソース位置情報を示すために使用される、請求項１、４、５、又は６に記載の方法。
【請求項８】
ユーザ機器により、多重化方式を取得する前記ステップは、
前記ユーザ機器により、前記ネットワーク装置により送信された受信した多重化指示情報に基づき、前記多重化方式を取得するステップであって、前記多重化指示情報は前記多重化方式を示すために使用される、ステップ、又は、
前記ユーザ機器により、事前設定情報に基づき、前記多重化方式を取得するステップであって、前記事前設定情報は前記多重化方式を示すために使用される、ステップ、
を含む、請求項１に記載の方法。
【請求項９】
スケジューリング割当情報送信方法であって、
ネットワーク装置により、ユーザ機器のために多重化方式を構成するステップであって、前記多重化方式は、スケジューリング割当情報を送信するための時間周波数リソースとデータ情報を送信するための時間周波数リソースとの間の関係を示すために使用される、ステップと、
前記ネットワーク装置により、前記多重化方式に基づき、前記ユーザ機器へダウンリンク制御情報を送信するステップであって、前記ダウンリンク制御情報はスケジューリング割当リソース指示情報を含み、前記スケジューリング割当リソース指示情報は、前記スケジューリング割当情報を送信するために占有されるリソース位置情報を示すために使用される、ステップと、
を含む方法。
【請求項１０】
前記多重化方式は、第１多重化方式、第２多重化方式、及び第３多重化方式のうちの少なくとも１つを含み、前記第１多重化方式は、前記スケジューリング割当情報を送信するための時間ドメインリソースが前記データ情報を送信するための時間ドメインリソースと異なることを示し、前記第２多重化方式は、前記スケジューリング割当情報を送信するための時間ドメインリソースが前記データ情報を送信するための時間ドメインリソースと同じであり且つ前記スケジューリング割当情報を送信するための周波数ドメインリソースが前記データ情報を送信するための周波数ドメインリソースに隣接しないことを示し、前記第３多重化方式は、前記スケジューリング割当情報を送信するための時間ドメインリソースが前記データ情報を送信するための時間ドメインリソースと同じであり且つ前記スケジューリング割当情報を送信するための周波数ドメインリソースが前記データ情報を送信するための周波数ドメインリソースに隣接することを示す、請求項９に記載の方法。
【請求項１１】
前記多重化方式が前記第１多重化方式である場合、前記スケジューリング割当リソース指示情報は、前記スケジューリング割当情報を送信するために占有される時間ドメインリソース位置及び周波数ドメインリソース位置を示すために使用される、又は、前記多重化方式が前記第２多重化方式である場合、前記スケジューリング割当リソース指示情報は、前記スケジューリング割当情報を送信するために占有される周波数ドメインリソース位置を示すために使用される、又は、前記多重化方式が前記第３多重化方式である場合、前記スケジューリング割当リソース指示情報は、前記スケジューリング割当情報を送信するために占有される周波数ドメインリソース位置と前記データ情報を送信するために占有される周波数ドメインリソース位置との間の関係を示すために使用される、請求項１０に記載の方法。
【請求項１２】
前記ダウンリンク制御情報は送信品質指示情報を更に含み、前記送信品質指示情報は、前記スケジューリング割当情報の送信回数が少なくとも１回であることを示すために使用され、前記スケジューリング割当リソース指示情報は、前記少なくとも１回の各々で前記スケジューリング割当情報を送信するために占有されるリソース位置情報を示すために使用される、請求項９に記載の方法。
【請求項１３】
前記ネットワーク装置により、前記多重化方式に基づき、前記ユーザ機器へダウンリンク制御情報を送信する前記ステップの前に、
前記ネットワーク装置により、前記多重化方式に基づき、前記ユーザ機器へ多重化指示情報を送信するステップであって、前記多重化指示情報は前記多重化方式を示すために使用される、ステップを更に含む、請求項９に記載の方法。
【請求項１４】
ユーザ機器であって、
多重化方式を取得するよう構成される処理ユニットであって、前記多重化方式は、スケジューリング割当情報を送信するための時間周波数リソースとデータ情報を送信するための時間周波数リソースとの間の関係を示すために使用される、処理ユニットと、
ネットワーク装置により送信されたダウンリンク制御情報を受信するよう構成される受信ユニットであって、前記ダウンリンク制御情報は、スケジューリング割当リソース指示情報を含む、受信ユニットと、
前記処理ユニットは、前記スケジューリング割当リソース指示情報及び前記多重化方式に基づき、前記スケジューリング割当情報を送信するために占有されるリソース位置情報を取得するよう更に構成され、
前記スケジューリング割当情報により占有される前記リソース位置情報に基づき、前記スケジューリング割当情報を送信するよう構成される送信ユニットと、
を含むユーザ機器。
【請求項１５】
前記多重化方式は、第１多重化方式、第２多重化方式、及び第３多重化方式のうちの少なくとも１つを含み、前記第１多重化方式は、前記スケジューリング割当情報を送信するための時間ドメインリソースが前記データ情報を送信するための時間ドメインリソースと異なることを示し、前記第２多重化方式は、前記スケジューリング割当情報を送信するための時間ドメインリソースが前記データ情報を送信するための時間ドメインリソースと同じであり且つ前記スケジューリング割当情報を送信するための周波数ドメインリソースが前記データ情報を送信するための周波数ドメインリソースに隣接しないことを示し、前記第３多重化方式は、前記スケジューリング割当情報を送信するための時間ドメインリソースが前記データ情報を送信するための時間ドメインリソースと同じであり且つ前記スケジューリング割当情報を送信するための周波数ドメインリソースが前記データ情報を送信するための周波数ドメインリソースに隣接することを示す、請求項１４に記載のユーザ機器。
【請求項１６】
前記多重化方式が前記第１多重化方式である場合、前記スケジューリング割当リソース指示情報は、前記スケジューリング割当情報を送信するために占有される時間ドメインリソース位置及び周波数ドメインリソース位置を示すために使用される、又は、前記多重化方式が前記第２多重化方式である場合、前記スケジューリング割当リソース指示情報は、前記スケジューリング割当情報を送信するために占有される周波数ドメインリソース位置を示すために使用される、又は、前記多重化方式が前記第３多重化方式である場合、前記スケジューリング割当リソース指示情報は、前記スケジューリング割当情報を送信するために占有される周波数ドメインリソース位置と前記データ情報を送信するために占有される周波数ドメインリソース位置との間の関係を示すために使用される、請求項１５に記載のユーザ機器。
【請求項１７】
前記多重化方式が前記第１多重化方式である場合、前記処理ユニットは、前記スケジューリング割当リソース指示情報及び前記第１多重化方式に基づき、前記スケジューリング割当情報を送信するために占有される前記時間ドメインリソース位置及び前記周波数ドメインリソース位置を取得するよう構成される、請求項１６に記載のユーザ機器。
【請求項１８】
前記多重化方式が前記第２多重化方式である場合、前記処理ユニットは、前記スケジューリング割当リソース指示情報及び前記第２多重化方式に基づき、前記スケジューリング割当情報を送信するために占有される前記周波数ドメインリソース位置を取得するよう構成され、
前記処理ユニットは、前記データ情報を送信するために占有される時間ドメインリソース位置を取得し、前記データ情報を送信するために占有される前記時間ドメインリソース位置が、前記スケジューリング割当情報を送信するために占有される時間ドメインリソース位置であることを決定するよう更に構成される、
請求項１６に記載のユーザ機器。
【請求項１９】
前記多重化方式が前記第３多重化方式である場合、前記処理ユニットは、前記データ情報を送信するために占有される時間ドメインリソース位置及び前記周波数ドメインリソース位置を取得し、前記データ情報を送信するための前記時間ドメインリソース位置が、前記スケジューリング割当情報を送信するために占有される時間ドメインリソース位置であることを決定するよう構成され、
前記処理ユニットは、前記スケジューリング割当リソース指示情報に基づき、前記第３多重化方式、及び前記データ情報の前記周波数ドメインリソース位置、前記スケジューリング割当情報を送信するために占有される前記周波数ドメインリソース位置を取得するよう更に構成される、
請求項１６に記載のユーザ機器。
【請求項２０】
前記ダウンリンク制御情報は送信品質指示情報を更に含み、前記送信品質指示情報は、前記スケジューリング割当情報の送信回数が少なくとも１回であることを示すために使用され、前記スケジューリング割当リソース指示情報は、前記少なくとも１回の各々で前記スケジューリング割当情報を送信するために占有されるリソース位置情報を示すために使用される、請求項１４、１７、１８、又は１９に記載のユーザ機器。
【請求項２１】
前記処理ユニットは、前記ネットワーク装置により送信された受信した多重化指示情報に基づき前記多重化方式を取得するよう構成され、前記多重化指示情報は前記多重化方式を示すために使用される、又は、前記処理ユニットは、事前設定情報に基づき前記多重化方式を取得するよう構成され、前記事前設定情報は前記多重化方式を示すために使用される、請求項１４に記載のユーザ機器。
【請求項２２】
ネットワーク装置であって、
ユーザ機器のために多重化方式を構成するよう適応される処理ユニットであって、前記多重化方式は、スケジューリング割当情報を送信するための時間周波数リソースとデータ情報を送信するための時間周波数リソースとの間の関係を示すために使用される、処理ユニットと、
前記多重化方式に基づき、前記ユーザ機器へダウンリンク制御情報を送信するよう構成される送信ユニットであって、前記ダウンリンク制御情報はスケジューリング割当リソース指示情報を含み、前記スケジューリング割当リソース指示情報は、前記スケジューリング割当情報を送信するために占有されるリソース位置情報を示すために使用される、送信ユニットと、
を含むネットワーク装置。
【請求項２３】
前記多重化方式は、第１多重化方式、第２多重化方式、及び第３多重化方式のうちの少なくとも１つを含み、前記第１多重化方式は、前記スケジューリング割当情報を送信するための時間ドメインリソースが前記データ情報を送信するための時間ドメインリソースと異なることを示し、前記第２多重化方式は、前記スケジューリング割当情報を送信するための時間ドメインリソースが前記データ情報を送信するための時間ドメインリソースと同じであり且つ前記スケジューリング割当情報を送信するための周波数ドメインリソースが前記データ情報を送信するための周波数ドメインリソースに隣接しないことを示し、前記第３多重化方式は、前記スケジューリング割当情報を送信するための時間ドメインリソースが前記データ情報を送信するための時間ドメインリソースと同じであり且つ前記スケジューリング割当情報を送信するための周波数ドメインリソースが前記データ情報を送信するための周波数ドメインリソースに隣接することを示す、請求項２２に記載のネットワーク装置。
【請求項２４】
前記多重化方式が前記第１多重化方式である場合、前記スケジューリング割当リソース指示情報は、前記スケジューリング割当情報を送信するために占有される時間ドメインリソース位置及び周波数ドメインリソース位置を示すために使用される、又は、前記多重化方式が前記第２多重化方式である場合、前記スケジューリング割当リソース指示情報は、前記スケジューリング割当情報を送信するために占有される周波数ドメインリソース位置を示すために使用される、又は、前記多重化方式が前記第３多重化方式である場合、前記スケジューリング割当リソース指示情報は、前記スケジューリング割当情報を送信するために占有される周波数ドメインリソース位置と前記データ情報を送信するために占有される周波数ドメインリソース位置との間の関係を示すために使用される、請求項２３に記載のネットワーク装置。
【請求項２５】
前記ダウンリンク制御情報は送信品質指示情報を更に含み、前記送信品質指示情報は、前記スケジューリング割当情報の送信回数が少なくとも１回であることを示すために使用され、前記スケジューリング割当リソース指示情報は、前記少なくとも１回の各々で前記スケジューリング割当情報を送信するために占有されるリソース位置情報を示すために使用される、請求項２２に記載のネットワーク装置。
【請求項２６】
前記送信ユニットは、前記多重化方式に基づき前記ユーザ機器へ多重化指示情報を送信するよう更に構成され、前記多重化指示情報は前記多重化方式を示すために使用される、請求項２２に記載のネットワーク装置。
【請求項２７】
請求項１４乃至２１のいずれか一項に記載のユーザ機器と、請求項２２乃至２６のいずれか一項に記載のネットワーク装置と、を含むスケジューリング割当情報送信システム。
【発明の詳細な説明】
【技術分野】
【０００１】
本発明は、通信技術の分野に関し、特にスケジューリング割当情報送信方法及びシステム並びに装置に関する。
【背景技術】
【０００２】
装置間（Device−to−Device、D２D）通信は、２つのピア端末が基地局を使用することなく互いに直接通信する通信モードである。基地局は、端末間の直接通信を支援するために、リソース構成、スケジューリング、調整、等を実行して良い。D２D通信は、２つの特性：発見（Discovery）及び通信（Communication）を含む。Discoveryは、端末が周期的に情報をブロードキャストして、端末の周囲にいる端末が情報を検出し端末を発見するようにすることを意味する。Communicationは、直接データ送信が端末間で実行され、スケジューリング割当（Scheduling  Assignment、SA）＋データ（Data）のメカニズムが使用されることを意味する。SAは、送信端により送信されたデータの状態情報を示すために使用される。状態情報は、データの時間周波数リソース情報、変調及び符号化方式（Modulation  and  Coding  Scheme、MCS）情報、周波数ホッピング指示情報、タイミングアドバンス情報、及び受信グループID情報、等を含み、受信端がSAにより示された構成に基づきサービスデータを受信できるようにする。データは、SAにより示された時間周波数リソース情報に基づく且つSAにより示されたフォーマットの、送信端により送信されたサービスデータである。
【０００３】
D２D通信を実行する端末が基地局のカバレッジ領域内にある場合、基地局は、端末のために送信リソースプール（例えば、SAリソースプール及びデータリソースプール）を構成して、端末がD２D通信のデータ送信を実行するようにする。端末は、リソースプールの中の端末のために基地局により構成された時間周波数リソースを用いてD２D送信を実行して良く、又はD２D送信のために構成されたリソースから時間周波数リソースを独立に且つランダムに選択して良い。
【０００４】
車のインターネット（Internet  of  Vehicles、IOV）は、車車間（Vehicle−to−Vehicle、V２V）、路車間（Vehicle−to−Road、V２R）、車対インターネット（vehicle−to−Internet、V２I）、車対人間（Vehicle−to−Human、V２H）、等の相互接続及び連携を実施し得る。現在、セルラネットワーク技術は車のインターネットにおけるV２V通信のために使用され、基地局が完全に送信リソースを動的にスケジューリングするために使用され得るように、通信衝突確率が低減され、及び遅延制御不可能の問題が解決されるようにする。基地局支援に基づく車のインターネットでは、基地局は、主に、送信リソース構成、干渉調整、等を実行する。車のインターネットシステムにおける車車間通信は端末間通信でもあるので、V２V通信はD２D通信としても考えられ得る。
【０００５】
しかしながら、必ずしも全てのD２D通信技術がV２V通信に適用可能ではない。例えば、D２D通信において基地局によりSA時間周波数リソースを示す用法は、V２V通信に適用可能ではない。V２V通信におけるSA及びデータのために複数の多重化方式が存在し、多重化方式は、SAを送信するための時間周波数リソースとデータを送信するための時間周波数リソースとの間の関係を記述するために使用される。例えば、多重化方式は、SA及びデータが異なるサブフレームで又は同じサブフレームで送信されるか否か、等を示すために使用される。しかしながら、SA及びデータのための複数の多重化方式は、D２D通信には存在しない。したがって、D２D通信において基地局によりSA時間周波数リソースを示す方法がV２V通信において依然として使用される場合、SA情報を送信するために占有されるリソースは、正確に示され又は取得されることができず、送信性能が影響を受ける。
【発明の概要】
【０００６】
本発明の実施形態は、スケジューリング割当情報を送信するために占有されるリソースを正確に示し又は取得し及び送信性能を更に向上するために、スケジューリング割当情報送信方法及びシステム、並びに装置を提供する。
【０００７】
本発明の実施形態の第１の態様は、スケジューリング割当情報送信方法であって、
ユーザ機器により、多重化方式を取得するステップであって、前記多重化方式は、スケジューリング割当情報を送信するための時間周波数リソースとデータ情報を送信するための時間周波数リソースとの間の関係を示すために使用される、ステップと、
前記ユーザ機器により、ネットワーク装置により送信されたダウンリンク制御情報を受信するステップであって、前記ダウンリンク制御情報は、スケジューリング割当リソース指示情報を含む、ステップと、
前記ユーザ機器により、前記スケジューリング割当リソース指示情報及び前記多重化方式に基づき、前記スケジューリング割当情報を送信するために占有されるリソース位置情報を取得するステップと、
前記ユーザ機器により、前記スケジューリング割当情報により占有される前記リソース位置情報に基づき、前記スケジューリング割当情報を送信するステップと、を含む方法を提供する。
【０００８】
本発明の実施形態の第１の態様では、前記スケジューリング割当情報を送信するために占有され且つ前記ユーザ機器により取得される前記リソース位置情報は、前記多重化方式に可憐付けられ、したがって、スケジューリング割当情報の取得されたリソース位置の精度は比較的高く、送信性能は更に向上される。
【０００９】
可能な実装では、多重化方式は、第１多重化方式、第２多重化方式、及び第３多重化方式のうちの少なくとも１つを含み、第１多重化方式は、スケジューリング割当情報を送信するための時間ドメインリソースがデータ情報を送信するための時間ドメインリソースと異なることを示し、言い換えると、スケジューリング割当情報及びデータ情報を異なるサブフレームを占有し、第２多重化方式は、スケジューリング割当情報を送信するための時間ドメインリソースがデータ情報を送信するための時間ドメインリソースと同じであり、言い換えると、スケジューリング割当情報及びデータ情報は同じサブフレームを占有し、且つスケジューリング割当情報を送信するための周波数ドメインリソースがデータ情報を送信するための周波数ドメインリソースに隣接しないことを示し、第３多重化方式は、スケジューリング割当情報を送信するための時間ドメインリソースがデータ情報を送信するための時間ドメインリソースと同じであり、言い換えると、スケジューリング割当情報及びデータ情報は同じサブフレームを占有し、且つスケジューリング割当情報を送信するための周波数ドメインリソースがデータ情報を送信するための周波数ドメインリソースに隣接することを示す。
【００１０】
可能な実装では、前記多重化方式が前記第１多重化方式である場合、前記スケジューリング割当リソース指示情報は、前記スケジューリング割当情報を送信するために占有される時間ドメインリソース位置及び周波数ドメインリソース位置を示すために使用される、又は、前記多重化方式が前記第２多重化方式である場合、前記スケジューリング割当リソース指示情報は、前記スケジューリング割当情報を送信するために占有される周波数ドメインリソース位置を示すために使用される、又は、前記多重化方式が前記第３多重化方式である場合、前記スケジューリング割当リソース指示情報は、前記スケジューリング割当情報を送信するために占有される周波数ドメインリソース位置と前記データ情報を送信するために占有される周波数ドメインリソース位置との間の関係を示すために使用される。第２多重化方式及び第３多重化方式では、スケジューリング割当情報を送信するための時間ドメインリソースがデータ情報を送信するための時間リソースと同じなので、言い換えると、スケジューリング割当情報を送信するために占有される時間ドメインリソース位置は、データ情報を送信するために占有される時間ドメインリソース位置と同じであるので、スケジューリング割当リソース指示情報は、スケジューリング割当情報を送信するために占有される周波数ドメインリソース位置を示す必要があるだけである。したがって、指示情報冗長性が回避でき、シグナリングオーバヘッドが削減できる。
【００１１】
可能な実装では、前記多重化方式が前記第１多重化方式である場合、前記ユーザ機器は、前記スケジューリング割当リソース指示情報及び前記第１多重化方式に基づき、前記スケジューリング割当情報を送信するために占有される前記時間ドメインリソース位置及び前記周波数ドメインリソース位置を取得する。
【００１２】
可能な実装では、前記多重化方式が前記第２多重化方式である場合、前記ユーザ機器は、前記スケジューリング割当リソース指示情報及び前記第２多重化方式に基づき、前記スケジューリング割当情報を送信するために占有される前記周波数ドメインリソース位置を取得し、
前記ユーザ機器は、前記データ情報を送信するために占有される時間ドメインリソース位置を取得し、前記データ情報を送信するために占有される前記時間ドメインリソース位置が、前記スケジューリング割当情報を送信するために占有される時間ドメインリソース位置であることを決定する。この場合、ユーザ機器は、ネットワーク装置により送信されたデータ情報リソース指示情報を用いて、データ情報を送信するために占有される時間ドメインリソース位置を取得して良い。
【００１３】
可能な実装では、前記多重化方式が前記第３多重化方式である場合、前記ユーザ機器は、前記データ情報を送信するために占有される時間ドメインリソース位置及び前記周波数ドメインリソース位置を取得し、前記データ情報を送信するための前記時間ドメインリソース位置が、前記スケジューリング割当情報を送信するために占有される時間ドメインリソース位置であることを決定し、
前記ユーザ機器は、前記スケジューリング割当リソース指示情報に基づき、前記第３多重化方式、及び前記データ情報の前記周波数ドメインリソース位置、前記スケジューリング割当情報を送信するために占有される前記周波数ドメインリソース位置を取得する。この場合、ユーザ機器は、ネットワーク装置により送信されたデータ情報リソース指示情報を用いて、データ情報を送信するために占有される時間ドメインリソース位置及び周波数ドメインリソース位置を取得して良い。
【００１４】
可能な実装では、前記スケジューリング割当情報を送信するために占有される前記リソース位置情報をより正確に示すために、前記ダウンリンク制御情報は送信品質指示情報を更に含み、前記送信品質指示情報は、前記スケジューリング割当情報の送信回数が少なくとも１回であることを示すために使用され、前記スケジューリング割当リソース指示情報は、前記少なくとも１回の各々で前記スケジューリング割当情報を送信するために占有されるリソース位置情報を示すために使用される。
【００１５】
可能な実装では、前記ユーザ機器は、前記ネットワーク装置により送信された多重化指示情報を受信し、前記多重化指示情報は前記多重化方式を示すために使用される。前記多重化指示情報は、無線リソース制御（Radio  Resource  Control、RRC）メッセージ、媒体アクセス制御（Medium  Access  Control、MAC）レイヤメッセージ、又は物理レイヤメッセージを用いて送信されて良い。RRCメッセージは、システムブロードキャストメッセージ、RRC専用シグナリング、等であって良い。MACレイヤメッセージは、MACレイヤシグナリング、等であって良い。
【００１６】
可能な実装では、前記ユーザ機器は、事前設定情報に基づき前記多重化方式を取得する。前記事前設定情報は、前記多重化方式を示すために使用される。前記事前構成情報は、前記ネットワーク装置により前記ユーザ機器のために構成されて良く、又は出荷前に前記ユーザ機器のために前記ユーザ機器の製造者により構成されて良い。
【００１７】
本発明の実施形態の第２の態様は、スケジューリング割当情報送信方法であって、
ネットワーク装置により、ユーザ機器のために多重化方式を構成するステップであって、前記多重化方式は、スケジューリング割当情報を送信するための時間周波数リソースとデータ情報を送信するための時間周波数リソースとの間の関係を示すために使用される、ステップと、
前記ネットワーク装置により、前記多重化方式に基づき、前記ユーザ機器へダウンリンク制御情報を送信するステップであって、前記ダウンリンク制御情報はスケジューリング割当リソース指示情報を含み、前記スケジューリング割当リソース指示情報は、前記スケジューリング割当情報を送信するために占有されるリソース位置情報を示すために使用される、ステップと、を含む方法を提供する。
【００１８】
本発明の実施形態の第２の態様では、前記ネットワーク装置は、前記ユーザ機器のために構成された前記多重化方式に基づき前記スケジューリング割当リソース指示情報を決定し、前記ダウンリンク制御情報を用いて前記ユーザ機器に通知して、前記スケジューリング割当情報を送信するために占有される且つ前記ユーザ機器により取得された前記リソース位置情報が前記多重化方式に関連付けられ、前記スケジューリング割当情報の取得されたリソース位置の精度が比較的高く、及び送信性能が更に向上されるようにする。
【００１９】
可能な実装では、前記多重化方式は、第１多重化方式、第２多重化方式、及び第３多重化方式のうちの少なくとも１つを含み、前記第１多重化方式は、前記スケジューリング割当情報を送信するための時間ドメインリソースが前記データ情報を送信するための時間ドメインリソースと異なることを示し、言い換えると、前記スケジューリング割当情報及び前記データ情報を異なるサブフレームを占有し、前記第２多重化方式は、前記スケジューリング割当情報を送信するための時間ドメインリソースが前記データ情報を送信するための時間ドメインリソースと同じであり、言い換えると、前記スケジューリング割当情報及び前記データ情報は同じサブフレームを占有し、且つ前記スケジューリング割当情報を送信するための周波数ドメインリソースが前記データ情報を送信するための周波数ドメインリソースに隣接しないことを示し、前記第３多重化方式は、前記スケジューリング割当情報を送信するための時間ドメインリソースが前記データ情報を送信するための時間ドメインリソースと同じであり、言い換えると、前記スケジューリング割当情報及び前記データ情報は同じサブフレームを占有し、且つ前記スケジューリング割当情報を送信するための周波数ドメインリソースが前記データ情報を送信するための周波数ドメインリソースに隣接することを示す。
【００２０】
可能な実装では、前記多重化方式が前記第１多重化方式である場合、前記スケジューリング割当リソース指示情報は、前記スケジューリング割当情報を送信するために占有される時間ドメインリソース位置及び周波数ドメインリソース位置を示すために使用される、又は、前記多重化方式が前記第２多重化方式である場合、前記スケジューリング割当リソース指示情報は、前記スケジューリング割当情報を送信するために占有される周波数ドメインリソース位置を示すために使用される、又は、前記多重化方式が前記第３多重化方式である場合、前記スケジューリング割当リソース指示情報は、前記スケジューリング割当情報を送信するために占有される周波数ドメインリソース位置と前記データ情報を送信するために占有される周波数ドメインリソース位置との間の関係を示すために使用される。第２多重化方式及び第３多重化方式では、スケジューリング割当情報を送信するための時間ドメインリソースがデータ情報を送信するための時間リソースと同じなので、言い換えると、スケジューリング割当情報を送信するために占有される時間ドメインリソース位置は、データ情報を送信するために占有される時間ドメインリソース位置と同じであるので、スケジューリング割当リソース指示情報は、スケジューリング割当情報を送信するために占有される周波数ドメインリソース位置を示す必要があるだけである。したがって、指示情報冗長性が回避でき、シグナリングオーバヘッドが削減できる。
【００２１】
可能な実装では、前記スケジューリング割当情報を送信するために占有される前記リソース位置情報をより正確に示すために、前記ダウンリンク制御情報は送信品質指示情報を更に含み、前記送信品質指示情報は、前記スケジューリング割当情報の送信回数が少なくとも１回であることを示すために使用され、前記スケジューリング割当リソース指示情報は、前記少なくとも１回の各々で前記スケジューリング割当情報を送信するために占有されるリソース位置情報を示すために使用される。
【００２２】
可能な実装では、前記ネットワーク装置は、前記多重化方式に基づき前記ユーザ機器へ多重化指示情報を送信する。前記多重化指示情報は、前記多重化方式を示すために使用され、前記ユーザ機器が前記多重化方式を取得できるようにする。
【００２３】
可能な実装では、前記ネットワーク装置は、異なるリソースプールについて異なる多重化方式を構成することにより、前記ユーザ機器のために前記多重化方式を構成する。前記多重化方式は、リソースプールが前記ユーザ機器に割り当てられるとき、前記ユーザ機器に割り当てられて、前記ユーザ機器が前記割り当てられたリソースプールを用いて前記多重化方式を取得するようにする。
【００２４】
可能な実装では、前記ネットワーク装置は、異なるセルについて異なる多重化方式を構成することにより、前記ユーザ機器のために前記多重化方式を構成する。１つのセル内のリソースプールは同じ多重化方式を有する。例えば、セル１内の各リソースプールの多重化方式は、第１多重化方式である。前記ネットワーク装置は、前記ユーザ機器によりアクセスされたセルに基づき、前記多重化指示情報を前記ユーザ機器へ送信して、前記ユーザ機器が前記多重化方式を取得できるようにする。
【００２５】
本発明の実施形態の第３の態様は、ユーザ機器であって、
多重化方式を取得するよう構成される処理ユニットであって、前記多重化方式は、スケジューリング割当情報を送信するための時間周波数リソースとデータ情報を送信するための時間周波数リソースとの間の関係を示すために使用される、処理ユニットと、
ネットワーク装置により送信されたダウンリンク制御情報を受信するよう構成される受信ユニットであって、前記ダウンリンク制御情報は、スケジューリング割当リソース指示情報を含む、受信ユニットと、
前記処理ユニットは、前記スケジューリング割当リソース指示情報及び前記多重化方式に基づき、前記スケジューリング割当情報を送信するために占有されるリソース位置情報を取得するよう更に構成され、
前記スケジューリング割当情報により占有される前記リソース位置情報に基づき、前記スケジューリング割当情報を送信するよう構成される送信ユニットと、を含むユーザ機器を提供する。
【００２６】
本発明の実施形態の第３の態様で提供されるユーザ機器は、本発明の第１の態様で提供されるスケジューリング割当情報送信方法を実行するよう構成される。詳細については、本発明の実施形態の第１の態様の記載を参照し、詳細はここで再び記載されない。
【００２７】
本発明の実施形態の第４の態様は、ネットワーク装置であって、
ユーザ機器のために多重化方式を構成するよう適応される処理ユニットであって、前記多重化方式は、スケジューリング割当情報を送信するための時間周波数リソースとデータ情報を送信するための時間周波数リソースとの間の関係を示すために使用される、処理ユニットと、
前記多重化方式に基づき、前記ユーザ機器へダウンリンク制御情報を送信するよう構成される送信ユニットであって、前記ダウンリンク制御情報はスケジューリング割当リソース指示情報を含み、前記スケジューリング割当リソース指示情報は、前記スケジューリング割当情報を送信するために占有されるリソース位置情報を示すために使用される、送信ユニットと、を含むネットワーク装置を提供する。
【００２８】
本発明の実施形態の第４の態様で提供されるユーザ機器は、本発明の第２の態様で提供されるスケジューリング割当情報送信方法を実行するよう構成される。詳細については、本発明の実施形態の第２の態様の記載を参照し、詳細はここで再び記載されない。
【００２９】
本発明の実施形態の第５の態様は、スケジューリング割当情報送信システムであって、前記システムは第３の態様で提供されるユーザ機器と第４の態様で提供されるネットワーク装置とを含む、スケジューリング割当情報送信システムを提供する。
【００３０】
本発明の実施形態の第６の態様は、コンピュータ記憶媒体であって、ユーザ機器により使用されるコンピュータソフトウェア命令を記憶するよう構成され、前記コンピュータソフトウェア命令は前述の態様を実行するために設計されたプログラムを含む、コンピュータ記憶媒体を提供する。
【００３１】
本発明の実施形態の第７の態様は、コンピュータ記憶媒体であって、ネットワーク装置により使用されるコンピュータソフトウェア命令を記憶するよう構成され、前記コンピュータソフトウェア命令は前述の態様を実行するために設計されたプログラムを含む、コンピュータ記憶媒体を提供する。
【００３２】
本発明の実施形態では、ネットワーク装置は、ユーザ機器のために多重化方式を構成し、多重化方式に基づき、スケジューリング割当リソース指示情報を含むダウンリンク制御情報をユーザ機器へ送信し、ユーザ機器は、多重化方式を取得し、スケジューリング割当リソース指示情報を含み且つネットワーク装置により送信されたダウンリンク制御情報を受信し、スケジューリング割当リソース指示情報及び多重化方式に基づき、スケジューリング割当情報を送信するために占有されるリソース位置を取得し、スケジューリング割当情報により占有されるリソース位置情報に基づきスケジューリング割当情報を送信して、スケジューリング割当情報を送信するために占有されるリソースが正確に示され又は取得できるよう、及び送信性能が更に向上できるようにする。
【図面の簡単な説明】
【００３３】
本発明の実施形態の又は従来技術における技術的解決策をより明確に記載するために、実施形態を説明するのに必要な添付の図面を以下に簡単に説明する。明らかなことに、以下の説明中の添付の図面は、本発明のほんの一部の実施形態であり、これらの図面に従って当業者により創造的労力を有しないで他の図面も得られる。
【００３４】
【図１Ａ】D２D通信のネットワークアーキテクチャ図である。
【００３５】
【図１Ｂ】V２V通信のネットワークアーキテクチャ図である。
【００３６】
【図２】本発明の一実施形態によるスケジューリング割当情報送信方法の概略フローチャートである。
【００３７】
【図３】D２D通信におけるスケジューリング割当情報の時間周波数リソース位置の概略図である。
【００３８】
【図４】本発明の一実施形態による第１多重化方式における時間周波数関係の概略図である。
【００３９】
【図５Ａ】第１多重化方式における時間周波数リソース位置の概略図である。
【００４０】
【図５Ｂ】第１多重化方式における別の時間周波数リソース位置の概略図である。
【００４１】
【図５Ｃ】第１多重化方式における更に別の時間周波数リソース位置の概略図である。
【００４２】
【図５Ｄ】第１多重化方式における別の時間周波数リソース位置の概略図である。
【００４３】
【図５Ｅ】第１多重化方式におけるまた更に別の時間周波数リソース位置の概略図である。
【００４４】
【図６】本発明の一実施形態による第２多重化方式における時間周波数関係の概略図である。
【００４５】
【図７】本発明の一実施形態による第３多重化方式における時間周波数関係の概略図である。
【００４６】
【図８Ａ】本発明の一実施形態によるユーザ機器の概略構造図である。
【００４７】
【図８Ｂ】本発明の一実施形態による別のユーザ機器の概略構造図である。
【００４８】
【図９Ａ】本発明の一実施形態によるネットワーク装置の概略構造図である。
【００４９】
【図９Ｂ】本発明の一実施形態による別のネットワーク装置の概略構造図である。
【発明を実施するための形態】
【００５０】
以下に、本発明の実施形態の添付の図面を参照して、本発明の実施形態における技術的ソリューションを明確且つ十分に説明する。明らかに、記載される実施形態は、本発明の実施形態の一部であり、全てではない。本発明の実施形態に基づき創造的労力を有しないで当業者により得られる全ての他の実施形態は、本発明の保護範囲に包含される。
【００５１】
図１Ａを参照すると、図１Ａは、端末１、端末２及び基地局を含む、D２D通信のネットワークアーキテクチャ図である。実際の適用では、複数の端末が１つの基地局のカバレッジ領域に含まれる。理解を容易にするために、２つの端末だけが図１Ａにおいて一例として使用される。端末は、移動電話、タブレットコンピュータ（Pad）、又は（腕時計又はバンドのような）高機能ウェアラブル装置のような通信機能を有する電子装置を含み得る。図１Ａから、両方の端末が基地局と直接通信し得ること、及び通信がD２D通信で２つの端末間でも実行され得ることが分かる。端末間の通信の処理において、通信はマルチキャスト方式で実行されて良く、又は通信はブロードキャスト方式で実行されて良い。D２D通信は、２つの特性：発見（Discovery）及び通信（Communication）を含む。Discoveryは、端末が周期的に情報をブロードキャストして、端末の周囲にいる端末が情報を検出し端末を発見するようにする。Communicationは、直接データ送信が端末間で実行され、スケジューリング割当SA＋Dataのメカニズムが使用されることを意味する。SAは、送信端により送信されたデータの状態情報を示すために使用される。状態情報は、データの時間周波数リソース情報、MCS情報、周波数ホッピング指示情報、タイミングアドバンス情報、及び受信グループID情報、等を含み、受信端がSAにより示された構成に基づきサービスデータを受信できるようにする。データは、SAにより示された時間周波数リソース情報に基づく且つSAにより示されたフォーマットの、送信端により送信されたサービスデータである。D２D通信では、基地局は、端末のために送信リソースプール（例えば、SAリソースプール及びデータリソースプール）を構成して、端末がD２D通信のデータ送信を実行するようにする。端末は、リソースプールの中の端末のために基地局により構成された時間周波数リソースを用いてD２D送信を実行して良く、又はD２D送信のために構成されたリソースから時間周波数リソースを独立に且つランダムに選択して良い。
【００５２】
端末が、リソースプールの中で基地局により端末のために構成された時間周波数リソースを用いてD２D送信を実行する場合、基地局は、ダウンリンク制御情報（Downlink  Control  Information、DCI）を用いて、端末に、リソースプールの中のSA及びデータを送信するための時間周波数リソースを割り当てる。具体的に、DCIはインデックスフィールド（６ビット）、送信時間リソースパターン（Time  Resource  Pattern  of  Transmission、T−RPT）フィールド、及びリソース割当（Resource  Assignment、RA）フィールドを含む。インデックスフィールドは、SA時間周波数リソースを示すために使用される。T−RPTフィールドは、データの時間ドメインリソースを示すために使用される。RAフィールドは、データの周波数ドメインリソースを示すために使用される。
【００５３】
図１Ｂを参照すると、図１Ｂは、車１、車２及び基地局を含む、V２V通信のネットワークアーキテクチャ図である。実際の適用では、複数の車が１つの基地局のカバレッジ領域に含まれる。理解を容易にするために、２つの車だけが図１Ｂにおいて一例として使用される。V２V通信では、主に２つのシナリオ：セルカバレッジ内（in  coverage、IC）及びセルカバレッジ外（out  of  coverage、OOC）がある。図１Ｂはセルカバレッジ内のシナリオを記載する。言い換えると、車１及び車２は、基地局のカバレッジ領域内にある。セルカバレッジ外は、車が基地局のカバレッジ領域の外側で互いに通信することを意味する。セルカバレッジ内の車は、基地局により送信された同期信号を検出し、時間周波数同期及びセルIDを取得し、物理ブロードキャストチャネル（Physical  Broadcast  Channel、PBCH）を検出し、システム帯域幅、アンテナ数、無線フレーム数、及び物理ハイブリッド自動再送要求指示チャネル（Physical  Hybrid  ARQ  Indicator  Channel、PHICH）構成のような情報を取得する。該情報に基づき、車は、制御チャネル検出を実行し、システムから別のブロードキャストメッセージを周期的に受信し、通常通信送信を実行し得る。V２V通信では、基地局は、主に、送信リソース割当、干渉調整、等を実行する。データ送信を実行する前に、車は、先ず、基地局に送信リソースを求め、車の状態情報を基地局に報告し、基地局は、車により報告された情報に基づき対応するリソースを車に割り当てる。V２V通信は、端末対端末通信でもあり、したがって、D２D通信技術として考えられ得る。
【００５４】
しかしながら、必ずしも全てのD２D通信技術がV２V通信に適用可能ではない。例えば、D２D通信において基地局によりSA時間周波数リソースを示す用法は、V２V通信に適用可能ではない。V２V通信におけるSA及びデータのために複数の多重化方式が存在し、多重化方式は、SAを送信するための時間周波数リソースとデータを送信するための時間周波数リソースとの間の関係を記述するために使用される。例えば、多重化方式は、SA及びデータが異なるサブフレームで又は同じサブフレームで送信されるか否か、等を示すために使用される。しかしながら、SA及びデータのための複数の多重化方式は、D２D通信には存在しない。したがって、D２D通信において基地局によりSA時間周波数リソースを示す方法がV２V通信において依然として使用される場合、SA情報を送信するために占有されるリソースは、正確に示され又は取得されることができず、送信性能が影響を受ける。
【００５５】
複数の多重化方式が存在するとき、送信リソースが正確に示され又は取得できないという問題を解決するために、本発明の一実施形態は、複数の多重化方式を考慮し、スケジューリング割当情報を送信するために占有されるリソースを正確に示し又は取得し、さらに送信性能を向上するために、スケジューリング割当情報送信方法を提供する。
【００５６】
本発明の本実施形態で提供されるスケジューリング割当情報送信方法は、複数の多重化方式が存在する通信シナリオに適用され得る。該通信シナリオは、車のインターネットシナリオ（基地局、路側ユニット、自動車、非自動車、歩行者、及び路上の別の通信装置の間の通信のシナリオ）を含むがこれに限定されない。さらに、本発明の本実施形態は、モノのインターネットシナリオに更に適用され得、具体的に、高機能家庭用機器間の通信のシナリオに適用され得る。
【００５７】
本発明の本実施形態におけるユーザ機器は、図１Ａに記載された端末、及び自動車、非自動車、路上の別の通信装置、又は高機能家庭用機器のような電子装置の両方を含む。本発明の本実施形態におけるネットワーク装置は、基地局装置、路側ユニット、将来の５G通信におけるネットワーク側装置を含み得るが、これに限定されない。
【００５８】
留意すべきことに、本発明の本実施形態では、スケジューリング割当情報及びSAは同義であり、データ情報及びデータは同義である。
【００５９】
図２〜図７を参照して、本発明の本実施形態で提供されるスケジューリング割当情報送信方法が以下に詳細に記載される。
【００６０】
図２を参照すると、図２は、本発明の一実施形態によるスケジューリング割当情報送信方法の概略フローチャートである。理解されるべきことに、記載は、本発明の本実施形態のおける一例としてスケジューリング割当情報の１片の送信を用いて与えられる。同じ送信方法が、スケジューリング割当情報の各片について使用され、スケジューリング割当情報及びデータ情報が対で送信される。スケジューリング割当情報送信方法の特定の手順は、図２に示す実施形態におけるユーザ機器及びネットワーク装置の両方の観点から記載される。方法は以下のステップを含み得る。
【００６１】
１０１。ネットワーク装置は、ユーザ機器のために多重化方式を構成する。
【００６２】
具体的に、V２V通信には３つの多重化方式がある。３つの多重化方式は、スケジューリング割当情報を送信するための時間周波数リソースとデータ情報を送信するための時間周波数リソースとの間の関係を記述するために使用される。３つの多重化方式は、図４に示す第１多重化方式、図６に示す第２多重化方式、及び図７に示す第３多重化方式を含む。第１多重化方式は、スケジューリング割当情報を送信するための時間ドメインリソースがデータ情報を送信するための時間ドメインリソースと異なることを示すために使用される。具体的に言うと、スケジューリング割当情報及びデータ情報は、異なるサブフレームで送信される。スケジューリング割当情報の周波数ドメインリソースは、データ情報の周波数ドメインリソースに隣接して又は隣接しなくて良い。図４では、時間ドメインリソースは異なるサブフレームを占有し、周波数ドメインリソースは隣接しない。第２多重化方式は、スケジューリング割当情報を送信するための時間ドメインリソースが、データ情報を送信するための時間ドメインリソースと同じであること、及びスケジューリング割当情報を送信するための周波数ドメインリソースが、データ情報を送信するための周波数ドメインリソースに隣接しないことを示すために使用される。具体的に言うと、スケジューリング割当情報及びデータ情報は同じサブフレームで送信され、スケジューリング割当情報を送信するための周波数ドメインリソースは、データ情報を送信するための周波数ドメインリソースに隣接しない。第３多重化方式は、スケジューリング割当情報を送信するための時間ドメインリソースが、データ情報を送信するための時間ドメインリソースと同じであること、及びスケジューリング割当情報を送信するための周波数ドメインリソースが、データ情報を送信するための周波数ドメインリソースに隣接することを示すために使用される。具体的に言うと、スケジューリング割当情報及びデータ情報は同じサブフレームで送信され、スケジューリング割当情報を送信するための周波数ドメインリソースは、データ情報を送信するための周波数ドメインリソースに隣接する。
【００６３】
一例では、ネットワーク装置は、異なるリソースプールについて異なる多重化方式を構成することにより、ユーザ機器のために多重化方式を構成する。具体的に、ネットワーク装置は複数のリソースプールを構成し、各リソースプールは構成パラメータを含み、構成パラメータはSAリソースプール構成パラメータ、データリソースプール構成パラメータ、及び多重化方式構成パラメータを含む。多重化方式構成パラメータは、多重化方式を示すために使用され、１又は複数の多重化方式を示して良い。
【００６４】
可能な実装では、ネットワーク装置は、ユーザ機器に、ユーザ機器に割り当てられたリソースプールの識別子（例えば、シーケンス番号、ID、及び名称）を通知する。ユーザ機器は、多重化方式構成パラメータに基づき多重化方式構成パラメータにより示される多重化方式を取得するために、リソースプールの識別子に基づきリソースプールを使用し、リソースプールに対応する多重化方式構成パラメータを取得する。ネットワーク装置は、RRCメッセージ、MACレイヤメッセージ、及び物理レイヤメッセージのようなメッセージをユーザ機器へ送信して、ユーザ機器に割り当てられたリソースプールをユーザ機器に通知する。可能な実装は明示的通知方式であることが理解され得る。
【００６５】
別の可能な実装では、ネットワーク装置は、ユーザ機器へDCIを送信する。DCIは、データ情報リソース指示情報を含み、データ情報を送信するために占有される時間周波数リソース位置を示す。DCIを受信すると、ユーザ機器は、多重化方式構成パラメータに基づき多重化方式構成パラメータにより示される多重化方式を取得するために、データ情報を送信するために占有される時間周波数リソース位置を取得し、データ情報を送信するために占有される時間周波数リソース位置に基づき使用されるリソースプールを決定し、リソースプールに対応する構成パラメータを取得し、構成パラメータから多重化方式構成パラメータを取得する。可能な実装は暗示的通知方式であることが理解され得る。
【００６６】
一例では、ネットワーク装置は、異なセルについて異なる多重化方式を構成することにより、ユーザ機器のために多重化方式を構成する。具体的に、ネットワーク装置は、カバレッジ領域内の異なるセルについて多重化方式を構成する。構成処理において、１つのセルは１又は複数の多重化方式により構成されて良いが、１つのセル内のリソースプールは同じ多重化方式を有する。例えば、セル１内の各リソースプールの多重化方式は、第１多重化方式である。ネットワーク装置は、ユーザ機器によりアクセスされたセルに基づき、多重化指示情報をユーザ機器へ送信して、ユーザ機器が多重化方式を取得できるようにする。多重化指示情報は、RRCメッセージ、MACレイヤメッセージ、及び物理レイヤメッセージのようなメッセージを含んで良い。
【００６７】
一例では、ネットワーク装置は、ユーザ機器のために事前構成情報を構成し、事前構成情報は多重化方式を示す。任意で、事前構成情報は、リソースプール構成パラメータに情報要素を付加的に追加することにより、多重化方式を示す。任意で、事前構成情報は、RRCメッセージ、MACレイヤメッセージ、及び物理レイヤメッセージのようなメッセージをユーザ機器へ送信することにより、ユーザ機器に通知される。
【００６８】
ネットワーク装置は、ネットワーク装置とユーザ機器との間の無線インタフェースを用いて、多重化指示情報又は別のメッセージをユーザ機器へ送信する。
【００６９】
１０２。ユーザ機器は多重化方式を取得する。
【００７０】
一例では、ユーザ機器は、ネットワーク装置により送信された多重化指示情報を受信し、多重化指示情報に基づき多重化方式を取得する。多重化指示情報は、RRCメッセージ、MACレイヤメッセージ、及び物理レイヤメッセージのようなメッセージを含んで良い。ユーザ機器は、ユーザ機器とネットワーク装置との間の無線インタフェースを用いて、ネットワーク装置により送信された多重化指示情報を受信する。
【００７１】
一例では、ユーザ機器は、ネットワーク装置により送信された、RRCメッセージ、MACレイヤメッセージ、及び物理レイヤメッセージのようなメッセージを受信する。メッセージは、ネットワーク装置によりユーザ機器に割り当てられたリソースプールの識別子を含む。ユーザ機器は、多重化方式構成パラメータに基づき多重化方式構成パラメータにより示される多重化方式を取得するために、リソースプールの識別子に基づきリソースプールに対応する多重化方式構成パラメータを取得する。
【００７２】
一例では、ユーザ機器はネットワーク装置により送信されたDCIを受信する。DCIは、データ情報リソース指示情報を含み、データ情報を送信するために占有される時間周波数リソース位置を示す。ユーザ機器は、多重化方式構成パラメータに基づき多重化方式構成パラメータにより示される多重化方式を取得するために、データ情報を送信するために占有される時間周波数リソース位置を取得し、データ情報を送信するために占有される時間周波数リソース位置に基づき使用されるリソースプールを決定し、リソースプールに対応する構成パラメータを取得し、構成パラメータから多重化方式構成パラメータを取得する。
【００７３】
一例では、ユーザ機器は、事前構成情報に基づき多重化方式を取得し、事前構成情報は多重化方式を示すために使用される。事前構成情報は、ネットワーク装置によりユーザ機器のために構成されて良く、又は出荷前にユーザ機器のためにユーザ機器の製造者により構成されて良い。しかしながら、事前構成情報はユーザ機器上にある。事前構成情報が製造者により構成される場合、ユーザ機器の多重化方式は固定される。或いは、事前構成情報がネットワーク装置により構成される場合、ネットワーク装置はユーザ機器の多重化方式を変更し得る。任意で、事前構成情報は、リソースプール構成パラメータに情報要素を付加的に追加することにより、多重化方式を示す。
【００７４】
１０３。ネットワーク装置は、多重化方式に基づき、ユーザ機器へダウンリンク制御情報を送信する。ここで、ダウンリンク制御情報は、スケジューリング割当リソース指示情報を含む。
【００７５】
具体的に、ネットワーク装置は、多重化方式に基づき及びネットワーク装置とユーザ機器との間の無線インタフェースを用いて、ダウンリンク制御情報DCIをユーザ機器へ送信する。DCIはスケジューリング割当リソース指示情報を含み、スケジューリング割当リソース指示情報はスケジューリング割当情報を送信するために占有されるリソース位置情報を示すために使用される。スケジューリング割当リソース指示情報は、異なる多重化方式に基づく異なるリソース位置情報を示し、スケジューリング割当リソース指示情報が適切であり、スケジューリング割当リソース指示情報により示されるリソース位置情報がより正確であり、及び実際の適用シナリオにより近くなるようにする。
【００７６】
多重化方式が第１多重化方式である場合、スケジューリング割当リソース指示情報は、スケジューリング割当情報を送信するために占有される時間ドメインリソース位置及び周波数ドメインリソース位置を示すために使用される。可能な実装では、スケジューリング割当リソース指示情報は、スケジューリング割当時間ドメインリソース指示情報及びスケジューリング割当周波数ドメインリソース指示情報を含む。スケジューリング割当時間ドメインリソース指示情報は、スケジューリング割当情報を送信するために占有される時間ドメインリソース位置を示すために使用される。スケジューリング割当周波数ドメインリソース指示情報は、スケジューリング割当情報を送信するために占有される周波数ドメインリソース位置を示すために使用される。代替として、データ情報リソース指示情報に関して、スケジューリング割当情報を送信するために占有される時間ドメインリソース位置及び周波数ドメインリソース位置を間接的に示すために、スケジューリング割当時間ドメインリソース指示情報は、スケジューリング割当情報を送信するために占有される時間ドメインリソース位置とデータ情報を送信するために占有される時間ドメインリソース位置との間の関係（例えば、サブフレーム間隔）を示すために使用され、スケジューリング割当時間ドメインリソース指示情報は、スケジューリング割当情報を送信するために占有される周波数ドメインリソース位置とデータ情報を送信するために占有される周波数ドメインリソース位置との間の関係（例えば、周波数オフセット）を示すために使用される。別の可能な実装では、スケジューリング割当リソース指示情報は、スケジューリング割当情報を送信するために占有される時間ドメインリソース位置及び周波数ドメインリソース位置の両方を示し、又は、スケジューリング割当情報を送信するために占有される時間ドメインリソース位置とデータ情報を送信するために占有される時間ドメインリソース位置との間の関係、及びスケジューリング割当情報を送信するために占有される時間ドメインリソース位置とデータ情報を送信するために占有される時間ドメインリソース位置との間の関係の両方を示す。
【００７７】
多重化方式が第２多重化方式である場合、スケジューリング割当リソース指示情報は、スケジューリング割当情報を送信するために占有される周波数ドメインリソース位置を示すために使用される。多重化方式が第３多重化方式である場合、スケジューリング割当リソース指示情報は、スケジューリング割当情報を送信するために占有される周波数ドメインリソース位置とデータ情報を送信するために占有される周波数ドメインリソース位置との間の関係を示すために使用される。第２多重化方式及び第３多重化方式では、スケジューリング割当情報を送信するための時間ドメインリソース及びデータ情報を送信するための時間リソースは同じサブフレームを占有する。言い換えると、スケジューリング割当情報を送信するために占有される時間ドメインリソース位置は、データ情報を送信するために占有される時間ドメインリソース位置と同じであり、スケジューリング割当リソース指示情報は、スケジューリング割当情報を送信するために占有される周波数ドメインリソース位置を示す必要があるだけである。したがって、指示情報冗長性が回避でき、シグナリングオーバヘッドが削減できる。
【００７８】
１０４。ユーザ機器は、ネットワーク装置により送信されたダウンリンク制御情報を受信する。
【００７９】
具体的に、ユーザ機器は、ユーザ機器とネットワーク装置との間の無線インタフェースを用いて、ネットワーク装置により送信されたダウンリンク制御情報を受信し、ダウンリンク制御情報からスケジューリング割当リソース指示情報を抽出する。
【００８０】
１０５。ユーザ機器は、スケジューリング割当リソース指示情報及び多重化方式に基づき、スケジューリング割当情報を送信するために占有されるリソース位置情報を取得する。
【００８１】
一例では、多重化方式が第１多重化方式であるとき、スケジューリング割当リソース指示情報は、スケジューリング割当情報を送信するために占有される時間ドメインリソース位置及び周波数ドメインリソース位置を示し、ユーザ機器は、スケジューリング割当リソース指示情報及び第１多重化方式に基づき、スケジューリング割当情報を送信するために占有される時間ドメインリソース位置及び周波数ドメインリソース位置を直接取得して良い。
【００８２】
一例では、多重化方式が第２多重化方式である場合、スケジューリング割当リソース指示情報は、スケジューリング割当情報を送信するために占有される周波数ドメインリソース位置を示し、スケジューリング割当情報を送信するために占有される時間ドメインリソース位置を示さない。したがって、ユーザ機器は、スケジューリング割当情報を送信するために占有される時間ドメインリソース位置を取得する必要がある。ダウンリンク制御情報は、スケジューリング割当リソース指示情報に加えて、データリソース指示情報を含む。データリソース指示情報は、T−RPTフィールド及びRAフィールドを含む。T−RPTフィールドはデータ情報を送信するために占有される時間ドメインリソース位置を示し、RAフィールドはデータ情報を送信するために占有される周波数ドメインリソース位置を示す。ユーザ機器は、データリソース指示情報に基づき、データ情報を送信するために占有される時間ドメインリソース位置を取得する。スケジューリング割当情報及びデータ情報は同じサブフレームで送信されるので、ユーザ機器は、データ情報を送信するために占有される時間ドメインリソース位置がスケジューリング割当情報を送信するために占有される時間ドメインリソース位置であると決定する。ユーザ機器は、第２多重化方式及びスケジューリング割当リソース指示情報に基づき、スケジューリング割当情報を送信するために占有される周波数ドメインリソース位置を取得する。
【００８３】
一例では、多重化方式が第３多重化方式である場合、スケジューリング割当リソース指示情報は、スケジューリング割当情報を送信するために占有される周波数ドメインリソース位置とデータ情報を送信するために占有される周波数ドメインリソース位置との間の関係を示す。周波数ドメインリソース位置の間の関係は、スケジューリング割当情報がデータ情報の側で送信される、又はデータ情報の別の側で送信されて良いことを示して良い。しかしながら、スケジューリング割当情報を送信するために占有される周波数ドメインリソース位置又はスケジューリング割当情報を送信するために占有される時間ドメインリソース位置のいずれも、明確に示されない。したがって、ユーザ機器は、スケジューリング割当情報を送信するために占有される時間周波数リソース位置及び周波数ドメインリソース位置を取得する必要がある。ダウンリンク制御情報は、スケジューリング割当リソース指示情報に加えて、データリソース指示情報を含む。データリソース指示情報は、T−RPTフィールド及びRAフィールドを含む。T−RPTフィールドはデータ情報を送信するために占有される時間ドメインリソース位置を示し、RAフィールドはデータ情報を送信するために占有される周波数ドメインリソース位置を示す。ユーザ機器は、データリソース指示情報に基づき、データ情報を送信するために占有される時間ドメインリソース位置及び周波数ドメインリソース位置を取得する。スケジューリング割当情報及びデータ情報は同じサブフレームで送信されるので、ユーザ機器は、データ情報を送信するために占有される時間ドメインリソース位置がスケジューリング割当情報を送信するために占有される時間ドメインリソース位置であると決定する。ユーザ機器は、第３多重化方式及びスケジューリング割当リソース指示情報により示される周波数ドメインリソース位置の間の関係に基づき、スケジューリング割当情報を送信するために占有される周波数ドメインリソース位置を取得する。
【００８４】
第２多重化方式及び第３多重化方式では、データ情報を送信するために占有される時間ドメインリソース位置は、スケジューリング割当情報を送信するために占有される時間ドメインリソース位置と同じなので、スケジューリング割当情報を送信するために占有される時間ドメインリソース位置を示すために使用される指示情報は、ダウンリンク制御情報の中で構成される必要がない。したがって、指示情報冗長性が回避でき、シグナリングオーバヘッドが削減できる。
【００８５】
スケジューリング割当情報を送信するために占有されるリソース位置情報をより正確に示すために、ダウンリンク制御情報は送信品質指示情報を更に含み、送信品質指示情報は、スケジューリング割当情報の送信回数が少なくとも１回であることを示すために使用され、スケジューリング割当リソース指示情報は、少なくとも１回の各々でスケジューリング割当情報を送信するために占有されるリソース位置情報を示すために使用される。D２D通信では、スケジューリング割当情報は、永久に２回分送信され、データは永久に４回分送信される。V２V通信では、データは永久に４回分送信されず、データの送信回数は、例えば２回、６回、又は８回、変更可能である。相応して、スケジューリング割当情報は、データと同じ回数だけ送信されて良く、スケジューリング割当情報の送信回数も永久に２回ではない。スケジューリング割当情報及びデータは同じ送信回数を有するので、送信回数指示情報は、スケジューリング割当情報の送信回数指示情報であって良く、又はデータの送信回数指示情報であって良い。情報冗長性を回避するために、送信回数指示情報の１片だけしか必要ない。したがって、スケジューリング割当リソース指示情報は、スケジューリング割当情報を送信するために占有されるリソース位置情報を毎回明確に示す必要がある。
【００８６】
１０６。ユーザ機器は、リソース割当情報により占有されるリソース位置情報に基づき、スケジューリング割当情報を送信する。
【００８７】
具体的に、スケジューリング割当情報を送信するために占有される時間ドメインリソース位置及び周波数ドメインリソース位置が決定された後に、ユーザ機器は、スケジューリング割当情報により占有される時間ドメインリソース位置及び周波数ドメインリソース位置、並びにユーザ機器間の送信インタフェースを用いて、スケジューリング割当情報を送信する。具体的に言うと、スケジューリング割当情報が他のユーザ機器へ送信されて、データ情報送信が２つのユーザ機器間で実行でき、及び直接通信が２つのユーザ機器間で実行できるようにする。
【００８８】
本発明の本実施形態では、ネットワーク装置は、ユーザ機器のために多重化方式を構成し、多重化方式に基づき、スケジューリング割当リソース指示情報を含むダウンリンク制御情報をユーザ機器へ送信し、ユーザ機器は、多重化方式を取得し、スケジューリング割当リソース指示情報を含み且つネットワーク装置により送信されたダウンリンク制御情報を受信し、スケジューリング割当リソース指示情報及び多重化方式に基づき、スケジューリング割当情報を送信するために占有されるリソース位置を取得し、スケジューリング割当情報により占有されるリソース位置情報に基づきスケジューリング割当情報を送信して、スケジューリング割当情報を送信するために占有されるリソースが正確に示され又は取得できるよう、及び送信性能が更に向上できるようにする。
【００８９】
スケジューリング割当情報により占有される時間周波数リソース位置は、図３〜図７を参照して以下に詳述される。
【００９０】
図３を参照すると、図３は、D２D通信におけるスケジューリング割当情報の時間周波数リソース位置の概略図である。留意すべきことに、図３に示される時間周波数リソース位置の概略図は、単に説明のための一例として使用され、本発明の実施形態に対する限定を構成しない。D２D通信では、SAは、永久に２回分送信され、データは永久に４回分送信される。図３において、LPSCCHはSAリソースプールの時間ドメイン長（サブフレーム数）を表し、MPSCCH_RPRBはSAリソースプールの周波数ドメイン長を表し、周波数ドメイン長単位はリソースブロック（Resource  Block、RB）である。これらの２つのパラメータはユーザ機器により予め学習されて良い。特定の学習方法はここで限定されず、学習方法についていかなる例も使用されない。
【数１】
2019525648.tif 000003
のとき、SAにより占有される時間周波数リソース位置は、次式を用いて計算を通じて取得される。
【数２】
2019525648.tif 000004
ここで、PSCCHは物理サイドリンク制御チャネル（Physical  Sidelink  Control  Channel、PSCCH）である。nPSCCHはインデックスフィールドにより示される値である。２回の送信について、周波数ドメインリソース位置はそれぞれa１及びa２であり、時間ドメインリソース位置はそれぞれb１及びb２である。時間ドメイン長LPSCCH＝５、及び周波数ドメイン長MPSCCH_RPRB＝４であると仮定すると、インデックスフィールドにより示すことのできる値範囲は０〜９である。インデックスにより示される値、及びSAに対応する時間周波数リソース位置については、図３を参照する。図３の各グリッドに示される数値は、インデックスフィールドにより示される値である。図３から、第１行と第３行との間に並進があり、第３行は第１行の数値を１グリッドだけ右方向に並進させることにより取得され得ること、及び第２行と第４行との間に並進があり、第４行は第１行の数値を２グリッドだけ右方向に並進させることにより取得され得ることが分かる。したがって、第１行及び第２行は、第１SA送信のために占有される時間周波数リソース位置として表されて良く、第３行及び第４行は第２SA送信のために占有される時間周波数リソース位置として表されて良い。
【００９１】
ユーザ機器により受信されたインデックスフィールドにより示される値が３であると仮定すると、以下：a１=０、b１=３、a２=２、及びb２=４が上記の式に従う計算を通じて取得され得る。具体的に言うと、１回のSA送信のために占有される周波数ドメインリソースはRB０、つまり図３のa１であり、時間ドメインリソースはサブフレーム３、つまり図３のb１であり、他の回のSA送信のために占有される周波数ドメインリソースはRB２、つまり図３のa２であり、時間ドメインリソースはサブフレーム４、つまり図３のb２である。
【００９２】
図４に示す第１多重化方式に基づき、スケジューリング割当情報により占有されるリソース位置は、送信回数が１、２、又は４である一例を用いて以下に記載される。
【００９３】
送信回数が１であるとき、D２D通信においてSA時間周波数リソース位置を示す方法が依然として使用されるが、１回のSA送信のための時間周波数リソースだけが使用される。例えば、a１及びb１により示される時間周波数リソース位置が使用される。具体的に、インデックスフィールドにより示される値を学習し及び送信回数が１であることを学習すると、ユーザ機器は、上記の式に従い、２回のSA送信のために占有される周波数ドメインリソース位置a１及びa２並びに時間ドメインリソース位置b１及びb２を計算する。しかしながら、SAはa１及びb１により示されるSAリソースでのみ送信される、又はSAはa２及びb２により示されるSAリソースでのみ送信される。使用されるべきSAリソースを決定する方法では、SAリソースはDCIの中で、例えば１ビットを用いて示されて良く、又はDCIの中の独立フィールドを用いて示されて良く、又はスケジューリング割当リソース指示情報を拡張することにより示されて良い。別の方法では、SAリソースは、RRCシグナリング、例えばRRC専用シグナリング又はシステムメッセージを用いて示されて良い。同様に指示情報はRRCシグナリングに追加されて良い。例えば、SAリソースは１ビットを用いて示されて良い。可能な実装では、指示情報が０であるとき、添え字が１であるSAリソースが示され、指示情報が１であるとき、添え字が２であるSAリソースが示される。指示情報を学習した後に、ユーザ機器は、所要のSAリソースの時間ドメインリソース位置及び周波数ドメインリソース位置だけを計算して良い。例えば、添え字が１であるSAリソースが使用されることを学習すると、ユーザ機器は、インデックスフィールドにより示される値を用いて、a１及びb１のみを計算し、a２及びb２を計算する必要がない。
【００９４】
送信回数が２であるとき、D２D通信におけるSA時間周波数リソース位置を示す方法が依然として使用される。具体的に、インデックスフィールドにより示される値を学習し及び送信回数が２であることを学習すると、ユーザ機器は、上記の式に従い、２回のSA送信のために占有される周波数ドメインリソース位置a１及びa２並びに時間ドメインリソース位置b１及びb２を計算し、これら２つのSAリソース位置でSAを送信する。留意すべきことに、V２V通信における周波数ドメインで２つのRBが１回のSA送信の間占有されて良く、２つのRBはSAリソースプールを再分割するために基本単位として使用されて良い。式中の周波数ドメインパラメータは、２つのRBを基本単位として用いて解釈される必要がある。例えば、MPSCCH_RPRBは、周波数ドメインにけるSAリソースプールの中のRBの数の代わりに、周波数ドメインにおける基本ユニット（２個のRB）の数を表す。２回の送信のためのa１及びa２により示される周波数ドメインリソース位置は、また、２つのRBを粒度として用いて解釈される必要がある。
【００９５】
SA送信回数が４のとき、４回の送信のための時間周波数リソースは、２回のSA送信の指示方法を拡張することにより取得される。具体的に、インデックスフィールドにより示される値を学習し及び送信回数が４であることを学習すると、UEは、以下の方法で、４回のSA送信のための周波数ドメインリソース位置a１−a４及び時間ドメインリソース位置b１−b４を計算する。特定の拡張方法は、次の通りである。
【００９６】
方法１。図４Ａを参照すると、図５Ａは、第１多重化方式における時間周波数リソース位置の概略図である。他の２回の送信のための時間周波数リソース位置を取得するために、時間ドメインにおいて２回の送信のための時間周波数リソース位置に対して一様な空間並進が実行される。例えば、図５Ａの黒いグリッドは、それぞれ、４回のSA送信のために占有されるリソースを表す。最初の２回の送信のために占有されるリソースは、２回の送信のために占有されるリソースである。第３送信のために占有される周波数ドメインリソースは、第１送信のために占有されるものと同じであり、第４送信のために占有される周波数ドメインリソースは第２送信のために占有されるものと同じである。時間ドメインにおいて各２つのリソース間に１サブフレームの差がある（第３送信のために占有される時間ドメインリソースと第１送信のために占有される時間ドメインリソースとの間に１サブフレームの差があり、第４送信のために占有される時間ドメインリソースと第２送信のために占有される時間ドメインリソースとの間に１サブフレームの差がある）。灰色のグリッドは同様であり、時間ドメインにおいてリソース間に３サブフレームの差がある。
【００９７】
最後の２回の送信のための時間周波数リソース位置を計算する式は以下の通りである。
a３=a１、
b３=(２b２−b１)  mod  LPSCCH、
a４=a２、
b１=(２b３−b２)  mod  LPSCCH=(３b２−２b１)  mod  LPSCCH
【００９８】
この方法の利点は、比較的単純且つ僅かな変更であることである。
【００９９】
方法２。図５Ｂを参照すると、図５Ｂは、第１多重化方式における別の時間周波数リソース位置の概略図である。他の３回の送信のための時間周波数リソース位置を取得するために、時間ドメイン及び周波数ドメインにおいて２回の送信のうちの最初のための時間周波数リソース位置に対して一様な空間並進が実行される。例えば、図５Ｂの黒いグリッドは、それぞれ、４回のSA送信のために占有されるリソースを表す。第１送信のためのリソースは、２回の送信のうちの最初のためのリソースであり、各２回の後続の送信のための時間周波数リソース位置の間に１の差がある。
【０１００】
【数３】
2019525648.tif 000005
のとき、４回のSA送信のための時間周波数リソース位置を計算する式は以下の通りである。
【数４】
2019525648.tif 000006
a１'−a４'及びb１'−b４'は、それぞれ、４回の送信のために占有される周波数ドメインリソース位置及び時間ドメインリソース位置を表す。しかしながら、a１及びa２、並びにb１及びb２は、それぞれ、D２D通信における２回の送信のために占有される周波数ドメインリソース位置及び時間ドメインリソース位置を表す。
【０１０１】
方法１と比較すると、方法２の利点は、SA送信回数がそれぞれ２及び４である２つのUEが同じSAリソース指示情報を選択した場合でも、全てのリソースが衝突するという問題が生じないことである。ユーザ機器１のSAが２回送信され、ユーザ機器２のSAが４回送信されると仮定する。２つのユーザ機器が同じSAリソース指示情報を有するとき、
【０１０２】
１。方法１に従い、ユーザ機器１の２回の送信のために使用されるSAリソースは、ユーザ機器２の最初の２回の送信のために使用されるSAリソースと完全に同じであり、リソース衝突が生じる。
【０１０３】
２。方法２によると、前述のリソース衝突問題は生じない。
【０１０４】
方法３。図５Ｃを参照すると、図５Ｃは、第１多重化方式における更に別の時間周波数リソース位置の概略図である。方法２における第２送信及び第３送信のための時間ドメインリソースは不変であり、周波数ドメインリソースは互いに交換されると仮定する。
【０１０５】
【数５】
2019525648.tif 000007
のとき、４回のSA送信のための時間周波数リソース位置を計算する式は以下の通りである。
【数６】
2019525648.tif 000008
ここで、a１'−a４'及びb１'−b４'は、それぞれ、４回の送信のために占有される周波数ドメインリソース位置及び時間ドメインリソース位置を表す。しかしながら、a１及びa２、並びにb１及びb２は、それぞれ、D２D通信における２回の送信のために占有される周波数ドメインリソース位置及び時間ドメインリソース位置を表す。
【０１０６】
方法１と比較すると、方法３の利点は、２つのユーザ機器のSA送信回数は両方とも４であるが、２つのユーザ機器が異なるSAリソース指示情報を選択し、確実にリソース衝突が生じないことである。ユーザ機器１のSA及びユーザ機器２のSAが両方とも４回送信されると仮定する。２つのユーザ機器が異なるSAリソース指示情報を有するとき、
【０１０７】
１。方法１によると、ユーザ機器１及びユーザ機器２の２回のSA送信のために、依然として同じリソースが使用されることがあり、衝突が生じる。例えば、ユーザ機器１の第３SA送信及び第４SA送信のために使用されるリソースは、ユーザ機器２の第１SA送信及び第２SA送信のために使用されるリソースと同じである。
【０１０８】
２。方法３によると、前述のリソース衝突問題は生じない。
【０１０９】
方法４。図５Ｄを参照すると、図５Ｄは、第１多重化方式における更に別の時間周波数リソース位置の概略図である。異なる時間ドメイン送信間隔が、異なる送信回数に割り当てられる。例えば、時間ドメイン間隔は２回の送信では１又は２であって良く、時間ドメイン間隔は４回の送信では３であって良い。
【０１１０】
【数７】
2019525648.tif 000009
のとき、４回のSA送信のための時間周波数リソース位置を計算する式は以下の通りである。
【数８】
2019525648.tif 000010
ここで、offsetはオフセットを表し、少なくとも１の正整数であり、a１'−a４'及びb１'−b４'は、それぞれ４回の送信のために占有される周波数ドメインリソース位置及び時間ドメインリソース位置を表し、a１、a２及びb１、b２は、それぞれD２D通信における２回の送信のために占有される周波数ドメインリソース位置及び時間ドメインリソース位置を表す。
【０１１１】
方法１、方法２、及び方法３と比較すると、方法４の利点は、SA送信回数がそれぞれ２及び４である２つのユーザ機器が同じSAリソース指示情報を選択した場合でも半二重問題が生じない、したがって、送信回数が４であるユーザ機器は送信回数が２であるユーザ機器のSAを全く受信しないことである。ユーザ機器１のSAが４回送信され、ユーザ機器２のSAが２回送信されると仮定する。２つのユーザ機器が同じSAリソース指示情報を有するとき、
【０１１２】
１。方法１、方法２、及び方法３によると、ユーザ機器１の最初の２回の送信及びユーザ機器２の２回の送信のために、同じ時間ドメインリソースが使用される。ユーザ機器は送信及び受信を同時に実行できないので、ユーザ機器１はユーザ機器２の２回のSA送信を逃す。
【０１１３】
２。方法４によると、前述の半二重問題は生じない。送信回数が４であるユーザ機器は、送信回数が２であるユーザ機器のSAを受信する少なくとも１回の機会を有する。
【０１１４】
方法５。方法１〜方法４の全ての送信回の間、時間ドメインは不変であり、周波数ドメインは対称的であると仮定する。方法４が一例として用いられる。図５Ｅを参照すると、図５Ｅは、第１多重化方式におけるまた更に別の時間周波数リソース位置の概略図である。
【０１１５】
４回のSA送信のための時間周波数リソース位置を計算する式は以下の通りである。
【数９】
2019525648.tif 000011
a１'−a４'及びb１'−b４'は、それぞれ、方法１〜方法４における４回の送信のための周波数ドメインリソース位置及び時間ドメインリソース位置を表す。a１''−a４''及びb１''−b４''は、それぞれ、方法５における４回の送信のための周波数ドメインリソース位置及び時間ドメインリソース位置を表す。
【０１１６】
図６に示す第２多重化方式に基づき、スケジューリング割当情報により占有されるリソース位置は、送信回数が１、２、又は４である一例を用いて以下に記載される。
【０１１７】
方法１。図４に示される第１多重化方式におけるSAリソース指示情報が再使用されるが、SAリソース指示情報内の周波数ドメインリソース情報のみが使用される。具体的に、図１に示される第１多重化方式におけるSAリソース指示情報は、SAを送信するために占有される時間ドメインリソース位置及び周波数ドメインリソース位置を示す。ここでは、SAリソース指示情報内の周波数ドメインリソース位置情報が重要であり、時間ドメインリソース位置情報は無視されると考えられるだけである。例えば、SAは４回送信され、SAリソース指示情報により示されるリソースは以下の図に示される。時間ドメインリソース位置は、第０時間ドメインリソース、第１時間ドメインリソース、第２時間ドメインリソース、及び第３時間ドメインリソースであり、周波数ドメインリソース位置は、第０周波数ドメインリソース、第２周波数ドメインリソース、第１周波数ドメインリソース、及び第３周波数ドメインリソースである。ユーザ機器は、周波数ドメインリソース位置情報のみを使用し、４回のSA送信のための周波数ドメインリソース位置が第０周波数ドメインリソース、第２周波数ドメインリソース、第１周波数ドメインリソース、及び第３周波数ドメインリソースであると決定し、時間ドメインリソース位置情報を無視する。
【０１１８】
方法１の利点は簡易性であり、図４に示される第１多重化方式におけるSAリソース指示情報は直接再使用され、情報に対するいかなる変化も行う必要を伴わない。ユーザ機器が情報を解釈するとき、幾つかの相違点があるだけである。
【０１１９】
方法２。SAリソース指示情報が周波数ドメインリソース情報のみを示すように、SAリソース指示情報を再定義する。
【０１２０】
（１）全ての送信回のための周波数ドメインリソースの間には固定的な関係がある。言い換えると、第１送信のための周波数ドメインリソースが決定されると、後続の送信のための周波数ドメインリソースが相応して決定される。可能な実装では、各２回の送信のための周波数ドメインリソースの間には固定的な関係がある。周波数ドメインにおいて４個のSAリソースがあり、SAは４回送信され、SAリソースはそれぞれ第０SAリソース、第１SAリソース、第２SAリソース、及び第３SAリソース、として示されると仮定する。間隔が０であるとき、各送信回のために使用される周波数ドメインリソースは、第１送信のために使用される周波数ドメインリソースと同じである。例えば、第２SAリソースは第１送信のために使用され、したがって第２SAリソースは第２送信、第３送信、及び第４送信のためにも使用される。間隔が１であるとき、各送信回のために使用されるリソース位置は、前の送信のためのリソース位置に１を追加することにより取得される。リソース位置が範囲を超えると、サイクルが繰り返される。例えば、第２SAリソースは第１送信のために使用され、したがって第３SAリソース、第０SAリソース、及び第１SAリソースは第２送信、第３送信、及び第４送信のために使用される。４回の送信は、前述の説明において一例として使用された。別の送信回数が存在する場合は同様である。例えば、送信回数が２であるとき、第１送信及び第２送信のための周波数ドメインリソース位置及び間隔が考慮される必要があるだけである。
【０１２１】
全部の送信回のための周波数ドメインリソース位置の間には固定的な関係があるので、後続の送信のための周波数ドメインリソース位置は、第１送信のための周波数ドメインリソース位置により決定される。この場合、SAリソース指示情報は、第１送信のための周波数ドメインリソース位置を示す必要があるだけである。例えば、SAリソース指示情報が０であるとき、これは、第０周波数ドメインリソースが第１送信のために使用されることを示し、SAリソース指示情報が１であるとき、これは、第１周波数ドメインリソースが使用されることを示す。
【０１２２】
（２）全ての送信回のための周波数ドメインリソースの間に固定的な関係がない。言い換えると、任意の周波数ドメインリソースが各送信回のために使用されて良い。各サブフレーム内にM個のSAリソースが存在し、SAはK回送信される必要がり、第(si)リソースが第ｉ送信のために選択され、i=０、１、．．．、K−１、及びsi=０、１、．．．、M−１であると仮定する。第１の可能な実装では、SAリソース指示情報はΣK−１i=０  siMiとして定められる。例えば、各サブフレーム内に３個のSAリソースがあり（M=３）、SAは４回送信される必要があり（K=４）、第０リソース、第１リソース、第２リソース、及び第２リソース（s０=０、s１=１、s２=２、s３=２）はそれぞれ第１送信〜第４送信のために選択され、SAリソース指示情報は０・３０＋１・３１＋２・３２＋２・３３＝７５である。ネットワーク装置はユーザ機器へ情報を送信する。情報を受信した後、ユーザ機器は、情報K及びMに基づき、各送信回のための周波数ドメインリソース位置を計算して良い。以下のステップが使用されて良い。
（ｉ）
【数１０】
2019525648.tif 000012
したがって、第２リソース（s３）が第４送信のために使用され、７５mod３３=２１である。
（ｉｉ）
【数１１】
2019525648.tif 000013
したがって、第２リソース（s２）が第３送信のために使用され、２１mod３２=３である。
（ｉｉｉ）
【数１２】
2019525648.tif 000014
したがって、第１リソース（s１）が第２送信のために使用され、３mod３１=０である。
（ｉｖ）
【数１３】
2019525648.tif 000015
したがって、第０リソース（s０）が第１送信のために使用される。
【０１２３】
送信回数が２であるとき、ステップ（ｉｉｉ）及びステップ（ｉｖ）が使用される、又は送信回数が１であるとき、ステップ（ｉｖ）だけが使用される、等である。
【０１２４】
別の可能な実装では、SAリソース指示情報はΣK−１i=０  siMK−１−iとして定められる。例えば、各サブフレーム内に３個のSAリソースがあり（M=３）、SAは４回送信される必要があり（K=４）、第０リソース、第１リソース、第２リソース、及び第２リソース（s０=０、s１=１、s２=２、s３=２）はそれぞれ第１送信〜第４送信のために選択され、SAリソース指示情報は０・３３＋１・３２＋２・３１＋２・３０＝１７である。ネットワーク装置はユーザ機器へ情報を送信する。情報を受信した後、ユーザ機器は、情報K及びMに基づき、各送信回のための周波数ドメインリソース位置を計算して良い。以下のステップが使用されて良い。
（ｉ）
【数１４】
2019525648.tif 000016
したがって、第０リソース（s０）が第１送信のために使用され、１７mod３３=１７である。
（ｉｉ）
【数１５】
2019525648.tif 000017
したがって、第１リソース（s１）が第２送信のために使用され、１７mod３２=８である。
（ｉｉｉ）
【数１６】
2019525648.tif 000018
したがって、第２リソース（s２）が第３送信のために使用され、２mod３１=２である。
（ｉｖ）
【数１７】
2019525648.tif 000019
したがって、第２リソース（s３）が第４送信のために使用される。
【０１２５】
送信回数が２であるとき、ステップ（ｉ）及びステップ（ｉｉ）が使用される、又は送信回数が１であるとき、ステップ（ｉ）だけが使用される、等である。
【０１２６】
D２D通信におけるDCIでは、インデックスフィールドは６ビットであり、最大６４個（２６）の異なる可能性をサポートして良く、最大６４個の異なる値を示し得る。しかしながら、前述の計算では、SAリソース指示情報はより大きな値を有し得ることに留意する。ある方法では、より多くのビット、例えば７又は８ビットが、SAリソース指示情報に割り当てられる。別の方法では、SAリソース指示情報のために依然として６ビットが使用される。しかしながら、以下の（３）に記載する方法が使用される。
【０１２７】
（３）全ての送信回のための幾つかの周波数ドメインリソースの間には固定的な関係がある。可能な実装では、比較的少数の送信回数のための周波数ドメインリソース位置は、（２）を用いて定められ、より多数の送信回数のための周波数ドメインリソース位置は繰り返し拡張を実行することにより取得される。例えば、３以下の送信回数では、周波数ドメインリソース位置は（２）を用いて定められる（可能性の合計数は６４より少なく、６ビットが依然として使用されて良い）。送信回数が３より多いとき、超過送信のための周波数ドメインリソース位置は、最初の３回の送信のための周波数ドメインリソース位置を用いて取得されて良い（例えば、繰り返し又は対称的）。送信回数が４であるとき、第４送信のために使用される周波数ドメインリソースは、第１送信のためのものと同じである、又は、同じ周波数ドメインリソースが第４送信及び第３送信のために使用される、等である。
【０１２８】
図７に示される第３多重化方式に基づき、データが周波数ドメインにおいて連続するRBを占有するとき、SAリソース指示情報は、SAの位置する特定側のデータを示す（例えば、SAがデータの上流又は下流にあるかを示す）ために使用されて良い。送信回数が１より多いとき、全ての送信回のためのSA周波数ドメインリソースの相対位置の間には固定的な関係があって良く、後続のSA送信のための相対位置は、第１SA送信のための相対位置により完全に決定されて良い。可能な実装では、同じ相対位置が各送信回のために使用される。例えば、第１送信でSAがデータの上流側にあるとき、各後続の送信ではSAはデータの上流側にある。別の可能な実装では、各送信回は固定モードを有する。SAが４回送信されると仮定する。SAが第１送信のデータの上流側にあるとき、第２送信、第３送信、及び第４送信のためのデータに対する位置は、それぞれ、下流側、上流側、及び下流側、等である。送信回数が１より多いとき、全ての送信回のためのSA周波数ドメインリソースの相対位置の間に固定的な関係は存在しなくて良い。言い換えると、各送信回で、SAはデータに対して上流側にあって良く又は下流側にあって良いが、SAが各送信回で上流側に又は下流側にあるかは、SAリソース指示情報を用いて完全に示される。例えば、SAが４回送信されるとき、データに対する各SA送信回の周波数ドメイン相対位置を示すために、SAリソース指示情報の中で４ビットが使用されて良い。別の送信回数が存在する場合は同様である。例えば、送信回数が２であるとき、前述の説明における最初の２回の送信が考慮されるだけである。
【０１２９】
データが周波数ドメインにおいて不連続なRBを占有するとき、SAリソース指示情報は、SAにより使用される１又は複数のSAリソースを示すために使用されて良い。データが連続する周波数ドメインリソースのうちの２つの部分を占有するとき、３個のSAリソースが使用されて良く、０、１、及び２と番号付けされて良い。SAリソース指示情報は、中央のSAリソース（SAリソース１）が使用されることを示す。送信回数が１より多いとき、全ての送信回のためのSA周波数ドメインリソースの相対位置の間に固定的な関係が存在して良い。後続のSA送信の相対位置は、第１SA送信の相対位置により完全に決定されて良い。代替として、固定的な関係が存在しなくて良い。言い換えると、任意のSAリソースが、各SA送信回のために使用されて良く、これはSAリソース指示情報により示される。特定の指示方法については、図６に示される第２多重化方式における方法２を参照する。別の送信回数が存在する場合は同様である。例えば、送信回数が２であるとき、前述の説明における最初の２回の送信が考慮されるだけである。
【０１３０】
留意すべきことに、SA周波数ドメインリソース及びデータ周波数ドメインリソースの相対位置も固定されて良い。例えば、SAは、データが連続するRBを占有するか否かに拘わらず、一番上のSAリソースを使用する。これは、プロトコルにおいて固定されて良く、又はユーザ機器において事前設定されて良く、又はRRCシグナリング（システムブロードキャスト、RRC専用シグナリング、等）を用いてネットワーク装置により構成されて良い。この場合、SAリソース指示情報は指示を与える必要がない。
【０１３１】
以上は、主に、本発明の実施形態にけるソリューションを装置間の相互作用の観点から記載した。前述の機能を実装するために、ユーザ機器又はネットワーク装置のような各装置は、各機能を実行するための対応するハードウェア構造及び／又はソフトウェアモジュールを含むことが理解され得る。当業者は、本願明細書に開示された実施形態に記載された例のユニット及びアルゴリズムステップを参照して、本発明がハードウェア又はハードウェア及びコンピュータソフトウェアの組み合わせの形式で実装できることに容易に気付くべきである。機能がハードウェア又はコンピュータソフトウェアにより駆動されるハードウェアにより実行されるかは、技術的ソリューションの特定の適用及び設計制約条件に依存する。当業者は、各々の特定の適用について記載の機能を実施するために異なる方法を使用できるが、実装が本発明の範囲を超えると考えられるべきではない。
【０１３２】
本発明の実施形態では、機能ユニット分割は、前述の方法の例に基づき、ユーザ機器、ネットワーク装置、等において実行されて良い。例えば、各機能ユニットは、対応する機能に基づく分割を通じて得られて良く、又は、２以上の機能が１つの処理モジュールに統合されて良い。統合ユニットは、ハードウェアの形式で実装されて良く、又はソフトウェア機能ユニットの形式で実装されて良い。留意すべきことに、本発明の実施形態における部ニット分割は一例であり、単なる論理的な機能分割である。実際の実装においては別の分割方法があり得る。
【０１３３】
図８Ａは、前述の実施形態におけるユーザ機器の可能な概略構造図を示す。ユーザ機器５００は、処理ユニット５０１、受信ユニット５０２、及び送信ユニット５０３を含む。
【０１３４】
処理ユニット５０１は、多重化方式を取得するよう構成される。多重化方式は、スケジューリング割当情報を送信するための時間周波数リソースと、データ情報を送信するための時間周波数リソースとの間の関係を示すために使用される。
【０１３５】
受信ユニット５０２は、ネットワーク装置により送信されるダウンリンク制御情報を受信するよう構成される。ダウンリンク制御情報は、スケジューリング割当リソース指示情報を含む。
【０１３６】
処理ユニット５０１は、スケジューリング割当リソース指示情報及び多重化方式に基づき、スケジューリング割当情報を送信するために占有されるリソース位置情報を取得するよう更に構成される。
【０１３７】
送信ユニット５０３は、リソース割当情報により占有されるリソース位置情報に基づき、スケジューリング割当情報を送信するよう構成される。
【０１３８】
多重化方式は、第１多重化方式、第２多重化方式、及び第３多重化方式のうちの少なくとも１つを含み、第１多重化方式は、スケジューリング割当情報を送信するための時間ドメインリソースがデータ情報を送信するための時間ドメインリソースと異なることを示し、第２多重化方式は、スケジューリング割当情報を送信するための時間ドメインリソースがデータ情報を送信するための時間ドメインリソースと同じであり且つスケジューリング割当情報を送信するための周波数ドメインリソースがデータ情報を送信するための周波数ドメインリソースに隣接しないことを示し、第３多重化方式は、スケジューリング割当情報を送信するための時間ドメインリソースがデータ情報を送信するための時間ドメインリソースと同じであり且つスケジューリング割当情報を送信するための周波数ドメインリソースがデータ情報を送信するための周波数ドメインリソースに隣接することを示す。
【０１３９】
多重化方式が第１多重化方式である場合、スケジューリング割当リソース指示情報は、スケジューリング割当情報を送信するために占有される時間ドメインリソース位置及び周波数ドメインリソース位置を示すために使用される、又は、多重化方式が第２多重化方式である場合、スケジューリング割当リソース指示情報は、スケジューリング割当情報を送信するために占有される周波数ドメインリソース位置を示すために使用される、又は、多重化方式が第３多重化方式である場合、スケジューリング割当リソース指示情報は、スケジューリング割当情報を送信するために占有される周波数ドメインリソース位置とデータ情報を送信するために占有される周波数ドメインリソース位置との間の関係を示すために使用される。
【０１４０】
多重化方式が第１多重化方式である場合、処理ユニット５０１は、スケジューリング割当リソース指示情報及び第１多重化方式に基づき、スケジューリング割当情報を送信するために占有される時間ドメインリソース位置及び周波数ドメインリソース位置を取得するよう構成される。
【０１４１】
多重化方式が第２多重化方式である場合、処理ユニット５０１は、スケジューリング割当リソース指示情報及び第２多重化方式に基づき、スケジューリング割当情報を送信するために占有される周波数ドメインリソース位置を取得するよう構成される。
【０１４２】
処理ユニット５０１は、データ情報を送信するために占有される時間ドメインリソース位置を取得し、データ情報を送信するために占有される時間ドメインリソース位置がスケジューリング割当情報を送信するために占有される時間ドメインリソース位置であると決定するよう更に構成される。
【０１４３】
多重化方式が第３多重化方式である場合、処理ユニット５０１は、データ情報を送信するために占有される時間ドメインリソース位置及び周波数ドメインリソース位置を取得し、データ情報を送信するための時間ドメインリソース位置がスケジューリング割当情報を送信するために占有される時間ドメインリソース位置であると決定するよう構成される。
【０１４４】
処理ユニット５０１は、スケジューリング割当リソース指示情報、第３多重化方式、及びデータ情報の周波数ドメインリソース位置に基づき、スケジューリング割当情報を送信するために占有される周波数ドメインリソース位置を取得するよう更に構成される。
【０１４５】
ダウンリンク制御情報は送信品質指示情報を更に含み、送信品質指示情報は、スケジューリング割当情報の送信回数が少なくとも１回であることを示すために使用され、スケジューリング割当リソース指示情報は、少なくとも１回の各々でスケジューリング割当情報を送信するために占有されるリソース位置情報を示すために使用される。
【０１４６】
処理ユニット５０１は、ネットワーク装置により送信された受信した多重化指示情報に基づき多重化方式を取得するよう構成され、多重化指示情報は多重化方式を示すために使用される、又は、処理ユニットは、事前設定情報に基づき多重化方式を取得するよう構成され、事前設定情報は多重化方式を示すために使用される。
【０１４７】
留意すべきことに、処理ユニット５０１は、図２に示される実施形態におけるステップ１０２及び１０５を実行するよう構成され、受信ユニット５０２は、図２に示される実施形態におけるステップ１０４を実行するよう構成され、送信ユニット５０３は、図２に示される実施形態におけるステップ１０６を実行するよう構成される。
【０１４８】
処理ユニット５０１は、プロセッサ又はコントローラであって良く、例えば、中央処理ユニット（Central  Processing  Unit、CPU）、汎用プロセッサ、デジタル信号プロセッサ（Digital  Signal  Processor、DSP）、特定用途向け集積回路（Application−specific  Integrated  Circuit、ASIC）、フィールドプログラマブルゲートアレイ（Field  Programmable  Gate  Array、FPGA）又は別のプログラマブル論理コンポーネント、トランジスタ論理コンポーネント、ハードウェアコンポーネント、又はそれらの任意の組み合わせであって良い。処理ユニット５０１は、本発明において開示された内容を参照して記載された種々の例示的な論理ブロック、モジュール及び回路を実装し又は実行して良い。代替として、プロセッサは、コンピューティング機能を実装する組み合わせ、例えば、１又は複数のプロセッサを含む組み合わせ、又はDSP及びマイクロプロセッサの組み合わせであって良い。受信ユニット５０２及び送信ユニット５０３は、通信機、通信機回路、通信モジュール、等であって良い。
【０１４９】
処理ユニット５０１がプロセッサであり、受信ユニット５０２及び送信ユニット５０３が通信モジュールであるとき、本発明の実施形態におけるユーザ機器は、図８に示すユーザ機器であって良い。
【０１５０】
図８Ｂに示すように、ユーザ機器５１０は、電源５１１、ユーザインタフェース５１２、通信モジュール５１３、プロセッサ５１４、ディスプレイシステム５１５、検知システム５１６、及びオーディオシステム５１７を含む。留意すべきことに、ユーザ機器５１０は、図１Ａの端末を表して良く、又は自動車、非自動車、路上の別の通信装置、又は高機能家庭用機器のような電子装置を表して良い。図８Ｂに示されるユーザ機器の構造は、本発明の実施形態に対する限定を構成しない。
【０１５１】
電源５１１は、ユーザ機器５１０の種々の機能を実施するための電力を生成する。ユーザインタフェース５１２は、別の装置又は機器とユーザ機器５１０との間の通信又はデータ送信を実施するために、ユーザ機器５１０及び別の装置又は機器を接続するよう構成される。通信モジュール５１３は、ユーザ機器５１０と、基地局及び衛星のようなネットワーク側装置との間の通信又はデータ送信を実施するよう構成され、ユーザ機器５１０と他のユーザ機器との間の通信又はデータ送信を実施するよう更に構成される。本発明の実施形態では、通信モジュール５１３は、図８Ａに示される受信ユニット５０２及び送信ユニット５０３の機能を実施するよう構成される。プロセッサ５１４は、本発明において開示された内容を参照して記載された種々の例示的な論理ブロック、モジュール及び回路を実装し又は実行して良い。本発明の実施形態では、プロセッサ５１３は、図８Ａに示される処理ユニット５０１の機能を実施するよう構成される。ディスプレイシステム５１５は、情報を出力し及び表示し、ユーザ入力操作を受信するよう構成される。送信システム５１６は、温度センサ、距離センサ、等のような種々のセンサを含む。オーディオシステム５１７は、オーディオ信号を出力するよう構成される。
【０１５２】
図９Ａは、前述の実施形態におけるネットワーク装置の可能な概略構造図を示す。ネットワーク装置６００は、処理ユニット６０１及び送信ユニット６０２を含む。
【０１５３】
処理ユニット６０１は、ユーザ機器のために多重化方式を構成するよう適応される。多重化方式は、スケジューリング割当情報を送信するための時間周波数リソースと、データ情報を送信するための時間周波数リソースとの間の関係を示すために使用される。
【０１５４】
送信ユニット６０２は、多重化方式に基づきユーザ機器へダウンリンク制御情報を送信するよう構成される。ダウンリンク制御情報はスケジューリング割当リソース指示情報を含み、スケジューリング割当リソース指示情報はスケジューリング割当情報を送信するために占有されるリソース位置情報を示すために使用される。
【０１５５】
多重化方式は、第１多重化方式、第２多重化方式、及び第３多重化方式のうちの少なくとも１つを含み、第１多重化方式は、スケジューリング割当情報を送信するための時間ドメインリソースがデータ情報を送信するための時間ドメインリソースと異なることを示し、第２多重化方式は、スケジューリング割当情報を送信するための時間ドメインリソースがデータ情報を送信するための時間ドメインリソースと同じであり且つスケジューリング割当情報を送信するための周波数ドメインリソースがデータ情報を送信するための周波数ドメインリソースに隣接しないことを示し、第３多重化方式は、スケジューリング割当情報を送信するための時間ドメインリソースがデータ情報を送信するための時間ドメインリソースと同じであり且つスケジューリング割当情報を送信するための周波数ドメインリソースがデータ情報を送信するための周波数ドメインリソースに隣接することを示す。
【０１５６】
多重化方式が第１多重化方式である場合、スケジューリング割当リソース指示情報は、スケジューリング割当情報を送信するために占有される時間ドメインリソース位置及び周波数ドメインリソース位置を示すために使用される、又は、多重化方式が第２多重化方式である場合、スケジューリング割当リソース指示情報は、スケジューリング割当情報を送信するために占有される周波数ドメインリソース位置を示すために使用される、又は、多重化方式が第３多重化方式である場合、スケジューリング割当リソース指示情報は、スケジューリング割当情報を送信するために占有される周波数ドメインリソース位置とデータ情報を送信するために占有される周波数ドメインリソース位置との間の関係を示すために使用される。
【０１５７】
ダウンリンク制御情報は送信品質指示情報を更に含み、送信品質指示情報は、スケジューリング割当情報の送信回数が少なくとも１回であることを示すために使用され、スケジューリング割当リソース指示情報は、少なくとも１回の各々でスケジューリング割当情報を送信するために占有されるリソース位置情報を示すために使用される。
【０１５８】
送信ユニット６０２は、多重化方式に基づきユーザ機器へ多重化指示情報を送信するよう更に構成される。多重化指示情報は、多重化方式を示すために使用される。
【０１５９】
留意すべきことに、処理ユニット６０１は、図２に示される実施形態におけるステップ１０１を実行するよう構成され、送信ユニット６０２は、図２２に示される実施形態におけるステップ１０３を実行するよう構成される。
【０１６０】
処理ユニット６０２は、プロセッサ又は制御部であって良く、例えばCPU、汎用プロセッサ、DSP、ASIC、FPGA、又は別のプログラマブル論理装置、トランジスタ論理装置、ハードウェアコンポーネント、又はそれらの任意の組み合わせであって良い。処理ユニット６０１は、本発明において開示された内容を参照して記載された種々の例示的な論理ブロック、モジュール及び回路を実装し又は実行して良い。代替として、プロセッサは、コンピューティング機能を実装する組み合わせ、例えば、１又は複数のプロセッサを含む組み合わせ、又はDSP及びマイクロプロセッサの組み合わせであって良い。送信ユニット６０２は、通信機、通信機回路、通信インタフェース、等であって良い。
【０１６１】
処理ユニット６０１がプロセッサであり、送信ユニット６０２が通信機であるとき、本発明の実施形態におけるネットワーク装置は、図９Ｂに示すネットワーク装置であって良い。
【０１６２】
図９Ｂを参照すると、ネットワーク装置６１０は、プロセッサ６１１、通信機６１２、及びアンテナを含む。留意すべきことに、実際の適用では、通信機６１２の数は２に限定されず、アンテナの数は２に限定されず、及びネットワーク装置６１０の構造は本発明の実施形態において限定を構成しない。
【０１６３】
プロセッサ６１０は、主に、４個のコンポーネント：セル制御部、音声チャネル制御部、シグナリングチャネル制御部、及び拡張用マルチポートインタフェースを含む。プロセッサ６１０は、全ての移動通信インタフェースの管理を担い、主に無線チャネル割当、解放、及び管理を担う。プロセッサ６１０は、本発明の実施形態において図９Ａに示される処理ユニット６０１の機能を実施するよう構成される。通信機６１２は、受信機及び送信機を含む。ユーザ機器は、送信機を用いてアップリンクデータを送信し、及び受信機を用いてダウンリンクデータを受信して良い。通信機６１２は、本発明の実施形態において図９Ａに示される送信ユニット６０２の機能を実施するよう構成される。
【０１６４】
本発明の一実施形態は、コンピュータ記憶媒体であって、ユーザ機器により使用されるコンピュータソフトウェア命令を記憶するよう構成され、コンピュータソフトウェア命令は前述の態様を実行するために設計されたプログラムを含む、コンピュータ記憶媒体を更に提供する。
【０１６５】
本発明の一実施形態は、コンピュータ記憶媒体であって、ネットワーク装置により使用されるコンピュータソフトウェア命令を記憶するよう構成され、コンピュータソフトウェア命令は前述の態様を実行するために設計されたプログラムを含む、コンピュータ記憶媒体を更に提供する。
【０１６６】
本発明の一実施形態は、スケジューリング割当情報送信システムであって、図８Ａに示されるユーザ機器及び図９Ａに示されるネットワーク装置、又は図８Ｂに示されるユーザ機器及び図９Ｂに示されるネットワーク装置を含むスケジューリング割当情報送信システムを更に提供する。
【０１６７】
留意すべきことに、説明を簡単にするために、前述の方法の実施形態は、一連の動作として表現された。しかしながら、当業者は、本発明に従い幾つかのステップが他の順序で又は同時に実行されて良いので、本発明が記載の動作順序に限定されないことを理解すべきである。さらに、当業者は、本願明細書に記載の全ての実施形態は好適な実施形態であり、関連する動作及びモジュールは必ずしも本発明に必須ではないことも理解すべきである。
【０１６８】
前述の実施形態では、各実施形態の記載はそれぞれの焦点を有する。ある実施形態において詳細に記載されない部分については、他の実施形態における関連する記載を参照する。
【０１６９】
本発明の実施形態における方法のステップは、実際の要件に基づき、連続的に隣接され、結合され、又は削除されて良い。
【０１７０】
本発明の実施形態における機器のユニットは、実際の要件に基づき、結合され及び削除されて良い。当業者は、本願明細書に記載の異なる実施形態及び異なる実施形態の特徴を統合し又は結合して良い。
【０１７１】
前述の実施形態の記載により、当業者は、本発明がハードウェア、ファームウェア、又はそれらの組み合わせにより実装され得ることを明らかに理解し得る。本発明がソフトウェアにより実装されるとき、前述の機能は、コンピュータ可読媒体に格納され、又はコンピュータ可読媒体の中の１又は複数の命令又はコードとして送信されて良い。コンピュータ可読媒体は、コンピュータ記憶媒体及び通信媒体を含み、通信媒体はコンピュータプログラムをある場所から別の場所へ送信させることを可能にする任意の媒体を含む。記憶媒体は、コンピュータにとってアクセス可能な任意の利用可能な媒体であって良い。以下は一例として使用されるが限定されない。コンピュータ可読媒体は、ランダムアクセスメモリ（Random  Access  Memory、RAM）、読み出し専用メモリ（Read−Only  Memory、ROM）、電気的消去可能プログラマブル読み出し専用メモリ（Electrically  Erasable  Programmable  Read−Only  Memory、EEPROM）、コンパクトディスク読み出し専用メモリ（Compact  Disc  Read−Only  Memory、CD−ROM）、又は他の光ディスク記憶装置、ディスク記憶媒体若しくは他のディスク記憶装置、又はコマンド若しくはデータ構造形式で期待されるプログラムコードを運び若しくは格納するために使用可能な且つコンピュータによりアクセス可能な任意の他の媒体を含み得る。さらに、任意の接続は、コンピュータ可読媒体として適切に定められて良い。例えば、ソフトウェアが、同軸ケーブル、光ファイバ／ケーブル、ツイストペア、デジタル加入者線（Digital  Subscriber  Line、DSL）、又は、赤外線、無線、及びマイクロ波のような無線技術を用いて、ウェブサイト、サーバ、又は他のリモートソースから送信される場合、同軸ケーブル、光ファイバケーブル、ツイストペア、DSL、又は、赤外線、無線、及びマイクロ波のような無線技術は、それらの属する媒体の固定に含まれる。例えば、本発明において使用されるディスク（Disk）及びディスク（disc）は、コンパクトディスク（CD）、レーザディスク、光ディスク、デジタルバーサタイルディスク（DVD）、フロッピーディスク、ブルーレイディスクを含む。ディスクは、通常、機械的手段によりデータを複製し、ディスクはレーザ手段により光学的にデータを複製する。前述の組合せも、コンピュータ可読媒体の保護範囲に含まれるべきである。
【０１７２】
まとめると、以上に記載されたものは、本発明の技術的ソリューションの単なる例示的な実施形態であり、本発明の保護範囲を限定することを意図しない。本発明の精神及び原理から逸脱することなく行われる変更、等価置換、又は改良は、本発明の保護範囲に含まれるべきである。
【図１Ａ】
2019525648.tif 000020
【図１Ｂ】
2019525648.tif 000021
【図２】
2019525648.tif 000022
【図３】
2019525648.tif 000023
【図４】
2019525648.tif 000024
【図５Ａ】
2019525648.tif 000025
【図５Ｂ】
2019525648.tif 000026
【図５Ｃ】
2019525648.tif 000027
【図５Ｄ】
2019525648.tif 000028
【図５Ｅ】
2019525648.tif 000029
【図６】
2019525648.tif 000030
【図７】
2019525648.tif 000031
【図８Ａ】
2019525648.tif 000032
【図８Ｂ】
2019525648.tif 000033
【図９Ａ】
2019525648.tif 000034
【図９Ｂ】
2019525648.tif 000035
【手続補正書】
【提出日】平成31年3月1日(2019.3.1)
【手続補正１】
【補正対象書類名】明細書
【補正対象項目名】全文
【補正方法】変更
【補正の内容】
【発明の詳細な説明】
【技術分野】
【０００１】
本発明は、通信技術の分野に関し、特にスケジューリング割当情報送信方法及びシステム並びに装置に関する。
【背景技術】
【０００２】
装置間（Device−to−Device、D２D）通信は、２つのピア端末が基地局を使用することなく互いに直接通信する通信モードである。基地局は、端末間の直接通信を支援するために、リソース構成、スケジューリング、調整、等を実行して良い。D２D通信は、２つの特性：発見（Discovery）及び通信（Communication）を含む。Discoveryは、端末が周期的に情報をブロードキャストして、端末の周囲にいる端末が情報を検出し端末を発見するようにすることを意味する。Communicationは、直接データ送信が端末間で実行され、スケジューリング割当（Scheduling  Assignment、SA）＋データ（Data）のメカニズムが使用されることを意味する。SAは、送信端により送信されたデータの状態情報を示すために使用される。状態情報は、データの時間周波数リソース情報、変調及び符号化方式（Modulation  and  Coding  Scheme、MCS）情報、周波数ホッピング指示情報、タイミングアドバンス情報、及び受信グループID情報、等を含み、受信端がSAにより示された構成に基づきサービスデータを受信できるようにする。データは、SAにより示された時間周波数リソース情報に基づく且つSAにより示されたフォーマットの、送信端により送信されたサービスデータである。
【０００３】
D２D通信を実行する端末が基地局のカバレッジ領域内にある場合、基地局は、端末のために送信リソースプール（例えば、SAリソースプール及びデータリソースプール）を構成して、端末がD２D通信のデータ送信を実行するようにする。端末は、リソースプールの中の端末のために基地局により構成された時間周波数リソースを用いてD２D送信を実行して良く、又はD２D送信のために構成されたリソースから時間周波数リソースを独立に且つランダムに選択して良い。
【０００４】
車のインターネット（Internet  of  Vehicles、IOV）は、車車間（Vehicle−to−Vehicle、V２V）、路車間（Vehicle−to−Road、V２R）、車対インターネット（vehicle−to−Internet、V２I）、車対人間（Vehicle−to−Human、V２H）、等の相互接続及び連携を実施し得る。現在、セルラネットワーク技術は車のインターネットにおけるV２V通信のために使用され、基地局が完全に送信リソースを動的にスケジューリングするために使用され得るように、通信衝突確率が低減され、及び遅延制御不可能の問題が解決されるようにする。基地局支援に基づく車のインターネットでは、基地局は、主に、送信リソース構成、干渉調整、等を実行する。車のインターネットシステムにおける車車間通信は端末間通信でもあるので、V２V通信はD２D通信としても考えられ得る。
【０００５】
しかしながら、必ずしも全てのD２D通信技術がV２V通信に適用可能ではない。例えば、D２D通信において基地局によりSA時間周波数リソースを示す用法は、V２V通信に適用可能ではない。V２V通信におけるSA及びデータのために複数の多重化方式が存在し、多重化方式は、SAを送信するための時間周波数リソースとデータを送信するための時間周波数リソースとの間の関係を記述するために使用される。例えば、多重化方式は、SA及びデータが異なるサブフレームで又は同じサブフレームで送信されるか否か、等を示すために使用される。しかしながら、SA及びデータのための複数の多重化方式は、D２D通信には存在しない。したがって、D２D通信において基地局によりSA時間周波数リソースを示す方法がV２V通信において依然として使用される場合、SA情報を送信するために占有されるリソースは、正確に示され又は取得されることができず、送信性能が影響を受ける。
【発明の概要】
【０００６】
本発明の実施形態は、スケジューリング割当情報を送信するために占有されるリソースを正確に示し又は取得し及び送信性能を更に向上するために、スケジューリング割当情報送信方法及びシステム、並びに装置を提供する。
【０００７】
本発明の実施形態の第１の態様は、スケジューリング割当情報送信方法であって、
ユーザ機器により、多重化方式を取得するステップであって、前記多重化方式は、スケジューリング割当情報を送信するための時間周波数リソースとデータ情報を送信するための時間周波数リソースとの間の関係を示すために使用される、ステップと、
前記ユーザ機器により、ネットワーク装置により送信されたダウンリンク制御情報を受信するステップであって、前記ダウンリンク制御情報は、スケジューリング割当リソース指示情報を含む、ステップと、
前記ユーザ機器により、前記スケジューリング割当リソース指示情報及び前記多重化方式に基づき、前記スケジューリング割当情報を送信するために占有されるリソース位置情報を取得するステップと、
前記ユーザ機器により、前記スケジューリング割当情報により占有される前記リソース位置情報に基づき、前記スケジューリング割当情報を送信するステップと、を含む方法を提供する。
【０００８】
本発明の実施形態の第１の態様では、前記スケジューリング割当情報を送信するために占有され且つ前記ユーザ機器により取得される前記リソース位置情報は、前記多重化方式に可憐付けられ、したがって、スケジューリング割当情報の取得されたリソース位置の精度は比較的高く、送信性能は更に向上される。
【０００９】
可能な実装では、多重化方式は、第１多重化方式、第２多重化方式、及び第３多重化方式のうちの少なくとも１つを含み、第１多重化方式は、スケジューリング割当情報を送信するための時間ドメインリソースがデータ情報を送信するための時間ドメインリソースと異なることを示し、言い換えると、スケジューリング割当情報及びデータ情報を異なるサブフレームを占有し、第２多重化方式は、スケジューリング割当情報を送信するための時間ドメインリソースがデータ情報を送信するための時間ドメインリソースと同じであり、言い換えると、スケジューリング割当情報及びデータ情報は同じサブフレームを占有し、且つスケジューリング割当情報を送信するための周波数ドメインリソースがデータ情報を送信するための周波数ドメインリソースに隣接しないことを示し、第３多重化方式は、スケジューリング割当情報を送信するための時間ドメインリソースがデータ情報を送信するための時間ドメインリソースと同じであり、言い換えると、スケジューリング割当情報及びデータ情報は同じサブフレームを占有し、且つスケジューリング割当情報を送信するための周波数ドメインリソースがデータ情報を送信するための周波数ドメインリソースに隣接することを示す。
【００１０】
可能な実装では、前記多重化方式が前記第１多重化方式である場合、前記スケジューリング割当リソース指示情報は、前記スケジューリング割当情報を送信するために占有される時間ドメインリソース位置及び周波数ドメインリソース位置を示すために使用される、又は、前記多重化方式が前記第２多重化方式である場合、前記スケジューリング割当リソース指示情報は、前記スケジューリング割当情報を送信するために占有される周波数ドメインリソース位置を示すために使用される、又は、前記多重化方式が前記第３多重化方式である場合、前記スケジューリング割当リソース指示情報は、前記スケジューリング割当情報を送信するために占有される周波数ドメインリソース位置と前記データ情報を送信するために占有される周波数ドメインリソース位置との間の関係を示すために使用される。第２多重化方式及び第３多重化方式では、スケジューリング割当情報を送信するための時間ドメインリソースがデータ情報を送信するための時間リソースと同じなので、言い換えると、スケジューリング割当情報を送信するために占有される時間ドメインリソース位置は、データ情報を送信するために占有される時間ドメインリソース位置と同じであるので、スケジューリング割当リソース指示情報は、スケジューリング割当情報を送信するために占有される周波数ドメインリソース位置を示す必要があるだけである。したがって、指示情報冗長性が回避でき、シグナリングオーバヘッドが削減できる。
【００１１】
可能な実装では、前記多重化方式が前記第１多重化方式である場合、前記ユーザ機器は、前記スケジューリング割当リソース指示情報及び前記第１多重化方式に基づき、前記スケジューリング割当情報を送信するために占有される前記時間ドメインリソース位置及び前記周波数ドメインリソース位置を取得する。
【００１２】
可能な実装では、前記多重化方式が前記第２多重化方式である場合、前記ユーザ機器は、前記スケジューリング割当リソース指示情報及び前記第２多重化方式に基づき、前記スケジューリング割当情報を送信するために占有される前記周波数ドメインリソース位置を取得し、
前記ユーザ機器は、前記データ情報を送信するために占有される時間ドメインリソース位置を取得し、前記データ情報を送信するために占有される前記時間ドメインリソース位置が、前記スケジューリング割当情報を送信するために占有される時間ドメインリソース位置であることを決定する。この場合、ユーザ機器は、ネットワーク装置により送信されたデータ情報リソース指示情報を用いて、データ情報を送信するために占有される時間ドメインリソース位置を取得して良い。
【００１３】
可能な実装では、前記多重化方式が前記第３多重化方式である場合、前記ユーザ機器は、前記データ情報を送信するために占有される時間ドメインリソース位置及び前記周波数ドメインリソース位置を取得し、前記データ情報を送信するための前記時間ドメインリソース位置が、前記スケジューリング割当情報を送信するために占有される時間ドメインリソース位置であることを決定し、
前記ユーザ機器は、前記スケジューリング割当リソース指示情報に基づき、前記第３多重化方式、及び前記データ情報の前記周波数ドメインリソース位置、前記スケジューリング割当情報を送信するために占有される前記周波数ドメインリソース位置を取得する。この場合、ユーザ機器は、ネットワーク装置により送信されたデータ情報リソース指示情報を用いて、データ情報を送信するために占有される時間ドメインリソース位置及び周波数ドメインリソース位置を取得して良い。
【００１４】
可能な実装では、前記スケジューリング割当情報を送信するために占有される前記リソース位置情報をより正確に示すために、前記ダウンリンク制御情報は送信品質指示情報を更に含み、前記送信品質指示情報は、前記スケジューリング割当情報の送信回数が少なくとも１回であることを示すために使用され、前記スケジューリング割当リソース指示情報は、前記少なくとも１回の各々で前記スケジューリング割当情報を送信するために占有されるリソース位置情報を示すために使用される。
【００１５】
可能な実装では、前記ユーザ機器は、前記ネットワーク装置により送信された多重化指示情報を受信し、前記多重化指示情報は前記多重化方式を示すために使用される。前記多重化指示情報は、無線リソース制御（Radio  Resource  Control、RRC）メッセージ、媒体アクセス制御（Medium  Access  Control、MAC）レイヤメッセージ、又は物理レイヤメッセージを用いて送信されて良い。RRCメッセージは、システムブロードキャストメッセージ、RRC専用シグナリング、等であって良い。MACレイヤメッセージは、MACレイヤシグナリング、等であって良い。
【００１６】
可能な実装では、前記ユーザ機器は、事前設定情報に基づき前記多重化方式を取得する。前記事前設定情報は、前記多重化方式を示すために使用される。前記事前構成情報は、前記ネットワーク装置により前記ユーザ機器のために構成されて良く、又は出荷前に前記ユーザ機器のために前記ユーザ機器の製造者により構成されて良い。
【００１７】
本発明の実施形態の第２の態様は、スケジューリング割当情報送信方法であって、
ネットワーク装置により、ユーザ機器のために多重化方式を構成するステップであって、前記多重化方式は、スケジューリング割当情報を送信するための時間周波数リソースとデータ情報を送信するための時間周波数リソースとの間の関係を示すために使用される、ステップと、
前記ネットワーク装置により、前記多重化方式に基づき、前記ユーザ機器へダウンリンク制御情報を送信するステップであって、前記ダウンリンク制御情報はスケジューリング割当リソース指示情報を含み、前記スケジューリング割当リソース指示情報は、前記スケジューリング割当情報を送信するために占有されるリソース位置情報を示すために使用される、ステップと、を含む方法を提供する。
【００１８】
本発明の実施形態の第２の態様では、前記ネットワーク装置は、前記ユーザ機器のために構成された前記多重化方式に基づき前記スケジューリング割当リソース指示情報を決定し、前記ダウンリンク制御情報を用いて前記ユーザ機器に通知して、前記スケジューリング割当情報を送信するために占有される且つ前記ユーザ機器により取得された前記リソース位置情報が前記多重化方式に関連付けられ、前記スケジューリング割当情報の取得されたリソース位置の精度が比較的高く、及び送信性能が更に向上されるようにする。
【００１９】
可能な実装では、前記多重化方式は、第１多重化方式、第２多重化方式、及び第３多重化方式のうちの少なくとも１つを含み、前記第１多重化方式は、前記スケジューリング割当情報を送信するための時間ドメインリソースが前記データ情報を送信するための時間ドメインリソースと異なることを示し、言い換えると、前記スケジューリング割当情報及び前記データ情報を異なるサブフレームを占有し、前記第２多重化方式は、前記スケジューリング割当情報を送信するための時間ドメインリソースが前記データ情報を送信するための時間ドメインリソースと同じであり、言い換えると、前記スケジューリング割当情報及び前記データ情報は同じサブフレームを占有し、且つ前記スケジューリング割当情報を送信するための周波数ドメインリソースが前記データ情報を送信するための周波数ドメインリソースに隣接しないことを示し、前記第３多重化方式は、前記スケジューリング割当情報を送信するための時間ドメインリソースが前記データ情報を送信するための時間ドメインリソースと同じであり、言い換えると、前記スケジューリング割当情報及び前記データ情報は同じサブフレームを占有し、且つ前記スケジューリング割当情報を送信するための周波数ドメインリソースが前記データ情報を送信するための周波数ドメインリソースに隣接することを示す。
【００２０】
可能な実装では、前記多重化方式が前記第１多重化方式である場合、前記スケジューリング割当リソース指示情報は、前記スケジューリング割当情報を送信するために占有される時間ドメインリソース位置及び周波数ドメインリソース位置を示すために使用される、又は、前記多重化方式が前記第２多重化方式である場合、前記スケジューリング割当リソース指示情報は、前記スケジューリング割当情報を送信するために占有される周波数ドメインリソース位置を示すために使用される、又は、前記多重化方式が前記第３多重化方式である場合、前記スケジューリング割当リソース指示情報は、前記スケジューリング割当情報を送信するために占有される周波数ドメインリソース位置と前記データ情報を送信するために占有される周波数ドメインリソース位置との間の関係を示すために使用される。第２多重化方式及び第３多重化方式では、スケジューリング割当情報を送信するための時間ドメインリソースがデータ情報を送信するための時間リソースと同じなので、言い換えると、スケジューリング割当情報を送信するために占有される時間ドメインリソース位置は、データ情報を送信するために占有される時間ドメインリソース位置と同じであるので、スケジューリング割当リソース指示情報は、スケジューリング割当情報を送信するために占有される周波数ドメインリソース位置を示す必要があるだけである。したがって、指示情報冗長性が回避でき、シグナリングオーバヘッドが削減できる。
【００２１】
可能な実装では、前記スケジューリング割当情報を送信するために占有される前記リソース位置情報をより正確に示すために、前記ダウンリンク制御情報は送信品質指示情報を更に含み、前記送信品質指示情報は、前記スケジューリング割当情報の送信回数が少なくとも１回であることを示すために使用され、前記スケジューリング割当リソース指示情報は、前記少なくとも１回の各々で前記スケジューリング割当情報を送信するために占有されるリソース位置情報を示すために使用される。
【００２２】
可能な実装では、前記ネットワーク装置は、前記多重化方式に基づき前記ユーザ機器へ多重化指示情報を送信する。前記多重化指示情報は、前記多重化方式を示すために使用され、前記ユーザ機器が前記多重化方式を取得できるようにする。
【００２３】
可能な実装では、前記ネットワーク装置は、異なるリソースプールについて異なる多重化方式を構成することにより、前記ユーザ機器のために前記多重化方式を構成する。前記多重化方式は、リソースプールが前記ユーザ機器に割り当てられるとき、前記ユーザ機器に割り当てられて、前記ユーザ機器が前記割り当てられたリソースプールを用いて前記多重化方式を取得するようにする。
【００２４】
可能な実装では、前記ネットワーク装置は、異なるセルについて異なる多重化方式を構成することにより、前記ユーザ機器のために前記多重化方式を構成する。１つのセル内のリソースプールは同じ多重化方式を有する。例えば、セル１内の各リソースプールの多重化方式は、第１多重化方式である。前記ネットワーク装置は、前記ユーザ機器によりアクセスされたセルに基づき、前記多重化指示情報を前記ユーザ機器へ送信して、前記ユーザ機器が前記多重化方式を取得できるようにする。
【００２５】
本発明の実施形態の第３の態様は、ユーザ機器であって、
多重化方式を取得するよう構成される処理ユニットであって、前記多重化方式は、スケジューリング割当情報を送信するための時間周波数リソースとデータ情報を送信するための時間周波数リソースとの間の関係を示すために使用される、処理ユニットと、
ネットワーク装置により送信されたダウンリンク制御情報を受信するよう構成される受信ユニットであって、前記ダウンリンク制御情報は、スケジューリング割当リソース指示情報を含む、受信ユニットと、
前記処理ユニットは、前記スケジューリング割当リソース指示情報及び前記多重化方式に基づき、前記スケジューリング割当情報を送信するために占有されるリソース位置情報を取得するよう更に構成され、
前記スケジューリング割当情報により占有される前記リソース位置情報に基づき、前記スケジューリング割当情報を送信するよう構成される送信ユニットと、を含むユーザ機器を提供する。
【００２６】
本発明の実施形態の第３の態様で提供されるユーザ機器は、本発明の第１の態様で提供されるスケジューリング割当情報送信方法を実行するよう構成される。詳細については、本発明の実施形態の第１の態様の記載を参照し、詳細はここで再び記載されない。
【００２７】
本発明の実施形態の第４の態様は、ネットワーク装置であって、
ユーザ機器のために多重化方式を構成するよう適応される処理ユニットであって、前記多重化方式は、スケジューリング割当情報を送信するための時間周波数リソースとデータ情報を送信するための時間周波数リソースとの間の関係を示すために使用される、処理ユニットと、
前記多重化方式に基づき、前記ユーザ機器へダウンリンク制御情報を送信するよう構成される送信ユニットであって、前記ダウンリンク制御情報はスケジューリング割当リソース指示情報を含み、前記スケジューリング割当リソース指示情報は、前記スケジューリング割当情報を送信するために占有されるリソース位置情報を示すために使用される、送信ユニットと、を含むネットワーク装置を提供する。
【００２８】
本発明の実施形態の第４の態様で提供されるユーザ機器は、本発明の第２の態様で提供されるスケジューリング割当情報送信方法を実行するよう構成される。詳細については、本発明の実施形態の第２の態様の記載を参照し、詳細はここで再び記載されない。
【００２９】
本発明の実施形態の第５の態様は、スケジューリング割当情報送信システムであって、前記システムは第３の態様で提供されるユーザ機器と第４の態様で提供されるネットワーク装置とを含む、スケジューリング割当情報送信システムを提供する。
【００３０】
本発明の実施形態の第６の態様は、コンピュータ記憶媒体であって、ユーザ機器により使用されるコンピュータソフトウェア命令を記憶するよう構成され、前記コンピュータソフトウェア命令は前述の態様を実行するために設計されたプログラムを含む、コンピュータ記憶媒体を提供する。
【００３１】
本発明の実施形態の第７の態様は、コンピュータ記憶媒体であって、ネットワーク装置により使用されるコンピュータソフトウェア命令を記憶するよう構成され、前記コンピュータソフトウェア命令は前述の態様を実行するために設計されたプログラムを含む、コンピュータ記憶媒体を提供する。
【００３２】
本発明の実施形態では、ネットワーク装置は、ユーザ機器のために多重化方式を構成し、多重化方式に基づき、スケジューリング割当リソース指示情報を含むダウンリンク制御情報をユーザ機器へ送信し、ユーザ機器は、多重化方式を取得し、スケジューリング割当リソース指示情報を含み且つネットワーク装置により送信されたダウンリンク制御情報を受信し、スケジューリング割当リソース指示情報及び多重化方式に基づき、スケジューリング割当情報を送信するために占有されるリソース位置を取得し、スケジューリング割当情報により占有されるリソース位置情報に基づきスケジューリング割当情報を送信して、スケジューリング割当情報を送信するために占有されるリソースが正確に示され又は取得できるよう、及び送信性能が更に向上できるようにする。
【図面の簡単な説明】
【００３３】
本発明の実施形態の技術的解決策をより明確に記載するために、実施形態を説明するのに必要な添付の図面を以下に簡単に説明する。明らかなことに、以下の説明中の添付の図面は、本発明のほんの一部の実施形態であり、これらの図面に従って当業者により創造的労力を有しないで他の図面も得られる。
【００３４】
【図１Ａ】D２D通信のネットワークアーキテクチャ図である。
【００３５】
【図１Ｂ】V２V通信のネットワークアーキテクチャ図である。
【００３６】
【図２】本発明の一実施形態によるスケジューリング割当情報送信方法の概略フローチャートである。
【００３７】
【図３】D２D通信におけるスケジューリング割当情報の時間周波数リソース位置の概略図である。
【００３８】
【図４】本発明の一実施形態による第１多重化方式における時間周波数関係の概略図である。
【００３９】
【図５Ａ】第１多重化方式における時間周波数リソース位置の概略図である。
【００４０】
【図５Ｂ】第１多重化方式における別の時間周波数リソース位置の概略図である。
【００４１】
【図５Ｃ】第１多重化方式における更に別の時間周波数リソース位置の概略図である。
【００４２】
【図５Ｄ】第１多重化方式における別の時間周波数リソース位置の概略図である。
【００４３】
【図５Ｅ】第１多重化方式におけるまた更に別の時間周波数リソース位置の概略図である。
【００４４】
【図６】本発明の一実施形態による第２多重化方式における時間周波数関係の概略図である。
【００４５】
【図７】本発明の一実施形態による第３多重化方式における時間周波数関係の概略図である。
【００４６】
【図８Ａ】本発明の一実施形態によるユーザ機器の概略構造図である。
【００４７】
【図８Ｂ】本発明の一実施形態による別のユーザ機器の概略構造図である。
【００４８】
【図９Ａ】本発明の一実施形態によるネットワーク装置の概略構造図である。
【００４９】
【図９Ｂ】本発明の一実施形態による別のネットワーク装置の概略構造図である。
【発明を実施するための形態】
【００５０】
以下に、本発明の実施形態の添付の図面を参照して、本発明の実施形態における技術的ソリューションを明確に説明する。明らかに、記載される実施形態は、本発明の実施形態の一部であり、全てではない。本発明の実施形態に基づき創造的労力を有しないで当業者により得られる全ての他の実施形態は、本発明の保護範囲に包含される。
【００５１】
図１Ａを参照すると、図１Ａは、端末１、端末２及び基地局を含む、D２D通信のネットワークアーキテクチャ図である。実際の適用では、複数の端末が１つの基地局のカバレッジ領域に含まれる。理解を容易にするために、２つの端末だけが図１Ａにおいて一例として使用される。端末は、移動電話、タブレットコンピュータ（Pad）、又は（腕時計又はバンドのような）高機能ウェアラブル装置のような通信機能を有する電子装置を含み得る。図１Ａから、両方の端末が基地局と直接通信し得ること、及び通信がD２D通信で２つの端末間でも実行され得ることが分かる。端末間の通信の処理において、通信はマルチキャスト方式で実行されて良く、又は通信はブロードキャスト方式で実行されて良い。D２D通信は、２つの特性：発見（Discovery）及び通信（Communication）を含む。Discoveryは、端末が周期的に情報をブロードキャストして、端末の周囲にいる端末が情報を検出し端末を発見するようにする。Communicationは、直接データ送信が端末間で実行され、スケジューリング割当（SA）＋Dataのメカニズムが使用されることを意味する。SAは、送信端により送信されたデータの状態情報を示すために使用される。状態情報は、データの時間周波数リソース情報、MCS情報、周波数ホッピング指示情報、タイミングアドバンス情報、及び受信グループID情報、等を含み、受信端がSAにより示された構成に基づきサービスデータを受信できるようにする。データは、SAにより示された時間周波数リソース情報に基づく且つSAにより示されたフォーマットの、送信端により送信されたサービスデータである。D２D通信では、基地局は、端末のために送信リソースプール（例えば、SAリソースプール及びデータリソースプール）を構成して、端末がD２D通信のデータ送信を実行するようにする。端末は、リソースプールの中の端末のために基地局により構成された時間周波数リソースを用いてD２D送信を実行して良く、又はD２D送信のために構成されたリソースから時間周波数リソースを独立に且つランダムに選択して良い。
【００５２】
端末が、リソースプールの中で基地局により端末のために構成された時間周波数リソースを用いてD２D送信を実行する場合、基地局は、ダウンリンク制御情報（Downlink  Control  Information、DCI）を用いて、端末に、リソースプールの中のSA及びデータを送信するための時間周波数リソースを割り当てる。具体的に、DCIはインデックスフィールド（６ビット）、送信時間リソースパターン（Time  Resource  Pattern  of  Transmission、T−RPT）フィールド、及びリソース割当（Resource  Assignment、RA）フィールドを含む。インデックスフィールドは、SA時間周波数リソースを示すために使用される。T−RPTフィールドは、データの時間ドメインリソースを示すために使用される。RAフィールドは、データの周波数ドメインリソースを示すために使用される。
【００５３】
図１Ｂを参照すると、図１Ｂは、車１、車２及び基地局を含む、V２V通信のネットワークアーキテクチャ図である。実際の適用では、複数の車が１つの基地局のカバレッジ領域に含まれる。理解を容易にするために、２つの車だけが図１Ｂにおいて一例として使用される。V２V通信では、主に２つのシナリオ：セルカバレッジ内（in  coverage、IC）及びセルカバレッジ外（out  of  coverage、OOC）がある。図１Ｂはセルカバレッジ内のシナリオを記載する。言い換えると、車１及び車２は、基地局のカバレッジ領域内にある。セルカバレッジ外は、車が基地局のカバレッジ領域の外側で互いに通信することを意味する。セルカバレッジ内の車は、基地局により送信された同期信号を検出し、時間周波数同期及びセルIDを取得し、物理ブロードキャストチャネル（Physical  Broadcast  Channel、PBCH）を検出し、システム帯域幅、アンテナ数、無線フレーム数、及び物理ハイブリッド自動再送要求指示チャネル（Physical  Hybrid  ARQ  Indicator  Channel、PHICH）構成のような情報を取得する。該情報に基づき、車は、制御チャネル検出を実行し、システムから別のブロードキャストメッセージを周期的に受信し、通常通信送信を実行し得る。V２V通信では、基地局は、主に、送信リソース割当、干渉調整、等を実行する。データ送信を実行する前に、車は、先ず、基地局に送信リソースを求め、車の状態情報を基地局に報告し、基地局は、車により報告された情報に基づき対応するリソースを車に割り当てる。V２V通信は、端末対端末通信でもあり、したがって、D２D通信技術として考えられ得る。
【００５４】
しかしながら、必ずしも全てのD２D通信技術がV２V通信に適用可能ではない。例えば、D２D通信において基地局によりSA時間周波数リソースを示す用法は、V２V通信に適用可能ではない。V２V通信におけるSA及びデータのために複数の多重化方式が存在し、多重化方式は、SAを送信するための時間周波数リソースとデータを送信するための時間周波数リソースとの間の関係を記述するために使用される。例えば、多重化方式は、SA及びデータが異なるサブフレームで又は同じサブフレームで送信されるか否か、等を示すために使用される。しかしながら、SA及びデータのための複数の多重化方式は、D２D通信には存在しない。したがって、D２D通信において基地局によりSA時間周波数リソースを示す方法がV２V通信において依然として使用される場合、SA情報を送信するために占有されるリソースは、正確に示され又は取得されることができず、送信性能が影響を受ける。
【００５５】
複数の多重化方式が存在するとき、送信リソースが正確に示され又は取得できないという問題を解決するために、本発明の一実施形態は、複数の多重化方式を考慮し、スケジューリング割当情報を送信するために占有されるリソースを正確に示し又は取得し、さらに送信性能を向上するために、スケジューリング割当情報送信方法を提供する。
【００５６】
本発明の本実施形態で提供されるスケジューリング割当情報送信方法は、複数の多重化方式が存在する通信シナリオに適用され得る。該通信シナリオは、車のインターネットシナリオ（基地局、路側ユニット、自動車、非自動車、歩行者、及び路上の別の通信装置の間の通信のシナリオ）を含むがこれに限定されない。さらに、本発明の本実施形態は、モノのインターネットシナリオに更に適用され得、具体的に、高機能家庭用機器間の通信のシナリオに適用され得る。
【００５７】
本発明の本実施形態におけるユーザ機器は、図１Ａに記載された端末、及び自動車、非自動車、路上の別の通信装置、又は高機能家庭用機器のような電子装置の両方を含む。本発明の本実施形態におけるネットワーク装置は、基地局装置、路側ユニット、将来の５G通信におけるネットワーク側装置を含み得るが、これに限定されない。
【００５８】
留意すべきことに、本発明の本実施形態では、スケジューリング割当情報及びSAは同義であり、データ情報及びデータは同義である。
【００５９】
図２〜図７を参照して、本発明の本実施形態で提供されるスケジューリング割当情報送信方法が以下に詳細に記載される。
【００６０】
図２を参照すると、図２は、本発明の一実施形態によるスケジューリング割当情報送信方法の概略フローチャートである。理解されるべきことに、記載は、本発明の本実施形態のおける一例としてスケジューリング割当情報の１片の送信を用いて与えられる。同じ送信方法が、スケジューリング割当情報の各片について使用され、スケジューリング割当情報及びデータ情報が対で送信される。スケジューリング割当情報送信方法の特定の手順は、図２に示す実施形態におけるユーザ機器及びネットワーク装置の両方の観点から記載される。方法は以下のステップを含み得る。
【００６１】
１０１。ネットワーク装置は、ユーザ機器のために多重化方式を構成する。
【００６２】
具体的に、V２V通信には３つの多重化方式がある。３つの多重化方式は、スケジューリング割当情報を送信するための時間周波数リソースとデータ情報を送信するための時間周波数リソースとの間の関係を記述するために使用される。３つの多重化方式は、図４に示す第１多重化方式、図６に示す第２多重化方式、及び図７に示す第３多重化方式を含む。第１多重化方式は、スケジューリング割当情報を送信するための時間ドメインリソースがデータ情報を送信するための時間ドメインリソースと異なることを示すために使用される。具体的に言うと、スケジューリング割当情報及びデータ情報は、異なるサブフレームで送信される。スケジューリング割当情報の周波数ドメインリソースは、データ情報の周波数ドメインリソースに隣接して又は隣接しなくて良い。図４では、時間ドメインリソースは異なるサブフレームを占有し、周波数ドメインリソースは隣接しない。第２多重化方式は、スケジューリング割当情報を送信するための時間ドメインリソースが、データ情報を送信するための時間ドメインリソースと同じであること、及びスケジューリング割当情報を送信するための周波数ドメインリソースが、データ情報を送信するための周波数ドメインリソースに隣接しないことを示すために使用される。具体的に言うと、スケジューリング割当情報及びデータ情報は同じサブフレームで送信され、スケジューリング割当情報を送信するための周波数ドメインリソースは、データ情報を送信するための周波数ドメインリソースに隣接しない。第３多重化方式は、スケジューリング割当情報を送信するための時間ドメインリソースが、データ情報を送信するための時間ドメインリソースと同じであること、及びスケジューリング割当情報を送信するための周波数ドメインリソースが、データ情報を送信するための周波数ドメインリソースに隣接することを示すために使用される。具体的に言うと、スケジューリング割当情報及びデータ情報は同じサブフレームで送信され、スケジューリング割当情報を送信するための周波数ドメインリソースは、データ情報を送信するための周波数ドメインリソースに隣接する。
【００６３】
一例では、ネットワーク装置は、異なるリソースプールについて異なる多重化方式を構成することにより、ユーザ機器のために多重化方式を構成する。具体的に、ネットワーク装置は複数のリソースプールを構成し、各リソースプールは構成パラメータを含み、構成パラメータはSAリソースプール構成パラメータ、データリソースプール構成パラメータ、及び多重化方式構成パラメータを含む。多重化方式構成パラメータは、多重化方式を示すために使用され、１又は複数の多重化方式を示して良い。
【００６４】
可能な実装では、ネットワーク装置は、ユーザ機器に、ユーザ機器に割り当てられたリソースプールの識別子（例えば、シーケンス番号、ID、及び名称）を通知する。ユーザ機器は、多重化方式構成パラメータに基づき多重化方式構成パラメータにより示される多重化方式を取得するために、リソースプールの識別子に基づきリソースプールを使用し、リソースプールに対応する多重化方式構成パラメータを取得する。ネットワーク装置は、RRCメッセージ、MACレイヤメッセージ、及び物理レイヤメッセージのようなメッセージをユーザ機器へ送信して、ユーザ機器に割り当てられたリソースプールをユーザ機器に通知する。可能な実装は明示的通知方式であることが理解され得る。
【００６５】
別の可能な実装では、ネットワーク装置は、ユーザ機器へDCIを送信する。DCIは、データ情報リソース指示情報を含み、データ情報を送信するために占有される時間周波数リソース位置を示す。DCIを受信すると、ユーザ機器は、多重化方式構成パラメータに基づき多重化方式構成パラメータにより示される多重化方式を取得するために、データ情報を送信するために占有される時間周波数リソース位置を取得し、データ情報を送信するために占有される時間周波数リソース位置に基づき使用されるリソースプールを決定し、リソースプールに対応する構成パラメータを取得し、構成パラメータから多重化方式構成パラメータを取得する。可能な実装は暗示的通知方式であることが理解され得る。
【００６６】
一例では、ネットワーク装置は、異なセルについて異なる多重化方式を構成することにより、ユーザ機器のために多重化方式を構成する。具体的に、ネットワーク装置は、カバレッジ領域内の異なるセルについて多重化方式を構成する。構成処理において、１つのセルは１又は複数の多重化方式により構成されて良いが、１つのセル内のリソースプールは同じ多重化方式を有する。例えば、セル１内の各リソースプールの多重化方式は、第１多重化方式である。ネットワーク装置は、ユーザ機器によりアクセスされたセルに基づき、多重化指示情報をユーザ機器へ送信して、ユーザ機器が多重化方式を取得できるようにする。多重化指示情報は、RRCメッセージ、MACレイヤメッセージ、及び物理レイヤメッセージのようなメッセージを含んで良い。
【００６７】
一例では、ネットワーク装置は、ユーザ機器のために事前構成情報を構成し、事前構成情報は多重化方式を示す。任意で、事前構成情報は、リソースプール構成パラメータに情報要素を付加的に追加することにより、多重化方式を示す。任意で、事前構成情報は、RRCメッセージ、MACレイヤメッセージ、及び物理レイヤメッセージのようなメッセージをユーザ機器へ送信することにより、ユーザ機器に通知される。
【００６８】
ネットワーク装置は、ネットワーク装置とユーザ機器との間の無線インタフェースを用いて、多重化指示情報又は別のメッセージをユーザ機器へ送信する。
【００６９】
１０２。ユーザ機器は多重化方式を取得する。
【００７０】
一例では、ユーザ機器は、ネットワーク装置により送信された多重化指示情報を受信し、多重化指示情報に基づき多重化方式を取得する。多重化指示情報は、RRCメッセージ、MACレイヤメッセージ、及び物理レイヤメッセージのようなメッセージを含んで良い。ユーザ機器は、ユーザ機器とネットワーク装置との間の無線インタフェースを用いて、ネットワーク装置により送信された多重化指示情報を受信する。
【００７１】
一例では、ユーザ機器は、ネットワーク装置により送信された、RRCメッセージ、MACレイヤメッセージ、及び物理レイヤメッセージのようなメッセージを受信する。メッセージは、ネットワーク装置によりユーザ機器に割り当てられたリソースプールの識別子を含む。ユーザ機器は、多重化方式構成パラメータに基づき多重化方式構成パラメータにより示される多重化方式を取得するために、リソースプールの識別子に基づきリソースプールに対応する多重化方式構成パラメータを取得する。
【００７２】
一例では、ユーザ機器はネットワーク装置により送信されたDCIを受信する。DCIは、データ情報リソース指示情報を含み、データ情報を送信するために占有される時間周波数リソース位置を示す。ユーザ機器は、多重化方式構成パラメータに基づき多重化方式構成パラメータにより示される多重化方式を取得するために、データ情報を送信するために占有される時間周波数リソース位置を取得し、データ情報を送信するために占有される時間周波数リソース位置に基づき使用されるリソースプールを決定し、リソースプールに対応する構成パラメータを取得し、構成パラメータから多重化方式構成パラメータを取得する。
【００７３】
一例では、ユーザ機器は、事前構成情報に基づき多重化方式を取得し、事前構成情報は多重化方式を示すために使用される。事前構成情報は、ネットワーク装置によりユーザ機器のために構成されて良く、又は出荷前にユーザ機器のためにユーザ機器の製造者により構成されて良い。しかしながら、事前構成情報はユーザ機器上にある。事前構成情報が製造者により構成される場合、ユーザ機器の多重化方式は固定される。或いは、事前構成情報がネットワーク装置により構成される場合、ネットワーク装置はユーザ機器の多重化方式を変更し得る。任意で、事前構成情報は、リソースプール構成パラメータに情報要素を付加的に追加することにより、多重化方式を示す。
【００７４】
１０３。ネットワーク装置は、多重化方式に基づき、ユーザ機器へダウンリンク制御情報を送信する。ここで、ダウンリンク制御情報は、スケジューリング割当リソース指示情報を含む。
【００７５】
具体的に、ネットワーク装置は、多重化方式に基づき及びネットワーク装置とユーザ機器との間の無線インタフェースを用いて、ダウンリンク制御情報DCIをユーザ機器へ送信する。DCIはスケジューリング割当リソース指示情報を含み、スケジューリング割当リソース指示情報はスケジューリング割当情報を送信するために占有されるリソース位置情報を示すために使用される。スケジューリング割当リソース指示情報は、異なる多重化方式に基づく異なるリソース位置情報を示し、スケジューリング割当リソース指示情報が適切であり、スケジューリング割当リソース指示情報により示されるリソース位置情報がより正確であり、及び実際の適用シナリオにより近くなるようにする。
【００７６】
多重化方式が第１多重化方式である場合、スケジューリング割当リソース指示情報は、スケジューリング割当情報を送信するために占有される時間ドメインリソース位置及び周波数ドメインリソース位置を示すために使用される。可能な実装では、スケジューリング割当リソース指示情報は、スケジューリング割当時間ドメインリソース指示情報及びスケジューリング割当周波数ドメインリソース指示情報を含む。スケジューリング割当時間ドメインリソース指示情報は、スケジューリング割当情報を送信するために占有される時間ドメインリソース位置を示すために使用される。スケジューリング割当周波数ドメインリソース指示情報は、スケジューリング割当情報を送信するために占有される周波数ドメインリソース位置を示すために使用される。代替として、データ情報リソース指示情報に関して、スケジューリング割当情報を送信するために占有される時間ドメインリソース位置及び周波数ドメインリソース位置を間接的に示すために、スケジューリング割当時間ドメインリソース指示情報は、スケジューリング割当情報を送信するために占有される時間ドメインリソース位置とデータ情報を送信するために占有される時間ドメインリソース位置との間の関係（例えば、サブフレーム間隔）を示すために使用され、スケジューリング割当時間ドメインリソース指示情報は、スケジューリング割当情報を送信するために占有される周波数ドメインリソース位置とデータ情報を送信するために占有される周波数ドメインリソース位置との間の関係（例えば、周波数オフセット）を示すために使用される。別の可能な実装では、スケジューリング割当リソース指示情報は、スケジューリング割当情報を送信するために占有される時間ドメインリソース位置及び周波数ドメインリソース位置の両方を示し、又は、スケジューリング割当情報を送信するために占有される時間ドメインリソース位置とデータ情報を送信するために占有される時間ドメインリソース位置との間の関係、及びスケジューリング割当情報を送信するために占有される周波数ドメインリソース位置とデータ情報を送信するために占有される周波数ドメインリソース位置との間の関係の両方を示す。
【００７７】
多重化方式が第２多重化方式である場合、スケジューリング割当リソース指示情報は、スケジューリング割当情報を送信するために占有される周波数ドメインリソース位置を示すために使用される。多重化方式が第３多重化方式である場合、スケジューリング割当リソース指示情報は、スケジューリング割当情報を送信するために占有される周波数ドメインリソース位置とデータ情報を送信するために占有される周波数ドメインリソース位置との間の関係を示すために使用される。第２多重化方式及び第３多重化方式では、スケジューリング割当情報を送信するための時間ドメインリソース及びデータ情報を送信するための時間リソースは同じサブフレームを占有する。言い換えると、スケジューリング割当情報を送信するために占有される時間ドメインリソース位置は、データ情報を送信するために占有される時間ドメインリソース位置と同じであり、スケジューリング割当リソース指示情報は、スケジューリング割当情報を送信するために占有される周波数ドメインリソース位置を示す必要があるだけである。したがって、指示情報冗長性が回避でき、シグナリングオーバヘッドが削減できる。
【００７８】
１０４。ユーザ機器は、ネットワーク装置により送信されたダウンリンク制御情報を受信する。
【００７９】
具体的に、ユーザ機器は、ユーザ機器とネットワーク装置との間の無線インタフェースを用いて、ネットワーク装置により送信されたダウンリンク制御情報を受信し、ダウンリンク制御情報からスケジューリング割当リソース指示情報を抽出する。
【００８０】
１０５。ユーザ機器は、スケジューリング割当リソース指示情報及び多重化方式に基づき、スケジューリング割当情報を送信するために占有されるリソース位置情報を取得する。
【００８１】
一例では、多重化方式が第１多重化方式であるとき、スケジューリング割当リソース指示情報は、スケジューリング割当情報を送信するために占有される時間ドメインリソース位置及び周波数ドメインリソース位置を示し、ユーザ機器は、スケジューリング割当リソース指示情報及び第１多重化方式に基づき、スケジューリング割当情報を送信するために占有される時間ドメインリソース位置及び周波数ドメインリソース位置を直接取得して良い。
【００８２】
一例では、多重化方式が第２多重化方式である場合、スケジューリング割当リソース指示情報は、スケジューリング割当情報を送信するために占有される周波数ドメインリソース位置を示し、スケジューリング割当情報を送信するために占有される時間ドメインリソース位置を示さない。したがって、ユーザ機器は、スケジューリング割当情報を送信するために占有される時間ドメインリソース位置を取得する必要がある。ダウンリンク制御情報は、スケジューリング割当リソース指示情報に加えて、データリソース指示情報を含む。データリソース指示情報は、T−RPTフィールド及びRAフィールドを含む。T−RPTフィールドはデータ情報を送信するために占有される時間ドメインリソース位置を示し、RAフィールドはデータ情報を送信するために占有される周波数ドメインリソース位置を示す。ユーザ機器は、データリソース指示情報に基づき、データ情報を送信するために占有される時間ドメインリソース位置を取得する。スケジューリング割当情報及びデータ情報は同じサブフレームで送信されるので、ユーザ機器は、データ情報を送信するために占有される時間ドメインリソース位置がスケジューリング割当情報を送信するために占有される時間ドメインリソース位置であると決定する。ユーザ機器は、第２多重化方式及びスケジューリング割当リソース指示情報に基づき、スケジューリング割当情報を送信するために占有される周波数ドメインリソース位置を取得する。
【００８３】
一例では、多重化方式が第３多重化方式である場合、スケジューリング割当リソース指示情報は、スケジューリング割当情報を送信するために占有される周波数ドメインリソース位置とデータ情報を送信するために占有される周波数ドメインリソース位置との間の関係を示す。周波数ドメインリソース位置の間の関係は、スケジューリング割当情報がデータ情報の側で送信される、又はデータ情報の別の側で送信されて良いことを示して良い。しかしながら、スケジューリング割当情報を送信するために占有される周波数ドメインリソース位置又はスケジューリング割当情報を送信するために占有される時間ドメインリソース位置のいずれも、明確に示されない。したがって、ユーザ機器は、スケジューリング割当情報を送信するために占有される時間周波数リソース位置及び周波数ドメインリソース位置を取得する必要がある。ダウンリンク制御情報は、スケジューリング割当リソース指示情報に加えて、データリソース指示情報を含む。データリソース指示情報は、T−RPTフィールド及びRAフィールドを含む。T−RPTフィールドはデータ情報を送信するために占有される時間ドメインリソース位置を示し、RAフィールドはデータ情報を送信するために占有される周波数ドメインリソース位置を示す。ユーザ機器は、データリソース指示情報に基づき、データ情報を送信するために占有される時間ドメインリソース位置及び周波数ドメインリソース位置を取得する。スケジューリング割当情報及びデータ情報は同じサブフレームで送信されるので、ユーザ機器は、データ情報を送信するために占有される時間ドメインリソース位置がスケジューリング割当情報を送信するために占有される時間ドメインリソース位置であると決定する。ユーザ機器は、第３多重化方式及びスケジューリング割当リソース指示情報により示される周波数ドメインリソース位置の間の関係に基づき、スケジューリング割当情報を送信するために占有される周波数ドメインリソース位置を取得する。
【００８４】
第２多重化方式及び第３多重化方式では、データ情報を送信するために占有される時間ドメインリソース位置は、スケジューリング割当情報を送信するために占有される時間ドメインリソース位置と同じなので、スケジューリング割当情報を送信するために占有される時間ドメインリソース位置を示すために使用される指示情報は、ダウンリンク制御情報の中で構成される必要がない。したがって、指示情報冗長性が回避でき、シグナリングオーバヘッドが削減できる。
【００８５】
スケジューリング割当情報を送信するために占有されるリソース位置情報をより正確に示すために、ダウンリンク制御情報は送信品質指示情報を更に含み、送信品質指示情報は、スケジューリング割当情報の送信回数が少なくとも１回であることを示すために使用され、スケジューリング割当リソース指示情報は、少なくとも１回の各々でスケジューリング割当情報を送信するために占有されるリソース位置情報を示すために使用される。D２D通信では、スケジューリング割当情報は、永久に２回分送信され、データは永久に４回分送信される。V２V通信では、データは永久に４回分送信されず、データの送信回数は、例えば２回、６回、又は８回、変更可能である。相応して、スケジューリング割当情報は、データと同じ回数だけ送信されて良く、スケジューリング割当情報の送信回数も永久に２回ではない。スケジューリング割当情報及びデータは同じ送信回数を有するので、送信回数指示情報は、スケジューリング割当情報の送信回数指示情報であって良く、又はデータの送信回数指示情報であって良い。情報冗長性を回避するために、送信回数指示情報の１片だけしか必要ない。したがって、スケジューリング割当リソース指示情報は、スケジューリング割当情報を送信するために占有されるリソース位置情報を毎回明確に示す必要がある。
【００８６】
１０６。ユーザ機器は、リソース割当情報により占有されるリソース位置情報に基づき、スケジューリング割当情報を送信する。
【００８７】
具体的に、スケジューリング割当情報を送信するために占有される時間ドメインリソース位置及び周波数ドメインリソース位置が決定された後に、ユーザ機器は、スケジューリング割当情報により占有される時間ドメインリソース位置及び周波数ドメインリソース位置、並びにユーザ機器間の送信インタフェースを用いて、スケジューリング割当情報を送信する。具体的に言うと、スケジューリング割当情報が他のユーザ機器へ送信されて、データ情報送信が２つのユーザ機器間で実行でき、及び直接通信が２つのユーザ機器間で実行できるようにする。
【００８８】
本発明の本実施形態では、ネットワーク装置は、ユーザ機器のために多重化方式を構成し、多重化方式に基づき、スケジューリング割当リソース指示情報を含むダウンリンク制御情報をユーザ機器へ送信し、ユーザ機器は、多重化方式を取得し、スケジューリング割当リソース指示情報を含み且つネットワーク装置により送信されたダウンリンク制御情報を受信し、スケジューリング割当リソース指示情報及び多重化方式に基づき、スケジューリング割当情報を送信するために占有されるリソース位置を取得し、スケジューリング割当情報により占有されるリソース位置情報に基づきスケジューリング割当情報を送信して、スケジューリング割当情報を送信するために占有されるリソースが正確に示され又は取得できるよう、及び送信性能が更に向上できるようにする。
【００８９】
スケジューリング割当情報により占有される時間周波数リソース位置は、図３〜図７を参照して以下に詳述される。
【００９０】
図３を参照すると、図３は、D２D通信におけるスケジューリング割当情報の時間周波数リソース位置の概略図である。留意すべきことに、図３に示される時間周波数リソース位置の概略図は、単に説明のための一例として使用され、本発明の実施形態に対する限定を構成しない。D２D通信では、SAは、永久に２回分送信され、データは永久に４回分送信される。図３において、LPSCCHはSAリソースプールの時間ドメイン長（サブフレーム数）を表し、MPSCCH_RPRBはSAリソースプールの周波数ドメイン長を表し、周波数ドメイン長単位はリソースブロック（Resource  Block、RB）である。これらの２つのパラメータはユーザ機器により予め学習されて良い。特定の学習方法はここで限定されず、学習方法についていかなる例も使用されない。
【数１】
2019525648.tif 000036
のとき、SAにより占有される時間周波数リソース位置は、次式を用いて計算を通じて取得される。
【数２】
2019525648.tif 000037
ここで、PSCCHは物理サイドリンク制御チャネル（Physical  Sidelink  Control  Channel、PSCCH）である。nPSCCHはインデックスフィールドにより示される値である。２回の送信について、周波数ドメインリソース位置はそれぞれa１及びa２であり、時間ドメインリソース位置はそれぞれb１及びb２である。時間ドメイン長LPSCCH＝５、及び周波数ドメイン長MPSCCH_RPRB＝４であると仮定すると、インデックスフィールドにより示すことのできる値範囲は０〜９である。インデックスフィールドにより示される値、及びSAに対応する時間周波数リソース位置については、図３を参照する。図３の各グリッドに示される数値は、インデックスフィールドにより示される値である。図３から、第１行と第３行との間に並進があり、第３行は第１行の数値を１グリッドだけ右方向に並進させることにより取得され得ること、及び第２行と第４行との間に並進があり、第４行は第２行の数値を２グリッドだけ右方向に並進させることにより取得され得ることが分かる。したがって、第１行及び第２行は、第１SA送信のために占有される時間周波数リソース位置として表されて良く、第３行及び第４行は第２SA送信のために占有される時間周波数リソース位置として表されて良い。
【００９１】
ユーザ機器により受信されたインデックスフィールドにより示される値が３であると仮定すると、以下：a１=０、b１=３、a２=２、及びb２=４が上記の式に従う計算を通じて取得され得る。具体的に言うと、１回のSA送信のために占有される周波数ドメインリソースはRB０、つまり図３のa１であり、時間ドメインリソースはサブフレーム３、つまり図３のb１であり、他の回のSA送信のために占有される周波数ドメインリソースはRB２、つまり図３のa２であり、時間ドメインリソースはサブフレーム４、つまり図３のb２である。
【００９２】
図４に示す第１多重化方式に基づき、スケジューリング割当情報により占有されるリソース位置は、送信回数が１、２、又は４である一例を用いて以下に記載される。
【００９３】
送信回数が１であるとき、D２D通信においてSA時間周波数リソース位置を示す方法が依然として使用されるが、１回のSA送信のための時間周波数リソースだけが使用される。例えば、a１及びb１により示される時間周波数リソース位置が使用される。具体的に、インデックスフィールドにより示される値を学習し及び送信回数が１であることを学習すると、ユーザ機器は、上記の式に従い、２回のSA送信のために占有される周波数ドメインリソース位置a１及びa２並びに時間ドメインリソース位置b１及びb２を計算する。しかしながら、SAはa１及びb１により示されるSAリソースでのみ送信される、又はSAはa２及びb２により示されるSAリソースでのみ送信される。使用されるべきSAリソースを決定する方法では、SAリソースはDCIの中で、例えば１ビットを用いて示されて良く、又はDCIの中の独立フィールドを用いて示されて良く、又はスケジューリング割当リソース指示情報を拡張することにより示されて良い。別の方法では、SAリソースは、RRCシグナリング、例えばRRC専用シグナリング又はシステムメッセージを用いて示されて良い。同様に指示情報はRRCシグナリングに追加されて良い。例えば、SAリソースは１ビットを用いて示されて良い。可能な実装では、指示情報が０であるとき、添え字が１であるSAリソースが示され、指示情報が１であるとき、添え字が２であるSAリソースが示される。指示情報を学習した後に、ユーザ機器は、所要のSAリソースの時間ドメインリソース位置及び周波数ドメインリソース位置だけを計算して良い。例えば、添え字が１であるSAリソースが使用されることを学習すると、ユーザ機器は、インデックスフィールドにより示される値を用いて、a１及びb１のみを計算し、a２及びb２を計算する必要がない。
【００９４】
送信回数が２であるとき、D２D通信におけるSA時間周波数リソース位置を示す方法が依然として使用される。具体的に、インデックスフィールドにより示される値を学習し及び送信回数が２であることを学習すると、ユーザ機器は、上記の式に従い、２回のSA送信のために占有される周波数ドメインリソース位置a１及びa２並びに時間ドメインリソース位置b１及びb２を計算し、これら２つのSAリソース位置でSAを送信する。留意すべきことに、V２V通信における周波数ドメインで２つのRBが１回のSA送信の間占有されて良く、２つのRBはSAリソースプールを再分割するために基本単位として使用されて良い。式中の周波数ドメインパラメータは、２つのRBを基本単位として用いて解釈される必要がある。例えば、MPSCCH_RPRBは、周波数ドメインにけるSAリソースプールの中のRBの数の代わりに、周波数ドメインにおける基本ユニット（２個のRB）の数を表す。２回の送信のためのa１及びa２により示される周波数ドメインリソース位置は、また、２つのRBを粒度として用いて解釈される必要がある。
【００９５】
SA送信回数が４のとき、４回の送信のための時間周波数リソースは、２回のSA送信の指示方法を拡張することにより取得される。具体的に、インデックスフィールドにより示される値を学習し及び送信回数が４であることを学習すると、UEは、以下の方法で、４回のSA送信のための周波数ドメインリソース位置a１−a４及び時間ドメインリソース位置b１−b４を計算する。特定の拡張方法は、次の通りである。
【００９６】
方法１。図５Ａを参照すると、図５Ａは、第１多重化方式における時間周波数リソース位置の概略図である。他の２回の送信のための時間周波数リソース位置を取得するために、時間ドメインにおいて２回の送信のための時間周波数リソース位置に対して一様な空間並進が実行される。例えば、図５Ａの黒いグリッドは、それぞれ、４回のSA送信のために占有されるリソースを表す。最初の２回の送信のために占有されるリソースは、２回の送信のために占有されるリソースである。第３送信のために占有される周波数ドメインリソースは、第１送信のために占有されるものと同じであり、第４送信のために占有される周波数ドメインリソースは第２送信のために占有されるものと同じである。時間ドメインにおいて各２つのリソース間に１サブフレームの差がある（第３送信のために占有される時間ドメインリソースと第１送信のために占有される時間ドメインリソースとの間に１サブフレームの差があり、第４送信のために占有される時間ドメインリソースと第２送信のために占有される時間ドメインリソースとの間に１サブフレームの差がある）。灰色のグリッドは同様であり、時間ドメインにおいてリソース間に３サブフレームの差がある。
【００９７】
最後の２回の送信のための時間周波数リソース位置を計算する式は以下の通りである。
a３=a１、
b３=(２b２−b１)  mod  LPSCCH、
a４=a２、
b１=(２b３−b２)  mod  LPSCCH=(３b２−２b１)  mod  LPSCCH
【００９８】
この方法の利点は、比較的単純且つ僅かな変更であることである。
【００９９】
方法２。図５Ｂを参照すると、図５Ｂは、第１多重化方式における別の時間周波数リソース位置の概略図である。他の３回の送信のための時間周波数リソース位置を取得するために、時間ドメイン及び周波数ドメインにおいて２回の送信のうちの最初のための時間周波数リソース位置に対して一様な空間並進が実行される。例えば、図５Ｂの黒いグリッドは、それぞれ、４回のSA送信のために占有されるリソースを表す。第１送信のためのリソースは、２回の送信のうちの最初のためのリソースであり、各２回の後続の送信のための時間周波数リソース位置の間に１の差がある。
【０１００】
【数３】
2019525648.tif 000038
のとき、４回のSA送信のための時間周波数リソース位置を計算する式は以下の通りである。
【数４】
2019525648.tif 000039
a１'−a４'及びb１'−b４'は、それぞれ、４回の送信のために占有される周波数ドメインリソース位置及び時間ドメインリソース位置を表す。しかしながら、a１及びa２、並びにb１及びb２は、それぞれ、D２D通信における２回の送信のために占有される周波数ドメインリソース位置及び時間ドメインリソース位置を表す。
【０１０１】
方法１と比較すると、方法２の利点は、SA送信回数がそれぞれ２及び４である２つのUEが同じSAリソース指示情報を選択した場合でも、全てのリソースが衝突するという問題が生じないことである。ユーザ機器１のSAが２回送信され、ユーザ機器２のSAが４回送信されると仮定する。２つのユーザ機器が同じSAリソース指示情報を有するとき、
【０１０２】
１。方法１に従い、ユーザ機器１の２回の送信のために使用されるSAリソースは、ユーザ機器２の最初の２回の送信のために使用されるSAリソースと完全に同じであり、リソース衝突が生じる。
【０１０３】
２。方法２によると、前述のリソース衝突問題は生じない。
【０１０４】
方法３。図５Ｃを参照すると、図５Ｃは、第１多重化方式における更に別の時間周波数リソース位置の概略図である。方法２における第２送信及び第３送信のための時間ドメインリソースは不変であり、周波数ドメインリソースは互いに交換されると仮定する。
【０１０５】
【数５】
2019525648.tif 000040
のとき、４回のSA送信のための時間周波数リソース位置を計算する式は以下の通りである。
【数６】
2019525648.tif 000041
ここで、a１'−a４'及びb１'−b４'は、それぞれ、４回の送信のために占有される周波数ドメインリソース位置及び時間ドメインリソース位置を表す。しかしながら、a１及びa２、並びにb１及びb２は、それぞれ、D２D通信における２回の送信のために占有される周波数ドメインリソース位置及び時間ドメインリソース位置を表す。
【０１０６】
方法１と比較すると、方法３の利点は、２つのユーザ機器のSA送信回数は両方とも４であるが、２つのユーザ機器が異なるSAリソース指示情報を選択し、確実にリソース衝突が生じないことである。ユーザ機器１のSA及びユーザ機器２のSAが両方とも４回送信されると仮定する。２つのユーザ機器が異なるSAリソース指示情報を有するとき、
【０１０７】
１。方法１によると、ユーザ機器１及びユーザ機器２の２回のSA送信のために、依然として同じリソースが使用されることがあり、衝突が生じる。例えば、ユーザ機器１の第３SA送信及び第４SA送信のために使用されるリソースは、ユーザ機器２の第１SA送信及び第２SA送信のために使用されるリソースと同じである。
【０１０８】
２。方法３によると、前述のリソース衝突問題は生じない。
【０１０９】
方法４。図５Ｄを参照すると、図５Ｄは、第１多重化方式における更に別の時間周波数リソース位置の概略図である。異なる時間ドメイン送信間隔が、異なる送信回数に割り当てられる。例えば、時間ドメイン間隔は２回の送信では１又は２であって良く、時間ドメイン間隔は４回の送信では３であって良い。
【０１１０】
【数７】
2019525648.tif 000042
のとき、４回のSA送信のための時間周波数リソース位置を計算する式は以下の通りである。
【数８】
2019525648.tif 000043
ここで、offsetはオフセットを表し、少なくとも１の正整数であり、a１'−a４'及びb１'−b４'は、それぞれ４回の送信のために占有される周波数ドメインリソース位置及び時間ドメインリソース位置を表し、a１、a２及びb１、b２は、それぞれD２D通信における２回の送信のために占有される周波数ドメインリソース位置及び時間ドメインリソース位置を表す。
【０１１１】
方法１、方法２、及び方法３と比較すると、方法４の利点は、SA送信回数がそれぞれ２及び４である２つのユーザ機器が同じSAリソース指示情報を選択した場合でも半二重問題が生じない、したがって、送信回数が４であるユーザ機器は送信回数が２であるユーザ機器のSAを全く受信しないことである。ユーザ機器１のSAが４回送信され、ユーザ機器２のSAが２回送信されると仮定する。２つのユーザ機器が同じSAリソース指示情報を有するとき、
【０１１２】
１。方法１、方法２、及び方法３によると、ユーザ機器１の最初の２回の送信及びユーザ機器２の２回の送信のために、同じ時間ドメインリソースが使用される。ユーザ機器は送信及び受信を同時に実行できないので、ユーザ機器１はユーザ機器２の２回のSA送信を逃す。
【０１１３】
２。方法４によると、前述の半二重問題は生じない。送信回数が４であるユーザ機器は、送信回数が２であるユーザ機器のSAを受信する少なくとも１回の機会を有する。
【０１１４】
方法５。方法１〜方法４の全ての送信回の間、時間ドメインは不変であり、周波数ドメインは対称的であると仮定する。方法４が一例として用いられる。図５Ｅを参照すると、図５Ｅは、第１多重化方式におけるまた更に別の時間周波数リソース位置の概略図である。
【０１１５】
４回のSA送信のための時間周波数リソース位置を計算する式は以下の通りである。
【数９】
2019525648.tif 000044
a１'−a４'及びb１'−b４'は、それぞれ、方法１〜方法４における４回の送信のための周波数ドメインリソース位置及び時間ドメインリソース位置を表す。a１''−a４''及びb１''−b４''は、それぞれ、方法５における４回の送信のための周波数ドメインリソース位置及び時間ドメインリソース位置を表す。
【０１１６】
図６に示す第２多重化方式に基づき、スケジューリング割当情報により占有されるリソース位置は、送信回数が１、２、又は４である一例を用いて以下に記載される。
【０１１７】
方法１。図４に示される第１多重化方式におけるSAリソース指示情報が再使用されるが、SAリソース指示情報内の周波数ドメインリソース情報のみが使用される。具体的に、図１に示される第１多重化方式におけるSAリソース指示情報は、SAを送信するために占有される時間ドメインリソース位置及び周波数ドメインリソース位置を示す。ここでは、SAリソース指示情報内の周波数ドメインリソース位置情報が重要であり、時間ドメインリソース位置情報は無視されると考えられるだけである。例えば、SAは４回送信され、SAリソース指示情報により示されるリソースは以下の図に示される。時間ドメインリソース位置は、第０時間ドメインリソース、第１時間ドメインリソース、第２時間ドメインリソース、及び第３時間ドメインリソースであり、周波数ドメインリソース位置は、第０周波数ドメインリソース、第２周波数ドメインリソース、第１周波数ドメインリソース、及び第３周波数ドメインリソースである。ユーザ機器は、周波数ドメインリソース位置情報のみを使用し、４回のSA送信のための周波数ドメインリソース位置が第０周波数ドメインリソース、第２周波数ドメインリソース、第１周波数ドメインリソース、及び第３周波数ドメインリソースであると決定し、時間ドメインリソース位置情報を無視する。
【０１１８】
方法１の利点は簡易性であり、図４に示される第１多重化方式におけるSAリソース指示情報は直接再使用され、情報に対するいかなる変化も行う必要を伴わない。ユーザ機器が情報を解釈するとき、幾つかの相違点があるだけである。
【０１１９】
方法２。SAリソース指示情報が周波数ドメインリソース情報のみを示すように、SAリソース指示情報を再定義する。
【０１２０】
（１）全ての送信回のための周波数ドメインリソースの間には固定的な関係がある。言い換えると、第１送信のための周波数ドメインリソースが決定されると、後続の送信のための周波数ドメインリソースが相応して決定される。可能な実装では、各２回の送信のための周波数ドメインリソースの間には固定的な関係がある。周波数ドメインにおいて４個のSAリソースがあり、SAは４回送信され、SAリソースはそれぞれ第０SAリソース、第１SAリソース、第２SAリソース、及び第３SAリソース、として示されると仮定する。間隔が０であるとき、各送信回のために使用される周波数ドメインリソースは、第１送信のために使用される周波数ドメインリソースと同じである。例えば、第２SAリソースは第１送信のために使用され、したがって第２SAリソースは第２送信、第３送信、及び第４送信のためにも使用される。間隔が１であるとき、各送信回のために使用されるリソース位置は、前の送信のためのリソース位置に１を追加することにより取得される。リソース位置が範囲を超えると、サイクルが繰り返される。例えば、第２SAリソースは第１送信のために使用され、したがって第３SAリソース、第０SAリソース、及び第１SAリソースは第２送信、第３送信、及び第４送信のために使用される。４回の送信は、前述の説明において一例として使用された。別の送信回数が存在する場合は同様である。例えば、送信回数が２であるとき、第１送信及び第２送信のための周波数ドメインリソース位置及び間隔が考慮される必要があるだけである。
【０１２１】
全部の送信回のための周波数ドメインリソース位置の間には固定的な関係があるので、後続の送信のための周波数ドメインリソース位置は、第１送信のための周波数ドメインリソース位置により決定される。この場合、SAリソース指示情報は、第１送信のための周波数ドメインリソース位置を示す必要があるだけである。例えば、SAリソース指示情報が０であるとき、これは、第０周波数ドメインリソースが第１送信のために使用されることを示し、SAリソース指示情報が１であるとき、これは、第１周波数ドメインリソースが使用されることを示す。
【０１２２】
（２）全ての送信回のための周波数ドメインリソースの間に固定的な関係がない。言い換えると、任意の周波数ドメインリソースが各送信回のために使用されて良い。各サブフレーム内にM個のSAリソースが存在し、SAはK回送信される必要がり、第(si)リソースが第ｉ送信のために選択され、i=０、１、．．．、K−１、及びsi=０、１、．．．、M−１であると仮定する。第１の可能な実装では、SAリソース指示情報はΣK−１i=０  siMiとして定められる。例えば、各サブフレーム内に３個のSAリソースがあり（M=３）、SAは４回送信される必要があり（K=４）、第０リソース、第１リソース、第２リソース、及び第２リソース（s０=０、s１=１、s２=２、s３=２）はそれぞれ第１送信〜第４送信のために選択され、SAリソース指示情報は０・３０＋１・３１＋２・３２＋２・３３＝７５である。ネットワーク装置はユーザ機器へ情報を送信する。情報を受信した後、ユーザ機器は、情報K及びMに基づき、各送信回のための周波数ドメインリソース位置を計算して良い。以下のステップが使用されて良い。
（ｉ）
【数１０】
2019525648.tif 000045
したがって、第２リソース（s３）が第４送信のために使用され、７５mod３３=２１である。
（ｉｉ）
【数１１】
2019525648.tif 000046
したがって、第２リソース（s２）が第３送信のために使用され、２１mod３２=３である。
（ｉｉｉ）
【数１２】
2019525648.tif 000047
したがって、第１リソース（s１）が第２送信のために使用され、３mod３１=０である。
（ｉｖ）
【数１３】
2019525648.tif 000048
したがって、第０リソース（s０）が第１送信のために使用される。
【０１２３】
送信回数が２であるとき、ステップ（ｉｉｉ）及びステップ（ｉｖ）が使用される、又は送信回数が１であるとき、ステップ（ｉｖ）だけが使用される、等である。
【０１２４】
別の可能な実装では、SAリソース指示情報はΣK−１i=０  siMK−１−iとして定められる。例えば、各サブフレーム内に３個のSAリソースがあり（M=３）、SAは４回送信される必要があり（K=４）、第０リソース、第１リソース、第２リソース、及び第２リソース（s０=０、s１=１、s２=２、s３=２）はそれぞれ第１送信〜第４送信のために選択され、SAリソース指示情報は０・３３＋１・３２＋２・３１＋２・３０＝１７である。ネットワーク装置はユーザ機器へ情報を送信する。情報を受信した後、ユーザ機器は、情報K及びMに基づき、各送信回のための周波数ドメインリソース位置を計算して良い。以下のステップが使用されて良い。
（ｉ）
【数１４】
2019525648.tif 000049
したがって、第０リソース（s０）が第１送信のために使用され、１７mod３３=１７である。
（ｉｉ）
【数１５】
2019525648.tif 000050
したがって、第１リソース（s１）が第２送信のために使用され、１７mod３２=８である。
（ｉｉｉ）
【数１６】
2019525648.tif 000051
したがって、第２リソース（s２）が第３送信のために使用され、２mod３１=２である。
（ｉｖ）
【数１７】
2019525648.tif 000052
したがって、第２リソース（s３）が第４送信のために使用される。
【０１２５】
送信回数が２であるとき、ステップ（ｉ）及びステップ（ｉｉ）が使用される、又は送信回数が１であるとき、ステップ（ｉ）だけが使用される、等である。
【０１２６】
D２D通信におけるDCIでは、インデックスフィールドは６ビットであり、最大６４個（２６）の異なる可能性をサポートして良く、最大６４個の異なる値を示し得る。しかしながら、前述の計算では、SAリソース指示情報はより大きな値を有し得ることに留意する。ある方法では、より多くのビット、例えば７又は８ビットが、SAリソース指示情報に割り当てられる。別の方法では、SAリソース指示情報のために依然として６ビットが使用される。しかしながら、以下の（３）に記載する方法が使用される。
【０１２７】
（３）全ての送信回のための幾つかの周波数ドメインリソースの間には固定的な関係がある。可能な実装では、比較的少数の送信回数のための周波数ドメインリソース位置は、（２）を用いて定められ、より多数の送信回数のための周波数ドメインリソース位置は繰り返し拡張を実行することにより取得される。例えば、３以下の送信回数では、周波数ドメインリソース位置は（２）を用いて定められる（可能性の合計数は６４より少なく、６ビットが依然として使用されて良い）。送信回数が３より多いとき、超過送信のための周波数ドメインリソース位置は、最初の３回の送信のための周波数ドメインリソース位置を用いて取得されて良い（例えば、繰り返し又は対称的）。送信回数が４であるとき、第４送信のために使用される周波数ドメインリソースは、第１送信のためのものと同じである、又は、同じ周波数ドメインリソースが第４送信及び第３送信のために使用される、等である。
【０１２８】
図７に示される第３多重化方式に基づき、データが周波数ドメインにおいて連続するRBを占有するとき、SAリソース指示情報は、SAの位置する特定側のデータを示す（例えば、SAがデータの上流又は下流にあるかを示す）ために使用されて良い。送信回数が１より多いとき、全ての送信回のためのSA周波数ドメインリソースの相対位置の間には固定的な関係があって良く、後続のSA送信のための相対位置は、第１SA送信のための相対位置により完全に決定されて良い。可能な実装では、同じ相対位置が各送信回のために使用される。例えば、第１送信でSAがデータの上流側にあるとき、各後続の送信ではSAはデータの上流側にある。別の可能な実装では、各送信回は固定モードを有する。SAが４回送信されると仮定する。SAが第１送信のデータの上流側にあるとき、第２送信、第３送信、及び第４送信のためのデータに対する位置は、それぞれ、下流側、上流側、及び下流側、等である。送信回数が１より多いとき、全ての送信回のためのSA周波数ドメインリソースの相対位置の間に固定的な関係は存在しなくて良い。言い換えると、各送信回で、SAはデータに対して上流側にあって良く又は下流側にあって良いが、SAが各送信回で上流側に又は下流側にあるかは、SAリソース指示情報を用いて完全に示される。例えば、SAが４回送信されるとき、データに対する各SA送信回の周波数ドメイン相対位置を示すために、SAリソース指示情報の中で４ビットが使用されて良い。別の送信回数が存在する場合は同様である。例えば、送信回数が２であるとき、前述の説明における最初の２回の送信が考慮されるだけである。
【０１２９】
データが周波数ドメインにおいて不連続なRBを占有するとき、SAリソース指示情報は、SAにより使用される１又は複数のSAリソースを示すために使用されて良い。データが連続する周波数ドメインリソースのうちの２つの部分を占有するとき、３個のSAリソースが使用されて良く、０、１、及び２と番号付けされて良い。SAリソース指示情報は、中央のSAリソース（SAリソース１）が使用されることを示す。送信回数が１より多いとき、全ての送信回のためのSA周波数ドメインリソースの相対位置の間に固定的な関係が存在して良い。後続のSA送信の相対位置は、第１SA送信の相対位置により完全に決定されて良い。代替として、固定的な関係が存在しなくて良い。言い換えると、任意のSAリソースが、各SA送信回のために使用されて良く、これはSAリソース指示情報により示される。特定の指示方法については、図６に示される第２多重化方式における方法２を参照する。別の送信回数が存在する場合は同様である。例えば、送信回数が２であるとき、前述の説明における最初の２回の送信が考慮されるだけである。
【０１３０】
留意すべきことに、SA周波数ドメインリソース及びデータ周波数ドメインリソースの相対位置も固定されて良い。例えば、SAは、データが連続するRBを占有するか否かに拘わらず、一番上のSAリソースを使用する。これは、プロトコルにおいて固定されて良く、又はユーザ機器において事前設定されて良く、又はRRCシグナリング（システムブロードキャスト、RRC専用シグナリング、等）を用いてネットワーク装置により構成されて良い。この場合、SAリソース指示情報は指示を与える必要がない。
【０１３１】
以上は、主に、本発明の実施形態にけるソリューションを装置間の相互作用の観点から記載した。前述の機能を実装するために、ユーザ機器又はネットワーク装置のような各装置は、各機能を実行するための対応するハードウェア構造及び／又はソフトウェアモジュールを含むことが理解され得る。当業者は、本願明細書に開示された実施形態に記載された例のユニット及びアルゴリズムステップを参照して、本発明がハードウェア又はハードウェア及びコンピュータソフトウェアの組み合わせの形式で実装できることに容易に気付くべきである。機能がハードウェア又はコンピュータソフトウェアにより駆動されるハードウェアにより実行されるかは、技術的ソリューションの特定の適用及び設計制約条件に依存する。当業者は、各々の特定の適用について記載の機能を実施するために異なる方法を使用できるが、実装が本発明の範囲を超えると考えられるべきではない。
【０１３２】
本発明の実施形態では、機能ユニット分割は、前述の方法の例に基づき、ユーザ機器、ネットワーク装置、等において実行されて良い。例えば、各機能ユニットは、対応する機能に基づく分割を通じて得られて良く、又は、２以上の機能が１つの処理モジュールに統合されて良い。統合ユニットは、ハードウェアの形式で実装されて良く、又はソフトウェア機能ユニットの形式で実装されて良い。留意すべきことに、本発明の実施形態における部ニット分割は一例であり、単なる論理的な機能分割である。実際の実装においては別の分割方法があり得る。
【０１３３】
図８Ａは、前述の実施形態におけるユーザ機器の可能な概略構造図を示す。ユーザ機器５００は、処理ユニット５０１、受信ユニット５０２、及び送信ユニット５０３を含む。
【０１３４】
処理ユニット５０１は、多重化方式を取得するよう構成される。多重化方式は、スケジューリング割当情報を送信するための時間周波数リソースと、データ情報を送信するための時間周波数リソースとの間の関係を示すために使用される。
【０１３５】
受信ユニット５０２は、ネットワーク装置により送信されるダウンリンク制御情報を受信するよう構成される。ダウンリンク制御情報は、スケジューリング割当リソース指示情報を含む。
【０１３６】
処理ユニット５０１は、スケジューリング割当リソース指示情報及び多重化方式に基づき、スケジューリング割当情報を送信するために占有されるリソース位置情報を取得するよう更に構成される。
【０１３７】
送信ユニット５０３は、リソース割当情報により占有されるリソース位置情報に基づき、スケジューリング割当情報を送信するよう構成される。
【０１３８】
多重化方式は、第１多重化方式、第２多重化方式、及び第３多重化方式のうちの少なくとも１つを含み、第１多重化方式は、スケジューリング割当情報を送信するための時間ドメインリソースがデータ情報を送信するための時間ドメインリソースと異なることを示し、第２多重化方式は、スケジューリング割当情報を送信するための時間ドメインリソースがデータ情報を送信するための時間ドメインリソースと同じであり且つスケジューリング割当情報を送信するための周波数ドメインリソースがデータ情報を送信するための周波数ドメインリソースに隣接しないことを示し、第３多重化方式は、スケジューリング割当情報を送信するための時間ドメインリソースがデータ情報を送信するための時間ドメインリソースと同じであり且つスケジューリング割当情報を送信するための周波数ドメインリソースがデータ情報を送信するための周波数ドメインリソースに隣接することを示す。
【０１３９】
多重化方式が第１多重化方式である場合、スケジューリング割当リソース指示情報は、スケジューリング割当情報を送信するために占有される時間ドメインリソース位置及び周波数ドメインリソース位置を示すために使用される、又は、多重化方式が第２多重化方式である場合、スケジューリング割当リソース指示情報は、スケジューリング割当情報を送信するために占有される周波数ドメインリソース位置を示すために使用される、又は、多重化方式が第３多重化方式である場合、スケジューリング割当リソース指示情報は、スケジューリング割当情報を送信するために占有される周波数ドメインリソース位置とデータ情報を送信するために占有される周波数ドメインリソース位置との間の関係を示すために使用される。
【０１４０】
多重化方式が第１多重化方式である場合、処理ユニット５０１は、スケジューリング割当リソース指示情報及び第１多重化方式に基づき、スケジューリング割当情報を送信するために占有される時間ドメインリソース位置及び周波数ドメインリソース位置を取得するよう構成される。
【０１４１】
多重化方式が第２多重化方式である場合、処理ユニット５０１は、スケジューリング割当リソース指示情報及び第２多重化方式に基づき、スケジューリング割当情報を送信するために占有される周波数ドメインリソース位置を取得するよう構成される。
【０１４２】
処理ユニット５０１は、データ情報を送信するために占有される時間ドメインリソース位置を取得し、データ情報を送信するために占有される時間ドメインリソース位置がスケジューリング割当情報を送信するために占有される時間ドメインリソース位置であると決定するよう更に構成される。
【０１４３】
多重化方式が第３多重化方式である場合、処理ユニット５０１は、データ情報を送信するために占有される時間ドメインリソース位置及び周波数ドメインリソース位置を取得し、データ情報を送信するための時間ドメインリソース位置がスケジューリング割当情報を送信するために占有される時間ドメインリソース位置であると決定するよう構成される。
【０１４４】
処理ユニット５０１は、スケジューリング割当リソース指示情報、第３多重化方式、及びデータ情報の周波数ドメインリソース位置に基づき、スケジューリング割当情報を送信するために占有される周波数ドメインリソース位置を取得するよう更に構成される。
【０１４５】
ダウンリンク制御情報は送信品質指示情報を更に含み、送信品質指示情報は、スケジューリング割当情報の送信回数が少なくとも１回であることを示すために使用され、スケジューリング割当リソース指示情報は、少なくとも１回の各々でスケジューリング割当情報を送信するために占有されるリソース位置情報を示すために使用される。
【０１４６】
処理ユニット５０１は、ネットワーク装置により送信された受信した多重化指示情報に基づき多重化方式を取得するよう構成され、多重化指示情報は多重化方式を示すために使用される、又は、処理ユニットは、事前設定情報に基づき多重化方式を取得するよう構成され、事前設定情報は多重化方式を示すために使用される。
【０１４７】
留意すべきことに、処理ユニット５０１は、図２に示される実施形態におけるステップ１０２及び１０５を実行するよう構成され、受信ユニット５０２は、図２に示される実施形態におけるステップ１０４を実行するよう構成され、送信ユニット５０３は、図２に示される実施形態におけるステップ１０６を実行するよう構成される。
【０１４８】
処理ユニット５０１は、プロセッサ又はコントローラであって良く、例えば、中央処理ユニット（Central  Processing  Unit、CPU）、汎用プロセッサ、デジタル信号プロセッサ（Digital  Signal  Processor、DSP）、特定用途向け集積回路（Application−specific  Integrated  Circuit、ASIC）、フィールドプログラマブルゲートアレイ（Field  Programmable  Gate  Array、FPGA）又は別のプログラマブル論理コンポーネント、トランジスタ論理コンポーネント、ハードウェアコンポーネント、又はそれらの任意の組み合わせであって良い。処理ユニット５０１は、本発明において開示された内容を参照して記載された種々の例示的な論理ブロック、モジュール及び回路を実装し又は実行して良い。代替として、プロセッサは、コンピューティング機能を実装する組み合わせ、例えば、１又は複数のプロセッサを含む組み合わせ、又はDSP及びマイクロプロセッサの組み合わせであって良い。受信ユニット５０２及び送信ユニット５０３は、通信機、通信機回路、通信モジュール、等であって良い。
【０１４９】
処理ユニット５０１がプロセッサであり、受信ユニット５０２及び送信ユニット５０３が通信モジュールであるとき、本発明の実施形態におけるユーザ機器は、図８に示すユーザ機器であって良い。
【０１５０】
図８Ｂに示すように、ユーザ機器５１０は、電源５１１、ユーザインタフェース５１２、通信モジュール５１３、プロセッサ５１４、ディスプレイシステム５１５、検知システム５１６、及びオーディオシステム５１７を含む。留意すべきことに、ユーザ機器５１０は、図１Ａの端末を表して良く、又は自動車、非自動車、路上の別の通信装置、又は高機能家庭用機器のような電子装置を表して良い。図８Ｂに示されるユーザ機器の構造は、本発明の実施形態に対する限定を構成しない。
【０１５１】
電源５１１は、ユーザ機器５１０の種々の機能を実施するための電力を生成する。ユーザインタフェース５１２は、別の装置又は機器とユーザ機器５１０との間の通信又はデータ送信を実施するために、ユーザ機器５１０及び別の装置又は機器を接続するよう構成される。通信モジュール５１３は、ユーザ機器５１０と、基地局及び衛星のようなネットワーク側装置との間の通信又はデータ送信を実施するよう構成され、ユーザ機器５１０と他のユーザ機器との間の通信又はデータ送信を実施するよう更に構成される。本発明の実施形態では、通信モジュール５１３は、図８Ａに示される受信ユニット５０２及び送信ユニット５０３の機能を実施するよう構成される。プロセッサ５１４は、本発明において開示された内容を参照して記載された種々の例示的な論理ブロック、モジュール及び回路を実装し又は実行して良い。本発明の実施形態では、プロセッサ５１４は、図８Ａに示される処理ユニット５０１の機能を実施するよう構成される。ディスプレイシステム５１５は、情報を出力し及び表示し、ユーザ入力操作を受信するよう構成される。送信システム５１６は、温度センサ、距離センサ、等のような種々のセンサを含む。オーディオシステム５１７は、オーディオ信号を出力するよう構成される。
【０１５２】
図９Ａは、前述の実施形態におけるネットワーク装置の可能な概略構造図を示す。ネットワーク装置６００は、処理ユニット６０１及び送信ユニット６０２を含む。
【０１５３】
処理ユニット６０１は、ユーザ機器のために多重化方式を構成するよう適応される。多重化方式は、スケジューリング割当情報を送信するための時間周波数リソースと、データ情報を送信するための時間周波数リソースとの間の関係を示すために使用される。
【０１５４】
送信ユニット６０２は、多重化方式に基づきユーザ機器へダウンリンク制御情報を送信するよう構成される。ダウンリンク制御情報はスケジューリング割当リソース指示情報を含み、スケジューリング割当リソース指示情報はスケジューリング割当情報を送信するために占有されるリソース位置情報を示すために使用される。
【０１５５】
多重化方式は、第１多重化方式、第２多重化方式、及び第３多重化方式のうちの少なくとも１つを含み、第１多重化方式は、スケジューリング割当情報を送信するための時間ドメインリソースがデータ情報を送信するための時間ドメインリソースと異なることを示し、第２多重化方式は、スケジューリング割当情報を送信するための時間ドメインリソースがデータ情報を送信するための時間ドメインリソースと同じであり且つスケジューリング割当情報を送信するための周波数ドメインリソースがデータ情報を送信するための周波数ドメインリソースに隣接しないことを示し、第３多重化方式は、スケジューリング割当情報を送信するための時間ドメインリソースがデータ情報を送信するための時間ドメインリソースと同じであり且つスケジューリング割当情報を送信するための周波数ドメインリソースがデータ情報を送信するための周波数ドメインリソースに隣接することを示す。
【０１５６】
多重化方式が第１多重化方式である場合、スケジューリング割当リソース指示情報は、スケジューリング割当情報を送信するために占有される時間ドメインリソース位置及び周波数ドメインリソース位置を示すために使用される、又は、多重化方式が第２多重化方式である場合、スケジューリング割当リソース指示情報は、スケジューリング割当情報を送信するために占有される周波数ドメインリソース位置を示すために使用される、又は、多重化方式が第３多重化方式である場合、スケジューリング割当リソース指示情報は、スケジューリング割当情報を送信するために占有される周波数ドメインリソース位置とデータ情報を送信するために占有される周波数ドメインリソース位置との間の関係を示すために使用される。
【０１５７】
ダウンリンク制御情報は送信品質指示情報を更に含み、送信品質指示情報は、スケジューリング割当情報の送信回数が少なくとも１回であることを示すために使用され、スケジューリング割当リソース指示情報は、少なくとも１回の各々でスケジューリング割当情報を送信するために占有されるリソース位置情報を示すために使用される。
【０１５８】
送信ユニット６０２は、多重化方式に基づきユーザ機器へ多重化指示情報を送信するよう更に構成される。多重化指示情報は、多重化方式を示すために使用される。
【０１５９】
留意すべきことに、処理ユニット６０１は、図２に示される実施形態におけるステップ１０１を実行するよう構成され、送信ユニット６０２は、図２２に示される実施形態におけるステップ１０３を実行するよう構成される。
【０１６０】
処理ユニット６０１は、プロセッサ又は制御部であって良く、例えばCPU、汎用プロセッサ、DSP、ASIC、FPGA、又は別のプログラマブル論理装置、トランジスタ論理装置、ハードウェアコンポーネント、又はそれらの任意の組み合わせであって良い。処理ユニット６０１は、本発明において開示された内容を参照して記載された種々の例示的な論理ブロック、モジュール及び回路を実装し又は実行して良い。代替として、プロセッサは、コンピューティング機能を実装する組み合わせ、例えば、１又は複数のプロセッサを含む組み合わせ、又はDSP及びマイクロプロセッサの組み合わせであって良い。送信ユニット６０２は、通信機、通信機回路、通信インタフェース、等であって良い。
【０１６１】
処理ユニット６０１がプロセッサであり、送信ユニット６０２が通信機であるとき、本発明の実施形態におけるネットワーク装置は、図９Ｂに示すネットワーク装置であって良い。
【０１６２】
図９Ｂを参照すると、ネットワーク装置６１０は、プロセッサ６１１、通信機６１２、及びアンテナを含む。留意すべきことに、実際の適用では、通信機６１２の数は２に限定されず、アンテナの数は２に限定されず、及びネットワーク装置６１０の構造は本発明の実施形態において限定を構成しない。
【０１６３】
プロセッサ６１０は、主に、４個のコンポーネント：セル制御部、音声チャネル制御部、シグナリングチャネル制御部、及び拡張用マルチポートインタフェースを含む。プロセッサ６１０は、全ての移動通信インタフェースの管理を担い、主に無線チャネル割当、解放、及び管理を担う。プロセッサ６１０は、本発明の実施形態において図９Ａに示される処理ユニット６０１の機能を実施するよう構成される。通信機６１２は、受信機及び送信機を含む。ユーザ機器は、送信機を用いてアップリンクデータを送信し、及び受信機を用いてダウンリンクデータを受信して良い。通信機６１２は、本発明の実施形態において図９Ａに示される送信ユニット６０２の機能を実施するよう構成される。
【０１６４】
本発明の一実施形態は、コンピュータ記憶媒体であって、ユーザ機器により使用されるコンピュータソフトウェア命令を記憶するよう構成され、コンピュータソフトウェア命令は前述の態様を実行するために設計されたプログラムを含む、コンピュータ記憶媒体を更に提供する。
【０１６５】
本発明の一実施形態は、コンピュータ記憶媒体であって、ネットワーク装置により使用されるコンピュータソフトウェア命令を記憶するよう構成され、コンピュータソフトウェア命令は前述の態様を実行するために設計されたプログラムを含む、コンピュータ記憶媒体を更に提供する。
【０１６６】
本発明の一実施形態は、スケジューリング割当情報送信システムであって、図８Ａに示されるユーザ機器及び図９Ａに示されるネットワーク装置、又は図８Ｂに示されるユーザ機器及び図９Ｂに示されるネットワーク装置を含むスケジューリング割当情報送信システムを更に提供する。
【０１６７】
留意すべきことに、説明を簡単にするために、前述の方法の実施形態は、一連の動作として表現された。しかしながら、当業者は、本発明に従い幾つかのステップが他の順序で又は同時に実行されて良いので、本発明が記載の動作順序に限定されないことを理解すべきである。さらに、当業者は、本願明細書に記載の全ての実施形態は好適な実施形態であり、関連する動作及びモジュールは必ずしも本発明に必須ではないことも理解すべきである。
【０１６８】
前述の実施形態では、各実施形態の記載はそれぞれの焦点を有する。ある実施形態において詳細に記載されない部分については、他の実施形態における関連する記載を参照する。
【０１６９】
本発明の実施形態における方法のステップは、実際の要件に基づき、連続的に隣接され、結合され、又は削除されて良い。
【０１７０】
本発明の実施形態における機器のユニットは、実際の要件に基づき、結合され及び削除されて良い。当業者は、本願明細書に記載の異なる実施形態及び異なる実施形態の特徴を統合し又は結合して良い。
【０１７１】
前述の実施形態の記載により、当業者は、本発明がハードウェア、ファームウェア、又はそれらの組み合わせにより実装され得ることを明らかに理解し得る。本発明がソフトウェアにより実装されるとき、前述の機能は、コンピュータ可読媒体に格納され、又はコンピュータ可読媒体の中の１又は複数の命令又はコードとして送信されて良い。コンピュータ可読媒体は、コンピュータ記憶媒体及び通信媒体を含み、通信媒体はコンピュータプログラムをある場所から別の場所へ送信させることを可能にする任意の媒体を含む。記憶媒体は、コンピュータにとってアクセス可能な任意の利用可能な媒体であって良い。以下は一例として使用されるが限定されない。コンピュータ可読媒体は、ランダムアクセスメモリ（Random  Access  Memory、RAM）、読み出し専用メモリ（Read−Only  Memory、ROM）、電気的消去可能プログラマブル読み出し専用メモリ（Electrically  Erasable  Programmable  Read−Only  Memory、EEPROM）、コンパクトディスク読み出し専用メモリ（Compact  Disc  Read−Only  Memory、CD−ROM）、又は他の光ディスク記憶装置、ディスク記憶媒体若しくは他のディスク記憶装置、又はコマンド若しくはデータ構造形式で期待されるプログラムコードを運び若しくは格納するために使用可能な且つコンピュータによりアクセス可能な任意の他の媒体を含み得る。さらに、任意の接続は、コンピュータ可読媒体として適切に定められて良い。例えば、ソフトウェアが、同軸ケーブル、光ファイバ／ケーブル、ツイストペア、デジタル加入者線（Digital  Subscriber  Line、DSL）、又は、赤外線、無線、及びマイクロ波のような無線技術を用いて、ウェブサイト、サーバ、又は他のリモートソースから送信される場合、同軸ケーブル、光ファイバケーブル、ツイストペア、DSL、又は、赤外線、無線、及びマイクロ波のような無線技術は、それらの属する媒体の固定に含まれる。例えば、本発明において使用されるディスク（Disk）及びディスク（disc）は、コンパクトディスク（CD）、レーザディスク、光ディスク、デジタルバーサタイルディスク（DVD）、フロッピーディスク、ブルーレイディスクを含む。ディスクは、通常、機械的手段によりデータを複製し、ディスクはレーザ手段により光学的にデータを複製する。前述の組合せも、コンピュータ可読媒体の保護範囲に含まれるべきである。
【０１７２】
まとめると、以上に記載されたものは、本発明の技術的ソリューションの単なる例示的な実施形態であり、本発明の保護範囲を限定することを意図しない。本発明の精神及び原理から逸脱することなく行われる変更、等価置換、又は改良は、本発明の保護範囲に含まれるべきである。
【手続補正２】
【補正対象書類名】特許請求の範囲
【補正対象項目名】全文
【補正方法】変更
【補正の内容】
【特許請求の範囲】
【請求項１】
スケジューリング割当情報送信方法であって、
ユーザ機器により、多重化方式を取得するステップであって、前記多重化方式は、スケジューリング割当情報を送信するための時間周波数リソースとデータ情報を送信するための時間周波数リソースとの間の関係を示すために使用される、ステップと、
前記ユーザ機器により、ネットワーク装置により送信されたダウンリンク制御情報を受信するステップであって、前記ダウンリンク制御情報は、スケジューリング割当リソース指示情報を含む、ステップと、
前記ユーザ機器により、前記スケジューリング割当リソース指示情報及び前記多重化方式に基づき、前記スケジューリング割当情報を送信するために占有されるリソース位置情報を取得するステップと、
前記ユーザ機器により、前記スケジューリング割当情報により占有される前記リソース位置情報に基づき、前記スケジューリング割当情報を送信するステップと、
を含む方法。
【請求項２】
前記多重化方式は、第１多重化方式、第２多重化方式、又は第３多重化方式のうちの少なくとも１つを含み、前記第１多重化方式は、前記スケジューリング割当情報を送信するための時間ドメインリソースが前記データ情報を送信するための時間ドメインリソースと異なることを示し、前記第２多重化方式は、前記スケジューリング割当情報を送信するための時間ドメインリソースが前記データ情報を送信するための時間ドメインリソースと同じであり且つ前記スケジューリング割当情報を送信するための周波数ドメインリソースが前記データ情報を送信するための周波数ドメインリソースに隣接しないことを示し、前記第３多重化方式は、前記スケジューリング割当情報を送信するための時間ドメインリソースが前記データ情報を送信するための時間ドメインリソースと同じであり且つ前記スケジューリング割当情報を送信するための周波数ドメインリソースが前記データ情報を送信するための周波数ドメインリソースに隣接することを示す、請求項１に記載の方法。
【請求項３】
前記多重化方式が前記第１多重化方式である場合、前記スケジューリング割当リソース指示情報は、前記スケジューリング割当情報を送信するために占有される時間ドメインリソース位置及び周波数ドメインリソース位置を示すために使用される、又は、前記多重化方式が前記第２多重化方式である場合、前記スケジューリング割当リソース指示情報は、前記スケジューリング割当情報を送信するために占有される周波数ドメインリソース位置を示すために使用される、又は、前記多重化方式が前記第３多重化方式である場合、前記スケジューリング割当リソース指示情報は、前記スケジューリング割当情報を送信するために占有される周波数ドメインリソース位置と前記データ情報を送信するために占有される周波数ドメインリソース位置との間の関係を示すために使用される、請求項２に記載の方法。
【請求項４】
前記ダウンリンク制御情報は送信品質指示情報を更に含み、前記送信品質指示情報は、前記スケジューリング割当情報の送信回数が少なくとも１回であることを示すために使用され、前記スケジューリング割当リソース指示情報は、前記少なくとも１回の各々で前記スケジューリング割当情報を送信するために占有されるリソース位置情報を示すために使用される、請求項１に記載の方法。
【請求項５】
ユーザ機器により、多重化方式を取得する前記ステップは、
前記ユーザ機器により、前記ネットワーク装置により送信された受信した多重化指示情報に基づき、前記多重化方式を取得するステップであって、前記多重化指示情報は前記多重化方式を示すために使用される、ステップ、又は、
前記ユーザ機器により、事前設定情報に基づき、前記多重化方式を取得するステップであって、前記事前設定情報は前記多重化方式を示すために使用される、ステップ、
を含む、請求項１に記載の方法。
【請求項６】
スケジューリング割当情報送信方法であって、
ネットワーク装置により、ユーザ機器のために多重化方式を構成するステップであって、前記多重化方式は、スケジューリング割当情報を送信するための時間周波数リソースとデータ情報を送信するための時間周波数リソースとの間の関係を示すために使用される、ステップと、
前記ネットワーク装置により、前記多重化方式に基づき、前記ユーザ機器へダウンリンク制御情報を送信するステップであって、前記ダウンリンク制御情報はスケジューリング割当リソース指示情報を含み、前記スケジューリング割当リソース指示情報は、前記スケジューリング割当情報を送信するために占有されるリソース位置情報を示すために使用される、ステップと、
を含む方法。
【請求項７】
前記多重化方式は、第１多重化方式、第２多重化方式、及び第３多重化方式のうちの少なくとも１つを含み、前記第１多重化方式は、前記スケジューリング割当情報を送信するための時間ドメインリソースが前記データ情報を送信するための時間ドメインリソースと異なることを示し、前記第２多重化方式は、前記スケジューリング割当情報を送信するための時間ドメインリソースが前記データ情報を送信するための時間ドメインリソースと同じであり且つ前記スケジューリング割当情報を送信するための周波数ドメインリソースが前記データ情報を送信するための周波数ドメインリソースに隣接しないことを示し、前記第３多重化方式は、前記スケジューリング割当情報を送信するための時間ドメインリソースが前記データ情報を送信するための時間ドメインリソースと同じであり且つ前記スケジューリング割当情報を送信するための周波数ドメインリソースが前記データ情報を送信するための周波数ドメインリソースに隣接することを示す、請求項６に記載の方法。
【請求項８】
前記多重化方式が前記第１多重化方式である場合、前記スケジューリング割当リソース指示情報は、前記スケジューリング割当情報を送信するために占有される時間ドメインリソース位置及び周波数ドメインリソース位置を示すために使用される、又は、前記多重化方式が前記第２多重化方式である場合、前記スケジューリング割当リソース指示情報は、前記スケジューリング割当情報を送信するために占有される周波数ドメインリソース位置を示すために使用される、又は、前記多重化方式が前記第３多重化方式である場合、前記スケジューリング割当リソース指示情報は、前記スケジューリング割当情報を送信するために占有される周波数ドメインリソース位置と前記データ情報を送信するために占有される周波数ドメインリソース位置との間の関係を示すために使用される、請求項７に記載の方法。
【請求項９】
前記ダウンリンク制御情報は送信品質指示情報を更に含み、前記送信品質指示情報は、前記スケジューリング割当情報の送信回数が少なくとも１回であることを示すために使用され、前記スケジューリング割当リソース指示情報は、前記少なくとも１回の各々で前記スケジューリング割当情報を送信するために占有されるリソース位置情報を示すために使用される、請求項６に記載の方法。
【請求項１０】
前記ネットワーク装置により、前記多重化方式に基づき、前記ユーザ機器へダウンリンク制御情報を送信する前記ステップの前に、
前記ネットワーク装置により、前記多重化方式に基づき、前記ユーザ機器へ多重化指示情報を送信するステップであって、前記多重化指示情報は前記多重化方式を示すために使用される、ステップを更に含む、請求項６に記載の方法。
【請求項１１】
ユーザ機器であって、
多重化方式を取得するよう構成される処理ユニットであって、前記多重化方式は、スケジューリング割当情報を送信するための時間周波数リソースとデータ情報を送信するための時間周波数リソースとの間の関係を示すために使用される、処理ユニットと、
ネットワーク装置により送信されたダウンリンク制御情報を受信するよう構成される受信ユニットであって、前記ダウンリンク制御情報は、スケジューリング割当リソース指示情報を含む、受信ユニットと、
前記処理ユニットは、前記スケジューリング割当リソース指示情報及び前記多重化方式に基づき、前記スケジューリング割当情報を送信するために占有されるリソース位置情報を取得するよう更に構成され、
前記スケジューリング割当情報により占有される前記リソース位置情報に基づき、前記スケジューリング割当情報を送信するよう構成される送信ユニットと、
を含むユーザ機器。
【請求項１２】
前記多重化方式は、第１多重化方式、第２多重化方式、及び第３多重化方式のうちの少なくとも１つを含み、前記第１多重化方式は、前記スケジューリング割当情報を送信するための時間ドメインリソースが前記データ情報を送信するための時間ドメインリソースと異なることを示し、前記第２多重化方式は、前記スケジューリング割当情報を送信するための時間ドメインリソースが前記データ情報を送信するための時間ドメインリソースと同じであり且つ前記スケジューリング割当情報を送信するための周波数ドメインリソースが前記データ情報を送信するための周波数ドメインリソースに隣接しないことを示し、前記第３多重化方式は、前記スケジューリング割当情報を送信するための時間ドメインリソースが前記データ情報を送信するための時間ドメインリソースと同じであり且つ前記スケジューリング割当情報を送信するための周波数ドメインリソースが前記データ情報を送信するための周波数ドメインリソースに隣接することを示す、請求項１１に記載のユーザ機器。
【請求項１３】
前記多重化方式が前記第１多重化方式である場合、前記スケジューリング割当リソース指示情報は、前記スケジューリング割当情報を送信するために占有される時間ドメインリソース位置及び周波数ドメインリソース位置を示すために使用される、又は、前記多重化方式が前記第２多重化方式である場合、前記スケジューリング割当リソース指示情報は、前記スケジューリング割当情報を送信するために占有される周波数ドメインリソース位置を示すために使用される、又は、前記多重化方式が前記第３多重化方式である場合、前記スケジューリング割当リソース指示情報は、前記スケジューリング割当情報を送信するために占有される周波数ドメインリソース位置と前記データ情報を送信するために占有される周波数ドメインリソース位置との間の関係を示すために使用される、請求項１２に記載のユーザ機器。
【請求項１４】
前記ダウンリンク制御情報は送信品質指示情報を更に含み、前記送信品質指示情報は、前記スケジューリング割当情報の送信回数が少なくとも１回であることを示すために使用され、前記スケジューリング割当リソース指示情報は、前記少なくとも１回の各々で前記スケジューリング割当情報を送信するために占有されるリソース位置情報を示すために使用される、請求項１１に記載のユーザ機器。
【請求項１５】
前記処理ユニットは、前記ネットワーク装置により送信された受信した多重化指示情報に基づき前記多重化方式を取得するよう構成され、前記多重化指示情報は前記多重化方式を示すために使用される、又は、前記処理ユニットは、事前設定情報に基づき前記多重化方式を取得するよう構成され、前記事前設定情報は前記多重化方式を示すために使用される、請求項１１に記載のユーザ機器。
【請求項１６】
ネットワーク装置であって、
ユーザ機器のために多重化方式を構成するよう適応される処理ユニットであって、前記多重化方式は、スケジューリング割当情報を送信するための時間周波数リソースとデータ情報を送信するための時間周波数リソースとの間の関係を示すために使用される、処理ユニットと、
前記多重化方式に基づき、前記ユーザ機器へダウンリンク制御情報を送信するよう構成される送信ユニットであって、前記ダウンリンク制御情報はスケジューリング割当リソース指示情報を含み、前記スケジューリング割当リソース指示情報は、前記スケジューリング割当情報を送信するために占有されるリソース位置情報を示すために使用される、送信ユニットと、
を含むネットワーク装置。
【請求項１７】
前記多重化方式は、第１多重化方式、第２多重化方式、及び第３多重化方式のうちの少なくとも１つを含み、前記第１多重化方式は、前記スケジューリング割当情報を送信するための時間ドメインリソースが前記データ情報を送信するための時間ドメインリソースと異なることを示し、前記第２多重化方式は、前記スケジューリング割当情報を送信するための時間ドメインリソースが前記データ情報を送信するための時間ドメインリソースと同じであり且つ前記スケジューリング割当情報を送信するための周波数ドメインリソースが前記データ情報を送信するための周波数ドメインリソースに隣接しないことを示し、前記第３多重化方式は、前記スケジューリング割当情報を送信するための時間ドメインリソースが前記データ情報を送信するための時間ドメインリソースと同じであり且つ前記スケジューリング割当情報を送信するための周波数ドメインリソースが前記データ情報を送信するための周波数ドメインリソースに隣接することを示す、請求項１６に記載のネットワーク装置。
【請求項１８】
前記多重化方式が前記第１多重化方式である場合、前記スケジューリング割当リソース指示情報は、前記スケジューリング割当情報を送信するために占有される時間ドメインリソース位置及び周波数ドメインリソース位置を示すために使用される、又は、前記多重化方式が前記第２多重化方式である場合、前記スケジューリング割当リソース指示情報は、前記スケジューリング割当情報を送信するために占有される周波数ドメインリソース位置を示すために使用される、又は、前記多重化方式が前記第３多重化方式である場合、前記スケジューリング割当リソース指示情報は、前記スケジューリング割当情報を送信するために占有される周波数ドメインリソース位置と前記データ情報を送信するために占有される周波数ドメインリソース位置との間の関係を示すために使用される、請求項１７に記載のネットワーク装置。
【請求項１９】
前記ダウンリンク制御情報は送信品質指示情報を更に含み、前記送信品質指示情報は、前記スケジューリング割当情報の送信回数が少なくとも１回であることを示すために使用され、前記スケジューリング割当リソース指示情報は、前記少なくとも１回の各々で前記スケジューリング割当情報を送信するために占有されるリソース位置情報を示すために使用される、請求項１６に記載のネットワーク装置。
【請求項２０】
前記送信ユニットは、前記多重化方式に基づき前記ユーザ機器へ多重化指示情報を送信するよう更に構成され、前記多重化指示情報は前記多重化方式を示すために使用される、請求項１６に記載のネットワーク装置。
【請求項２１】
コンピュータ可読記憶媒体であって、記録されたプログラムを有し、前記プログラムはコンピュータに請求項１乃至１０のいずれかに記載の方法を実行させる、コンピュータ可読記憶媒体。
【国際調査報告】
2019525648.tif 000053
2019525648.tif 000054
2019525648.tif 000055
2019525648.tif 000056